(57)【特許請求の範囲】
【請求項１】
医用流体を個人へ投与する為のシステム（６２，２００，３００，４００，５００，６００，８００，９００，１０００）であって、
可撓管（１４，１４０，２１６，２３６，３１８，４２２，５１８，５４４，７０６）と、
ポンプ装置（６４，２０２，３０２，４０４，５０４，６０４，８０４，９０４，１００４）と、
各々が筐体（１２，２１２，３１２，７０２）を備える少なくとも２つのカセット（１０，１００，２０６，３０６，４０２，５０２，６０２，７００，８０２，９０２，１００２，１１０２，１２１８，１３０２，１４０２）であって、前記カセット（１０，１００，２０６，３０６，４０２，５０２，６０２，７００，８０２，９０２，１００２，１１０２，１２１８，１３０２，１４０２）は、それぞれ、前記ポンプ装置（６４，２０２，３０２，４０４，５０４，６０４，８０４，９０４，１００４）内に挿入されるように構成される、前記カセットと、
前記カセット（１０，１００，２０６，３０６，４０２，５０２，６０２，７００，８０２，９０２，１００２，１１０２，１２１８，１３０２，１４０２）に流体的に結合される医用流体源と、
赤外線センサを有する閉塞センサ装置（５０６，５０８，６０８）と、
を備え、
第１カセット（１０，１００，２０６，３０６，４０２，５０２，６０２，７００，８０２，９０２，１００２，１１０２，１２１８，１３０２，１４０２）は、不透明材料、赤外線反射材料、および、これらの組み合わせから成るグループから選択される材料を備える管（１４，１４０，２１６，２３６，３１８，４２２，５１８，５４４，７０６）、前記管（１４，１４０，２１６，２３６，３１８，４２２，５１８，５４４，７０６）の一部（５２０，５２２）に隣接して配置されるバイアスバンプ（５４２）を備え、前記バイアスバンプ（５４２）と同じ側に配置される管（１４，１４０，２１６，２３６，３１８，４２２，５１８，５４４，７０６）の側壁（５３８）が前記バイアスバンプ（５４２）を越えて拡張するのを防止し、前記バイアスバンプ（５４２）と反対側の管（５１８、５４４）の側壁（５４０）は、前記バイアスバンプ（５４２）を伴わない場合に想定し得るよりも大きく前記赤外線センサ（５０６、５０８、６０８）へ向けて拡張し、前記第１カセット（１０，１００，２０６，３０６，４０２，５０２，６０２，７００，８０２，９０２，１００２，１１０２，１２１８，１３０２，１４０２）が前記ポンプ装置（６４，２０２，３０２，４０４，５０４，６０４，８０４，９０４，１００４）に挿入されるとき、前記閉塞検出の感度を高め、
第２カセット（１０，１００，２０６，３０６，４０２，５０２，６０２，７００，８０２，９０２，１００２，１１０２，１２１８，１３０２，１４０２）は、閉塞センサ装置（５０６，５０８，６０８）のための誤検出構成要素（４４２，５７０）を含み、放射された信号を前記閉塞センサ装置（５０６、５０８、６０８）へ十分な量で一貫して反射し、前記閉塞センサ装置（５０６、５０８、６０８）は、前記第２カセット（１０，１００，２０６，３０６，４０２，５０２，６０２，７００，８０２，９０２，１００２，１１０２，１２１８，１３０２，１４０２）が前記ポンプ装置（６４，２０２，３０２，４０４，５０４，６０４，８０４，９０４，１００４）に挿入されるとき、前記反射される赤外線信号の強度の変化を検出しない、システム。
【請求項２】
赤外線センサを有する空気ラインセンサ装置（４０６，６０６）を更に含み、前記第１カセット（１０，１００，２０６，３０６，４０２，５０２，６０２，７００，８０２，９０２，１００２，１１０２，１２１８，１３０２，１４０２）は、前記可撓管（１４，１４０，２１６，２３６，３１８，４２２，５１８，５４４，７０６）の一部を受けるように構成されて配置される前記空気ラインセンサ装置（４０６，６０６）の検出チャンバ（４１２，６１８）を含み、
前記第２カセット（１０，１００，２０６，３０６，４０２，５０２，６０２，７００，８０２，９０２，１００２，１１０２，１２１８，１３０２，１４０２）は、前記空気ラインセンサ装置（４０６，６０６）のための誤検出構成要素を含み、放射された信号を前記空気ラインセンサ装置（４０６，６０６）へ十分な量で一貫して反射し、前記空気ラインセンサ装置（４０６，６０６）は、前記第２カセット（１０，１００，２０６，３０６，４０２，５０２，６０２，７００，８０２，９０２，１００２，１１０２，１２１８，１３０２，１４０２）が前記ポンプ装置（６４，２０２，３０２，４０４，５０４，６０４，８０４，９０４，１００４）に挿入されるとき、前記反射される赤外線信号の強度の変化を検出しない、請求項１に記載のシステム（６２，２００，３００，４００，５００，６００，８００，９００，１０００）。
【請求項３】
医用流体を個人へ投与する為のシステム（６２，２００，３００，４００，５００，６００，８００，９００，１０００）であって、
可撓管（１４，１４０，２１６，２３６，３１８，４２２，５１８，５４４，７０６）と、
ポンプ装置（６４，２０２，３０２，４０４，５０４，６０４，８０４，９０４，１００４）と、
各々が筐体（１２，２１２，３１２，７０２）を備える少なくとも２つのカセット（１０，１００，２０６，３０６，４０２，５０２，６０２，７００，８０２，９０２，１００２，１１０２，１２１８，１３０２，１４０２）であって、前記カセット（１０，１００，２０６，３０６，４０２，５０２，６０２，７００，８０２，９０２，１００２，１１０２，１２１８，１３０２，１４０２）は、それぞれ、前記ポンプ装置（６４，２０２，３０２，４０４，５０４，６０４，８０４，９０４，１００４）内に挿入されるように構成される、前記カセットと、
前記カセット（１０，１００，２０６，３０６，４０２，５０２，６０２，７００，８０２，９０２，１００２，１１０２，１２１８，１３０２，１４０２）に流体的に結合される医用流体源と、
赤外線センサを有する空気ラインセンサ装置（４０６，６０６）と、
を備え、
前記第１カセット（１０，１００，２０６，３０６，４０２，５０２，６０２，７００，８０２，９０２，１００２，１１０２，１２１８，１３０２，１４０２）は、前記可撓管（１４，１４０，２１６，２３６，３１８，４２２，５１８，５４４，７０６）の一部を受けるように構成されて配置される前記空気ラインセンサ装置（４０６，６０６）の検出チャンバ（４１２，６１８）を含み、
前記第２カセット（１０，１００，２０６，３０６，４０２，５０２，６０２，７００，８０２，９０２，１００２，１１０２，１２１８，１３０２，１４０２）は、前記空気ラインセンサ装置（４０６，６０６）のための誤検出構成要素（４４２，５７０）を含み、放射された信号を前記空気ラインセンサ装置（４０６，６０６）へ十分な量で一貫して反射し、前記空気ラインセンサ装置（４０６，６０６）は、前記第２カセット（１０，１００，２０６，３０６，４０２，５０２，６０２，７００，８０２，９０２，１００２，１１０２，１２１８，１３０２，１４０２）が前記ポンプ装置（６４，２０２，３０２，４０４，５０４，６０４，８０４，９０４，１００４）に挿入されるとき、前記反射される赤外線信号の強度の変化を検出しない、システム。
【請求項４】
赤外線センサ装置を有する閉塞センサ装置（５０６，５０８，６０８）を更に備え、
第１カセット（１０，１００，２０６，３０６，４０２，５０２，６０２，７００，８０２，９０２，１００２，１１０２，１２１８，１３０２，１４０２）は、不透明材料、赤外線反射材料、および、これらの組み合わせから成るグループから選択される材料を備える管（１４，１４０，２１６，２３６，３１８，４２２，５１８，５４４，７０６）、前記管（１４，１４０，２１６，２３６，３１８，４２２，５１８，５４４，７０６）の一部（５２０，５２２）に隣接して配置されるバイアスバンプ（５４２）を備え、前記バイアスバンプ（５４２）と同じ側に配置される管（１４，１４０，２１６，２３６，３１８，４２２，５１８，５４４，７０６）の側壁（５３８）が前記バイアスバンプ（５４２）を越えて拡張するのを防止し、前記バイアスバンプ（５４２）と反対側の管（５１８、５４４）の側壁（５４０）は、前記バイアスバンプ（５４２）を伴わない場合に想定し得るよりも大きく前記赤外線センサ（５０６、５０８、６０８）へ向けて拡張し、前記第１カセット（１０，１００，２０６，３０６，４０２，５０２，６０２，７００，８０２，９０２，１００２，１１０２，１２１８，１３０２，１４０２）が前記ポンプ装置（６４，２０２，３０２，４０４，５０４，６０４，８０４，９０４，１００４）に挿入されるとき、前記閉塞検出の感度を高め、
第２カセットは、閉塞センサ装置（５０６，５０８，６０８）のための誤検出構成要素（４４２，５７０）を含み、放射された信号を前記閉塞センサ装置（５０６、５０８、６０８）へ十分な量で一貫して反射し、前記閉塞センサ装置（５０６、５０８、６０８）は、前記第２カセット（１０，１００，２０６，３０６，４０２，５０２，６０２，７００，８０２，９０２，１００２，１１０２，１２１８，１３０２，１４０２）が前記ポンプ装置（６４，２０２，３０２，４０４，５０４，６０４，８０４，９０４，１００４）に挿入されるとき、前記反射される赤外線信号の強度の変化を検出しない、請求項３に記載のシステム（６２，２００，３００，４００，５００，６００，８００，９００，１０００）。
【請求項５】
前記筐体（１２，２１２，３１２，７０２）が、前記ポンプ装置（６４，２０２，３０２，４０４，５０４，６０４，８０４，９０４，１００４）の一部を受けるように構成されて配置される凹部領域（７０４）を備える、請求項１〜４のいずれか一項に記載のシステム（６２，２００，３００，４００，５００，６００，８００，９００，１０００）。
【請求項６】
前記筐体（１２，２１２，３１２，７０２）が、前記可撓管（１４，１４０，２１６，２３６，３１８，４２２，５１８，７０６）を保持するための第１および第２の端部（１６，１８，１０２）を備える、請求項１〜５のいずれか一項に記載のシステム（６２，２００，３００，４００，５００，６００，８００，９００，１０００）。
【請求項７】
前記検出チャンバ（４１２，６１８）が赤外光の透過を可能にするための窓（４３６）を備える、請求項２〜６のいずれか一項に記載のシステム（６２，２００，３００，４００，５００，６００，８００，９００，１０００）。
【請求項８】
前記検出チャンバ（４１２，６１８）が赤外線遮断材料を備える、請求項２〜７のいずれか一項に記載のシステム（６２，２００，３００，４００，５００，６００，８００，９００，１０００）。
【請求項９】
前記管（５１８，５４４）が、その内部の流体圧に応じて拡張または収縮するように構成される、請求項１，２，４〜８のいずれか一項に記載のカセット。
【請求項１０】
前記管（１４，１４０，２１６，２３６，３１８，４２２，５１８，５４４，７０６）の前記筐体の少なくとも一部が赤外線吸収材料を備える、請求項１，２，４〜８のいずれか一項に記載のシステム（６２，２００，３００，４００，５００，６００，８００，９００，１０００）。
【請求項１１】
前記ポンプ装置（６４，２０２，３０２，４０４，５０４，６０４，８０４，９０４，１００４）内に各カセット（１０，１００，２０６，３０６，４０２，５０２，６０２，７００，８０２，９０２，１００２，１１０２，１２１８，１３０２，１４０２）を固定する為のラッチ機構（８０６）を更に備え、第１カセット（１０，１００，２０６，３０６，４０２，５０２，６０２，７００，８０２，９０２，１００２，１１０２，１２１８，１３０２，１４０２）は、赤外線センサを有するラッチセンサ装置（９００）を含み、第２カセット（１０，１００，２０６，３０６，４０２，５０２，６０２，７００，８０２，９０２，１００２，１１０２，１２１８，１３０２，１４０２）は、ラッチセンサ装置（９００）のための誤検出構成要素（９１８）を含み、放射された信号を前記ラッチセンサ装置（９００）へ十分な量で一貫して反射し、前記ラッチセンサ装置（９００）は、前記第２カセット（１０，１００，２０６，３０６，４０２，５０２，６０２，７００，８０２，９０２，１００２，１１０２，１２１８，１３０２，１４０２）が前記ポンプ装置（６４，２０２，３０２，４０４，５０４，６０４，８０４，９０４，１００４）に挿入されるとき、前記反射される赤外線信号の強度の変化を検出しない、請求項１〜１１のいずれか一項に記載のシステム（６２，２００，３００，４００，５００，６００，８００，９００，１０００）。
【請求項１２】
当該カセット（１０，１００，２０６，３０６，４０２，５０２，６０２，７００，８０２，９０２，１００２，１１０２，１２１８，１３０２，１４０２）がフロー防止弁手段を含み、該フロー防止弁手段が、
ａ）流体非送出位置で前記可撓管（１４，１４０，２１６，２３６，３１８，４２２，５１８，５４４，７０６）に対して付勢され前記可撓管（１４，１４０，２１６，２３６，３１８，４２２，５１８，５４４，７０６）を通じた流れを防止するフロー防止弁機構と、
力付与部材の付勢に打ち勝つべく前記フロー防止弁機構（３４）と作用的に関連付けられ前記筐体（１２，２１２，３１２，７０２）が前記ポンプ装置（６４，２０２，３０２，４０４，５０４，６０４，８０４，９０４，１００４）と係合されるときに前記可撓管（１４，１４０，２１６，２３６，３１８，４２２，５１８，５４４，７０６）を通じた流体の流れを可能にする部材（３０）と、
を備え、
前記筐体（１２，２１２，３１２，７０２）が前記ポンプ装置（６４，２０２，３０２，４０４，５０４，６０４，８０４，９０４，１００４）として輸液ポンプと係合するように構成されて寸法付けられ、
係合中または係合後に、前記部材（３０）が、前記可撓管（１４，１４０，２１６，２３６，３１８，４２２，５１８，５４４，７０６）を通じた流体の流れを可能にする流体送出位置をとり、当該カセット６４，２０２，３０２，４０４，５０４，６０４，８０４，９０４，１００４）が前記ポンプ装置（６４，２０２，３０２，４０４，５０４，６０４，８０４，９０４，１００４）から取り外される前または取り外されるときに、前記部材（３０）が、前記可撓管（１４，１４０，２１６，２３６，３１８，４２２，５１８，５４４，７０６）を通じた流体の流れを防止する流体非送出位置をとり、
或いは、
ｂ）ベースであって、前記可撓管（１４，１４０，２１６，２３６，３１８，４２２，５１８，５４４，７０６）を前記ベースと作用的に係合した状態に保持するための保持手段（１０２）と、第１のクランプ面（１０４）と、コネクタ（１３４）を支持するための支持手段（１０６）とを備えるベースと、
前記可撓管（１４，１４０，２１６，２３６，３１８，４２２，５１８，５４４，７０６）と係合可能な第２のクランプ面（１３８）を有するクランプ要素（１２０）であって、前記可撓管（１４，１４０，２１６，２３６，３１８，４２２，５１８，５４４，７０６）を通じた流体の流れを可能にする開位置と前記可撓管（１４，１４０，２１６，２３６，３１８，４２２，５１８，５４４，７０６）が前記クランプ要素（１２０）により閉塞される閉位置との間で移動できるクランプ要素と、
前記可撓管（１４，１４０，２１６，２３６，３１８，４２２，５１８，５４４，７０６）を患者のポートと接続するためのコネクタ（１３４）であって、ピンチクランプアセンブリから取り外しできるコネクタと、
ばね（１３０）と、
を備え、
前記コネクタ（１３４）が、前記クランプ要素（１２０）を前記開位置に保持するために前記クランプ要素（１２０）と係合するように構成されており、前記クランプ要素（１２０）は、前記コネクタ（１３４）が前記ピンチクランプアセンブリから取り外されると直ぐに前記ばね（１３０）の力により前記開位置から前記閉位置へ押し進められ、前記クランプ要素（１２０）は、前記ピンチクランプアセンブリが前記ポンプ装置（６４，２０２，３０２，４０４，５０４，６０４，８０４，９０４，１００４）として経腸栄養ポンプまたは輸液ポンプに取り付けられて前記コネクタ（１３４）が取り外されると、前記閉位置から前記開位置へ移動されるように構成される、
請求項１〜１１のいずれか一項に記載のシステム（６２，２００，３００，４００，５００，６００，８００，９００，１０００）。
【請求項１３】
前記コネクタ（１３４）が、経腸スパイク、IVスパイク、経腸栄養アダプタ、IVルアーロックアダプタ、他の経腸またはIV構成要素、および、これらの組み合わせから成るグループから選択されることを特徴とする、請求項１２に記載のシステム（６２，２００，３００，４００，５００，６００，８００，９００，１０００）。
【請求項１４】
当該カセット（１０，１００，２０６，３０６，４０２，５０２，６０２，７００，８０２，９０２，１００２，１１０２，１２１８，１３０２，１４０２）が筐体（１２，２１２，３１２，７０２）の少なくとも１つの縁部（７１４，７１６）に切り欠き（７１８，７２０）を含み、該切り欠き（７１８，７２０）が、半円、「Ｖ」形状、楕円、正方形、長方形、および、これらの組み合わせから成るグループから選択される形状を有し、前記切り欠き（７１８，７２０）は、当該カセット（１０，１００，２０６，３０６，４０２，５０２，６０２，７００，８０２，９０２，１００２，１１０２，１２１８，１３０２，１４０２）が前記ポンプ装置（６４，２０２，３０２，４０４，５０４，６０４，８０４，９０４，１００４）内に挿入されるときに前記可撓管（１４，１４０，２１６，２３６，３１８，４２２，５１８，５４４，７０６）を部分的に受けるように構成されて配置される、請求項１〜１３のいずれか一項に記載のシステム（６２，２００，３００，４００，５００，６００，８００，９００，１０００）。
【請求項１５】
当該カセットが当該カセット（１０，１００，２０６，３０６，４０２，５０２，６０２，７００，８０２，９０２，１００２，１１０２，１２１８，１３０２，１４０２）の前記筐体（１２，２１２，３１２，７０２）の側壁（１０１４，１０１６）に少なくとも１つのタブ部材（１００８，１０１０）を備え、前記タブ部材（１００８，１０１０）が、前記ポンプ装置（６４，２０２，３０２，４０４，５０４，６０４，８０４，９０４，１００４）の内壁の棚部（１０１２，１０２８）と連携し、当該カセット（１０，１００，２０６，３０６，４０２，５０２，６０２，７００，８０２，９０２，１００２，１１０２，１２１８，１３０２，１４０２）を前記ポンプ装置（６４，２０２，３０２，４０４，５０４，６０４，８０４，９０４，１００４）内への挿入中に案内するように構成されて配置される、請求項１〜１４のいずれか一項に記載のシステム（６２，２００，３００，４００，５００，６００，８００，９００，１０００）。
【請求項１６】
当該カセット（１０，１００，２０６，３０６，４０２，５０２，６０２，７００，８０２，９０２，１００２，１１０２，１２１８，１３０２，１４０２）が少なくとも１つの方向表示（１０２２）を含み、前記方向表示（１０２２）が、文字、書き込み表示、ロゴ、記号、数字、および、これらの組み合わせから成るグループから選択される表示であり、前記方向表示（１０２２）が、エッチング、レーザ加工、成形、形成、あるいは、当該カセットの筐体の壁に接着される１または複数のステッカ、および、これらの組み合わせから成るグループから選択される技術を使用して当該カセットの筐体（１２，２１２，３１２，７０２）の壁に接着され、前記方向表示（１０２２）は、当該カセット（１０，１００，２０６，３０６，４０２，５０２，６０２，７００，８０２，９０２，１００２，１１０２，１２１８，１３０２，１４０２）が前記ポンプ装置（６４，２０２，３０２，４０４，５０４，６０４，８０４，９０４，１００４）内に挿入されるときの当該カセット（１０，１００，２０６，３０６，４０２，５０２，６０２，７００，８０２，９０２，１００２，１１０２，１２１８，１３０２，１４０２）の適切な方向を示す、請求項１〜１５のいずれか一項に記載のシステム（６２，２００，３００，４００，５００，６００，８００，９００，１０００）。
【請求項１７】
当該カセット（１０，１００，２０６，３０６，４０２，５０２，６０２，７００，８０２，９０２，１００２，１１０２，１２１８，１３０２，１４０２）の少なくとも一つが少なくとも１つの暗い顔料を含む材料から形成され、
任意で、少なくとも１つのカーボンブラック顔料を含む材料から形成される、請求項１〜１６のいずれか一項に記載のシステム（６２，２００，３００，４００，５００，６００，８００，９００，１０００）。
【請求項１８】
前記誤検出構成要素（４４２，５７０，９１８）は、白紙、金属面、赤外線反射プラスチック、赤外線反射ガラス、赤外線反射塗料、赤外線反射テープ、または、これらの組み合わせから成るグループから選択される材料から形成される、請求項１〜１７のいずれか一項に記載のシステム（６２，２００，３００，４００，５００，６００，８００，９００，１０００）。
【発明の詳細な説明】
【技術分野】
【０００１】
[0001]この出願は、２００９年７月１３日に出願された米国仮出願第６１／２２５，１６１号（代理人整理番号１０１９８−ＵＳ−Ｐ１）、２００９年７月１３日に出願された米国仮出願第６１／２２５，１６６号（代理人整理番号１０２５４−ＵＳ−Ｐ１）、２００９年８月２６日に出願された米国仮出願第６１／２３６，８９９号（代理人整理番号１０３８２−ＵＳ−Ｐ１）、２００９年８月２８日に出願された米国仮出願第６１／２３７，７１１号（代理人整理番号１０３８２−ＵＳ−Ｐ２）、２００９年８月３１日に出願された米国仮出願第６１／２３８，３８６号（代理人整理番号１０３８３−ＵＳ−Ｐ１）、２００９年１２月２２日に出願された米国仮出願第６１／２８８，９２５号（代理人整理番号１０６０７−ＵＳ−Ｐ１）、２０１０年３月１２日に出願された米国仮出願第６１／３１３，３４１号（代理人整理番号１０６０７−ＵＳ−Ｐ２）の優先権を主張し、これらの全ての内容はそれらの全体を参照することにより本願に明確に組み入れられる。
【０００２】
[0002]本開示は、注入ラインの管を通じて溶液を経腸投与または非経口投与するための機器および方法に関する。より詳細には、本開示は、患者への流体送出（ｄｅｌｉｖｅｒｙ）用の輸液ポンプと関連付けられ得る装置であって、そのような流体の送出のための装置の使用を改善する少なくとも２つの構成要素を含む装置に関する。
【背景技術】
【０００３】
[0003]輸液セットは、経腸用途および非経口用途の両方において使用される。経腸栄養ポンプは、患者が様々な理由により普通に食べることができないときに栄養および薬物を患者に送出するために使用される。非経口（経静脈）用の溶液は、適切な水分補給を確保するために、および必要な栄養分、ミネラル、および薬物を送出するために患者へ与えられる。
【発明の概要】
【発明が解決しようとする課題】
【０００４】
[0004]多くの医学的用途において、経腸用および非経口用の流体は、良好に調整された態様で患者に投与されなければならない。そのような場合、流体が重力下で患者へ送出される自立的な輸液構造は受け入れられない。代わりに、流体が輸液ポンプの使用によって投与される場合がある。輸液ポンプは、流体がリザーバから患者へ送出される量および速度を調整するために使用される。一般に、リザーバに接続される管は、輸液ポンプを通過して患者に挿入される。管は通常はポンプ装置の一部を形成し、それにより、ポンプが流体を圧送するために管に作用する。しかしながら、管を通じて流体を圧送するためにポンプ装置内に挿入されるべき管を有する別個のカセットを必要とするポンプ装置が使用される場合もある。そのようなカセットは、例えば輸液セットの効率および安全性を高めるために使用される更なる構成要素を備える場合がある。
【課題を解決するための手段】
【０００５】
[0005]医用ポンプ装置と共に使用するためのカセットが提供される。カセットを使用する方法も提供される。一般的な実施形態において、本開示は、可撓管と、筐体と、空気ラインセンサ装置、該空気ラインセンサ装置のための誤検出（ｆａｌｓｅ  ｒｅａｄｉｎｇ）構成要素、閉塞センサ装置、該閉塞センサ装置のための誤検出構成要素、ラッチセンサ装置、該ラッチセンサ装置のための誤検出構成要素、フロー防止弁手段、筐体の上面に配置される突起、筐体の縁部の少なくとも１つの切り欠き、筐体の外部に配置される少なくとも１つのタブ部材、筐体の表面上の方向表示、または、これらの組み合わせから成るグループから選択される少なくとも２つの構成要素とを含むカセットを提供する。
【０００６】
[0006]一実施形態において、カセットの筐体は、ポンプ装置の一部を受けるように構成されて配置される凹部領域を含む。また、筐体は、可撓管を保持するための第１および第２の端部を含んでもよい。
【０００７】
[0007]一実施形態では、カセットが非反射材料から形成される。一実施形態では、カセットに暗い顔料が加えられる。一実施形態では、周辺光がカセットに沿って伝わるのを防止するために、カセットに暗い顔料が加えられる。一実施形態では、カセットにカーボンブラック顔料が加えられる。一実施形態では、周辺光がカセットに沿って伝わるのを防止するために、カセットにカーボンブラック顔料が加えられる。
【０００８】
[0008]一実施形態では、カセットが空気ラインセンサ装置を含む。空気ラインセンサ装置は、可撓管の一部を受けるように構成されて配置されてもよい検出チャンバを含んでもよい。検出チャンバは赤外光が透過して通過できるようにするための窓を含むことができる。検出チャンバが複数の窓を有してもよい。一実施形態では、検出チャンバは、可撓管を保持するように構成されて配置される成形されたプラスチックチャンバから成る。一実施形態において、検出チャンバは透明なポリ塩化ビニル材料から形成される。また、検出チャンバは、赤外線透過面を含む部分を少なくとも有してもよく、または、赤外線遮断材料を含む部分を少なくとも有してもよい。検出チャンバは、カセットに取り付けられてもよく、２つの端部を有してもよく、各端部は可撓管に取り付けられるように構成される。
【０００９】
[0009]一実施形態において、カセットは、空気ラインセンサ装置のための誤検出構成要素を含む。空気ラインセンサ装置のための誤検出構成要素は、白紙、金属面、赤外線反射プラスチック、赤外線反射ガラス、赤外線反射塗料、赤外線反射テープ、または、これらの組み合わせから成るグループから選択される材料から形成されてもよい。空気ラインセンサ装置のための誤検出構成要素は、カセットがポンプ装置内に挿入されるときに、可撓管と、ポンプの内部に面するカセットの側との間に配置されてもよい。一実施形態では、空気ラインセンサ装置のための誤検出構成要素が赤外線反射プラスチックの断片である。
【００１０】
[0010]一実施形態では、カセットが閉塞センサ装置を含む。閉塞センサ装置は、不透明材料、赤外線反射材料、および、これらの組み合わせから成るグループから選択される材料から形成される管と、管の一部に隣接して配置されるバイアスバンプとを含んでもよい。管が不透明な壁を有してもよい。あるいは、管の少なくとも一部が赤外線反射面を含んでもよい。
【００１１】
[0011]一実施形態において、管は、その内部の流体圧に応じて拡張または収縮するように構成され、また、窓を画定する管筐体内に収容されてもよい。管筐体をカセットと一体に形成することができる。管筐体は、不透明なポリ塩化ビニルから形成されてもよく、または、赤外線透過面を含む管筐体の部分を少なくとも有してもよい。一実施形態では、管筐体の少なくとも一部が赤外線吸収材料を含む。
【００１２】
[0012]一実施形態では、管がバイアスバンプを越えて拡張するのを防止するためにバイアスバンプが略硬質である。
【００１３】
[0013]一実施形態では、管が経腸栄養管セットの一部である。
【００１４】
[0014]一実施形態において、カセットは、閉塞センサ装置のための誤検出構成要素を含む。閉塞センサ装置のための誤検出構成要素は、白紙、金属面、赤外線反射プラスチック、赤外線反射ガラス、赤外線反射塗料、赤外線反射テープ、または、これらの組み合わせから成るグループから選択される材料を含む。閉塞センサ装置のための誤検出構成要素は、カセットがポンプ装置内に挿入されるときに、管と、ポンプの内部に面するカセットの側との間に配置されてもよい。一実施形態では、閉塞センサ装置のための誤検出構成要素が赤外線反射プラスチックの断片である。
【００１５】
[0015]一実施形態では、カセットがラッチセンサ装置を含む。ラッチセンサ装置は、カセットがポンプ装置内に挿入されるときにポンプ装置の赤外線センサと連携するように構成されて配置される赤外線反射材料から成る部分を少なくとも有するカセットの筐体を含んでもよい。
【００１６】
[0016]一実施形態では、カセットがラッチセンサ装置のための誤検出構成要素を含む。ラッチセンサ装置のための誤検出構成要素は、白紙、金属面、赤外線反射プラスチック、赤外線反射ガラス、赤外線反射塗料、赤外線反射テープ、または、これらの組み合わせから成るグループから選択される材料を含む。ラッチセンサ装置のための誤検出構成要素は、カセットがポンプ装置内に挿入されるときに、カセットの筐体の赤外線反射材料とポンプの内部との間に配置される。一実施形態では、ラッチセンサ装置のための誤検出構成要素が赤外線反射プラスチックの断片である。
【００１７】
[0017]一実施形態では、カセットがフロー防止弁手段を含む。
【００１８】
[0018]一実施形態において、フロー防止弁手段は、流体非送出位置で可撓管に対して付勢され可撓管を通じた流れを防止するフロー防止弁機構と、力付与部材の付勢に打ち勝つべくフロー防止弁機構と作用的に関連付けられ筐体がポンプと係合されるときに可撓管を通じた流体の流れを可能にする部材とを含む。筐体は輸液ポンプと係合するように構成されて寸法付けられてもよく、その場合、係合中または係合後に、部材は、可撓管を通じた流体の流れを可能にする流体送出位置をとり、一方、カセットが輸液ポンプから取り外される前または取り外されるときに、部材は、可撓管を通じた流体の流れを防止する流体非送出位置をとる。
【００１９】
[0019]一実施形態において、フロー防止弁機構は、管、カセット、または筐体と関連付けられ、あるいは、カセットもしくは筐体にまたはその近傍に配置されるとともに、可動部材と力付与部材とを含む。部材は、流体非送出位置と流体送出位置との間で移動できるタブ部材であってもよく、その場合、筐体とポンプとの係合前には、タブ部材および可動部材が流体非送出位置にあり、一方、係合中または係合後には、タブ部材が力付与部材の付勢に打ち勝って可動部材を流体送出位置へ移動させる。
【００２０】
[0020]一実施形態において、タブ部材は、カセットが輸液ポンプと係合する際に可動部材を流体送出位置へ移動させ、それにより、管を通じた流体の流れを可能にし、また、カセットがポンプから取り外されると、タブ部材が解放され、それにより、可動部材が流体非送出位置へ戻って管を通じた流体の流れが防止される。このように、流体非送出位置と流体送出位置との間のタブ部材の移動は力付与部材の付勢を変える。
【００２１】
[0021]一実施形態において、タブ部材は、カセットが輸液ポンプと係合した後に可動部材を流体送出位置へ移動させ、それにより、管を通じた流体の流れを可能にし、また、カセットがポンプから取り外される前に、タブ部材が解放され、それにより、可動部材が流体非送出位置へ戻って管を通じた流体の流れが防止される。このように、流体非送出位置と流体送出位置との間のタブ部材の移動は力付与部材の付勢を変える。
【００２２】
[0022]一実施形態において、筐体は、略長方形形状を有しており、輸液ポンプの開口内に嵌合するように構成されて寸法付けられ、また、管の長尺部は、当初は、カセットの端部間で直線状に且つ筐体の剛性湾曲壁の前方で保持され、それにより、管の長尺部は、ポンプのポンピング機構と係合されると、湾曲壁とポンピング機構との間にこれらと接触した状態で正確に配置される。
【００２３】
[0023]一実施形態において、力付与部材は圧縮ばねを含み、また、フロー防止弁機構の可動部材は、力付与部材と接触する相対的に大きい断面と、管と接触して管に対する力付与部材の力を集中させる相対的に狭い断面とを有する締付ヘッドを含む。
【００２４】
[0024]一実施形態において、筐体は、輸液ポンプとの係合中にカセットを位置合わせするための位置決め溝を含む。筐体は、管を通じた流体の流れを監視しまたは検出できるように管に隣接する少なくとも１つの窓を含む。
【００２５】
[0025]一実施形態では、筐体が成形プラスチックから形成され、管がエラストマー材料またはシリコン材から形成され、また、管が筐体の入口管支持部と出口管支持部との間で保持される。各管支持部は雄接合部と雌接合部とを含み、入口支持部では、雄接合部が管の内側に嵌合するように構成されて寸法付けられるとともに、雌接合部が流体供給源へ延びる管を受けるように構成されて寸法付けられ、また、出口支持部では、雄接合部が管の内側に嵌合するように構成されて寸法付けられるとともに、雌接合部が患者へ延びる管の長尺部を受けるように構成されて寸法付けられる。
【００２６】
[0026]一実施形態において、フロー防止弁手段がベースを含み、該ベースは、可撓管をベースと作用的に係合する状態に保持するための保持手段と、第１のクランプ面と、コネクタを支持するための支持手段とを含み、また、フロー防止弁手段は、可撓管と係合可能な第２のクランプ面を有するクランプ要素であって、可撓管を通じた流体の流れを可能にする開位置と可撓管がクランプ要素によって塞がれる閉位置との間で移動できるクランプ要素と、可撓管を患者のポートと接続するコネクタであって、ピンチクランプアセンブリから取り外すことができるコネクタと、ばねとを含む。コネクタは、クランプ要素を開位置に保持するべくクランプ要素と係合するように構成されていてもよく、また、クランプ要素は、コネクタがピンチクランプアセンブリから取り外されると直ぐにばねの力によって開位置から閉位置へ押し進められ、また、クランプ要素は、ピンチクランプアセンブリが経腸栄養ポンプまたは輸液ポンプに取り付けられてコネクタが取り外されるときに閉位置から開位置へ移動されるように構成されている。クランプ要素がベースに蝶着されてもよい。
【００２７】
[0027]一実施形態において、コネクタは、経腸スパイク、IVスパイク、経腸栄養アダプタ、IVルアーロックアダプタ、他の経腸またはIV構成要素、および、これらの組み合わせから成るグループから選択される。コネクタは、クランプ要素および／または支持手段にねじ結合されてもよい。
【００２８】
[0028]一実施形態において、ベースは、ピンチクランプアセンブリを経腸栄養ポンプまたは輸液ポンプに一体に取り付けることができるようにカセットとして形成される。ベース、クランプ要素、およびコネクタは熱可塑性物質などの再利用可能なプラスチック材料から形成されてもよく、また、ばねは金属から形成されてもよい。管はシリコンから形成されてもよい。
【００２９】
[0029]一実施形態において、ベースは、ばねを受け入れるための円筒形状の保持要素を含む。
【００３０】
[0030]一実施形態において、クランプ要素は、管閉塞部を伴う第１の脚部と、ばねと係合するための手段とコネクタと係合するための保持部とを有する第２の脚部と、ベース上の適切な座部と係合するように構成されているスイベルピンとを含む。保持部は、コネクタの先端を受け入れるように構成されているキャップとして構成されてもよい。
【００３１】
[0031]一実施形態では、第１および／または第２のクランプ面が、平らでなく、波形であり、またはフィンが付いている。
【００３２】
[0032]一実施形態では、ベースが第１および第２の内壁を含み、これらの内壁間にクランプ要素が配置される。
【００３３】
[0033]一実施形態において、フロー防止弁手段は、締め付け器を有する筐体と、筐体に取り付けられて締め付け器を貫通して配置される管と、管の内側に配置されるボールとを含む。締め付け器は、締め付け器に隣接する位置でボールが管を通って移動するのを防止するように構成されて配置されてもよい。管は、入口ポートに取り付けられる第１の端部と、出口ポートに取り付けられる第２の端部とを含んでもよい。入口ポートは、ボールが入口ポートに入らないように寸法付けられる。
【００３４】
[0034]一実施形態において、フロー防止弁手段は、ロック部材とばねとを伴うフロー制限器を有する筐体と、筐体に取り付けられてフロー制限器に隣接して配置される管とを含む。ロック部材は、ポンプ装置内に挿入されるときに回転するように構成されて配置されてもよい。
【００３５】
[0035]一実施形態において、筐体は、フロー制限器とは反対の管の側に管に隣接して配置されるストッパを更に含む。フロー制限器およびストッパは、フロー制限器が休止位置にあるときに管を閉塞してもよい。フロー制限器およびストッパは、フロー制限器が作動位置にあるときに流体が管を通じて流れることができるようにする。
【００３６】
[0036]一実施形態では、管の少なくとも一部が柔軟である。
【００３７】
[0037]一実施形態において、カセットは筐体の上面に突起を含む。突起は、略円筒形状であってもよく、また、筐体の長手方向の中間に配置されてもよい。突起は、筐体の上面の外側部分に配置されてもよい。突起は、カセットをポンプ装置内の所定位置にロックするためにポンプ装置のラッチ機構と協働するように構成されて配置される。
【００３８】
[0038]一実施形態では、カセットが筐体の少なくとも１つの縁部に切り欠きを含む。縁部はカセットの筐体の凹部領域に隣接する。切り欠きは、半円、「Ｖ」形状、楕円、正方形、長方形、または、これらの組み合わせから成るグループから選択される形状を有してもよい。一実施形態では、切り欠きが略「Ｖ」形状を成す。「Ｖ」形状は、縁部の切断部および傾斜部によって画定される。切り欠きは、カセットがポンプ装置内に挿入されるときに可撓管を部分的に受けるように構成されて配置されてもよい。
【００３９】
[0039]一実施形態では、カセットがカセットの筐体の側壁に少なくとも１つのタブ部材を含む。カセットは、カセットの少なくとも２つの側に少なくとも１つのタブ部材を含んでもよい。タブ部材は、ポンプ装置の内壁の棚部と連携し、カセットをポンプ装置内への挿入中に案内するように構成されて配置されてもよい。タブ部材は、半円、正方形、長方形、楕円、三角形、翼形状、または、これらの組み合わせから成るグループから選択される形状を有する。一実施形態では、タブ部材が略翼形状を成す。タブ部材は、カセットと一体に形成されてもよく、または、カセットの側面に取り付けられてもよい。
【００４０】
[0040]一実施形態では、カセットが少なくとも１つの方向表示を含む。方向表示はカセットの筐体の表面上に配置される。方向表示は、文字、書き込み表示、ロゴ、記号、数字、または、これらの組み合わせから成るグループから選択される表示である。一実施形態では、カセットが少なくとも２つの方向表示を含む。方向表示はカセットの筐体の壁に付着されるステッカであってもよい。方向表示は、エッチング、レーザ加工、成形、形成、または、それらの組み合わせから成るグループから選択される技術を使用してカセットの筐体の壁に適用されてもよい。方向表示は、カセットがポンプ装置内に挿入されるときのカセットの適切な方向を示す。
【００４１】
[0041]一実施形態では、患者への流体送出用の輸液ポンプと係合するためのカセットが提供される。カセットは、流体を方向付けて流通させる可撓管と、可撓管を保持するための第１および第２の端部を有し且つ流路を少なくとも部分的に画定する筐体とを含み、管を通じた流体流れのために流路に沿って管に張力が付与され、管は、管を通じて流体を移動させる輸液ポンプのポンピング機構と係合するように構成され、管の長尺部は、当初は、カセットの端部間に直線状に保持されるが、ポンプのポンピング機構と係合されると、正確に且つ繰り返し可能に張力が付与されて流路内に配置される。その場合、ポンピング機構は、可撓管を引き伸ばして管に繰り返し可能に張力を付与し、それにより、管を通じた正確な流体流れを可能にする。
【００４２】
[0042]一実施形態において、流路は、ポンピング機構と対向する凹部形状を形成する剛性湾曲壁によって少なくとも部分的に画定され、また、管は、湾曲壁と接触して、ポンピング機構と管とのそれぞれの係合時に湾曲壁とポンピング機構との間の流路に沿って配置される。
【００４３】
[0043]一実施形態において、カセットは、当初は管を通じた流れを防止するために流体非送出位置で管に対して付勢されるフロー防止弁機構と、筐体がポンプと係合されるときに管を通じた流体の流れを許容するために力付与部材の付勢に打ち勝つべくカセットおよびフロー防止弁機構と作用的に関連付けられる部材とを含む。筐体は輸液ポンプと係合するように構成されて寸法付けられ、係合中または係合後、部材は、管を通じた流体の流れを可能にするために流体送出位置をとり、一方、カセットがポンプから取り外される前または取り外されるときには、部材は、管を通じた流体の流れを防止するために流体非送出位置をとる。
【００４４】
[0044]一実施形態において、フロー防止弁機構は、管、カセット、または筐体と関連付けられ、あるいは、カセットもしくは筐体にまたはその近傍に配置されてもよく、また、可動部材と力付与部材とを有する。この場合、流体非送出位置にある力付与部材は、可動部材を管に対して付勢して、管を通じた流れを防止し、また、可動部材は流体非送出位置と流体送出位置との間で移動でき、流体送出位置では、力付与部材の付勢が除去されて、管を通じた流体の流れが許容される。
【００４５】
[0045]一実施形態において、筐体は、輸液ポンプとの係合中にカセットを位置合わせするための位置決め溝を含み、この場合、筐体は、管を通じた流体の流れの監視または検出を可能にするために管に隣接する少なくとも１つの窓を含む。
【００４６】
[0046]一実施形態では、筐体が成形プラスチックから形成され、管がエラストマー材料またはシリコン材から形成され、また、管が筐体の入口管支持部と出口管支持部との間で保持される。この場合、各管支持部は雄接合部と雌接合部とを含み、入口支持部では、雄接合部が管の内側に嵌合するように構成されて寸法付けられるとともに、雌接合部が流体供給源へ延びる管を受けるように構成されて寸法付けられ、また、出口支持部では、雄接合部が管の内側に嵌合するように構成されて寸法付けられるとともに、雌接合部が患者へ延びる管の長尺部を受けるように構成されて寸法付けられる。
【００４７】
[0047]一実施形態では、個人へ医用流体を投与するためのシステムが提供される。システムは、先の実施形態のうちのいずれか１つに係るカセットと、ポンプと、医用流体源とを含む。医用流体源はカセットに流体的に結合されてもよい。
【００４８】
[0048]一実施形態では、医用流体の投与のためにカセットを使用する方法が提供される。方法は、先の実施形態のうちのいずれか１つに係るカセットを準備するステップと、カセットをポンプ装置内に挿入するステップと、カセットを通じて医用流体を圧送するステップとを含む。
【００４９】
[0049]一実施形態では、患者へ流体を供給する方法が提供される。該方法は、カセットを使用して患者へ流体を圧送することを含み、カセットは、可撓管と、筐体と、空気ラインセンサ装置、該空気ラインセンサ装置のための誤検出構成要素、閉塞センサ装置、該閉塞センサ装置のための誤検出構成要素、ラッチセンサ装置、該ラッチセンサ装置のための誤検出構成要素、フロー防止弁手段、筐体の上面に配置される突起、筐体の縁部の少なくとも１つの切り欠き、筐体の外部に配置される少なくとも１つのタブ部材、筐体の表面上の方向表示、または、これらの組み合わせから成るグループから選択される少なくとも２つの構成要素とを含む。
【００５０】
[0050]一実施形態において、カセットの筐体は、ポンプ装置の一部を受けるように構成されて配置される凹部領域を含む。筐体は、可撓管を保持するための第１および第２の端部を含んでもよい。
【００５１】
[0051]一実施形態では、カセットが空気ラインセンサ装置を含む。空気ラインセンサ装置は、可撓管の一部を受けるように構成されて配置されてもよい検出チャンバを含んでもよい。検出チャンバは赤外光が透過して通過できるようにするための窓を含むことができる。検出チャンバが複数の窓を有してもよい。一実施形態では、検出チャンバは、可撓管を保持するように構成されて配置される成形されたプラスチックチャンバから形成される。一実施形態において、検出チャンバは透明なポリ塩化ビニル材料から形成される。また、検出チャンバは、赤外線透過面を含む部分を少なくとも有してもよく、または、赤外線遮断材料を含む部分を少なくとも有してもよい。検出チャンバは、カセットに取り付けられてもよく、また、２つの端部を有してもよく、各端部は可撓管に取り付くように構成される。
【００５２】
[0052]一実施形態において、カセットは、空気ラインセンサ装置のための誤検出構成要素を含む。空気ラインセンサ装置のための誤検出構成要素は、白紙、金属面、赤外線反射プラスチック、赤外線反射ガラス、赤外線反射塗料、赤外線反射テープ、または、これらの組み合わせから成るグループから選択される材料から形成されてもよい。空気ラインセンサ装置のための誤検出構成要素は、カセットがポンプ装置内に挿入されるときに、可撓管と、ポンプの内部に面するカセットの側との間に配置されてもよい。一実施形態では、空気ラインセンサ装置のための誤検出構成要素が赤外線反射プラスチックの断片である。
【００５３】
[0053]一実施形態では、カセットが閉塞センサ装置を含む。閉塞センサ装置は、不透明材料、赤外線反射材料、または、これらの組み合わせから成るグループから選択される材料から形成される管と、管の一部に隣接して配置されるバイアスバンプとを含んでもよい。管が不透明な壁を有してもよい。あるいは、管の少なくとも一部が赤外線反射面を含んでもよい。
【００５４】
[0054]一実施形態において、管は、その内部の流体圧に応じて拡張または収縮するように構成され、また、窓を画定する管筐体内に収容されてもよい。管筐体をカセットと一体に形成することができる。管筐体は、不透明なポリ塩化ビニルから形成されてもよく、または、赤外線透過面を含む管筐体の部分を少なくとも有してもよい。一実施形態では、管筐体の少なくとも一部が赤外線吸収材料を含む。
【００５５】
[0055]一実施形態では、管がバイアスバンプを越えて拡張するのを防止するためにバイアスバンプが略硬質である。
【００５６】
[0056]一実施形態では、管が経腸栄養管セットの一部である。
【００５７】
[0057]一実施形態において、カセットは、閉塞センサ装置のための誤検出構成要素を含む。閉塞センサ装置のための誤検出構成要素は、白紙、金属面、赤外線反射プラスチック、赤外線反射ガラス、赤外線反射塗料、赤外線反射テープ、または、これらの組み合わせから成るグループから選択される材料を含む。閉塞センサ装置のための誤検出構成要素は、カセットがポンプ装置内に挿入されるときに、管と、ポンプの内部に面するカセットの側との間に配置される。一実施形態では、閉塞センサ装置のための誤検出構成要素が赤外線反射プラスチックの断片である。
【００５８】
[0058]一実施形態では、カセットがラッチセンサ装置を含む。ラッチセンサ装置は、カセットがポンプ装置内に挿入されるときにポンプ装置の赤外線センサと連携するように構成されて配置される赤外線反射材料から成る部分を少なくとも有するカセットの筐体を含んでもよい。
【００５９】
[0059]一実施形態では、カセットがラッチセンサ装置のための誤検出構成要素を含む。ラッチセンサ装置のための誤検出構成要素は、白紙、金属面、赤外線反射プラスチック、赤外線反射ガラス、赤外線反射塗料、赤外線反射テープ、または、これらの組み合わせから成るグループから選択される材料を含む。ラッチセンサ装置のための誤検出構成要素は、カセットがポンプ装置内に挿入されるときに、カセットの筐体の赤外線反射材料とポンプの内部との間に配置される。一実施形態では、ラッチセンサ装置のための誤検出構成要素が赤外線反射プラスチックの断片である。
【００６０】
[0060]一実施形態では、カセットがフロー防止弁手段を含む。
【００６１】
[0061]一実施形態において、フロー防止弁手段は、流体非送出位置で可撓管に対して付勢され可撓管を通じた流れを防止するフロー防止弁機構と、力付与部材の付勢に打ち勝つべくフロー防止弁機構と作用的に関連付けられ筐体がポンプと係合されるときに可撓管を通じた流体の流れを可能にする部材とを含む。筐体は輸液ポンプと係合するように構成されて寸法付けられてもよく、その場合、係合中または係合後に、部材は、可撓管を通じた流体の流れを可能にする流体送出位置をとり、一方、カセットが輸液ポンプから取り外される前または取り外されるときに、部材は、可撓管を通じた流体の流れを防止する流体非送出位置をとる。
【００６２】
[0062]一実施形態において、フロー防止弁機構は、管、カセット、または筐体と関連付けられ、あるいは、カセットもしくは筐体にまたはその近傍に配置されるとともに、可動部材と力付与部材とを含む。部材は、流体非送出位置と流体送出位置との間で移動できるタブ部材であってもよく、その場合、筐体とポンプとの係合前には、タブ部材および可動部材が流体非送出位置にあり、一方、係合中または係合後には、タブ部材が力付与部材の付勢に打ち勝って可動部材を流体送出位置へ移動させる。
【００６３】
[0063]一実施形態において、タブ部材は、カセットが輸液ポンプと係合する際に可動部材を流体送出位置へ移動させ、それにより、管を通じた流体の流れを可能にし、また、カセットがポンプから取り外されると、タブ部材が解放され、それにより、可動部材が流体非送出位置へ戻って管を通じた流体の流れが防止される。このように、流体非送出位置と流体送出位置との間のタブ部材の移動は力付与部材の付勢を変える。
【００６４】
[0064]一実施形態において、タブ部材は、カセットが輸液ポンプと係合した後に可動部材を流体送出位置へ移動させ、それにより、管を通じた流体の流れを可能にし、また、カセットがポンプから取り外される前に、タブ部材が解放され、それにより、可動部材が流体非送出位置へ戻って管を通じた流体の流れが防止される。このように、流体非送出位置と流体送出位置との間のタブ部材の移動は力付与部材の付勢を変える。
【００６５】
[0065]一実施形態において、筐体は、略長方形形状を有しており、輸液ポンプの開口内に嵌合するように構成されて寸法付けられ、また、管の長尺部は、当初は、カセットの端部間で直線状に且つ筐体の剛性湾曲壁の前方で保持され、それにより、管の長尺部は、ポンプのポンピング機構と係合されると、湾曲壁とポンピング機構との間にこれらと接触した状態で正確に配置される。
【００６６】
[0066]一実施形態において、力付与部材は圧縮ばねを含み、また、フロー防止弁機構の可動部材は、力付与部材と接触する相対的に大きい断面と、管と接触して管に対する力付与部材の力を集中させる相対的に狭い断面とを有する締付ヘッドを含む。
【００６７】
[0067]一実施形態において、筐体は、輸液ポンプとの係合中にカセットを位置合わせするための位置決め溝を含み、また、筐体は、管を通じた流体の流れを監視しまたは検出できるように管に隣接する少なくとも１つの窓を含む。
【００６８】
[0068]一実施形態では、筐体が成形プラスチックから形成され、管がエラストマー材料またはシリコン材から形成され、また、管が筐体の入口管支持部と出口管支持部との間で保持される。この場合、各管支持部は雄接合部と雌接合部とを含み、入口支持部では、雄接合部が管の内側に嵌合するように構成されて寸法付けられるとともに、雌接合部が流体供給源へ延びる管を受けるように構成されて寸法付けられ、また、出口支持部では、雄接合部が管の内側に嵌合するように構成されて寸法付けられるとともに、雌接合部が患者へ延びる管の長尺部を受けるように構成されて寸法付けられる。
【００６９】
[0069]一実施形態において、フロー防止弁手段がベースを含み、該ベースは、可撓管をベースと作用的に係合する状態に保持するための保持手段と、第１のクランプ面と、コネクタを支持するための支持手段とを含み、また、フロー防止弁手段は、可撓管と係合可能な第２のクランプ面を有するクランプ要素であって、可撓管を通じた流体の流れを可能にする開位置と可撓管がクランプ要素によって塞がれる閉位置との間で移動できるクランプ要素と、可撓管を患者のポートと接続するコネクタであって、ピンチクランプアセンブリから取り外すことができるコネクタと、ばねとを含む。コネクタは、クランプ要素を開位置に保持するべくクランプ要素と係合するように構成されていてもよく、また、クランプ要素は、コネクタがピンチクランプアセンブリから取り外されると直ぐにばねの力によって開位置から閉位置へ押し進められ、また、クランプ要素は、ピンチクランプアセンブリが経腸栄養ポンプまたは輸液ポンプに取り付けられてコネクタが取り外されるときに閉位置から開位置へ移動されるように構成されている。クランプ要素がベースに蝶着されてもよい。
【００７０】
[0070]一実施形態において、コネクタは、経腸スパイク、IVスパイク、経腸栄養アダプタ、IVルアーロックアダプタ、他の経腸またはIV構成要素、または、これらの組み合わせから成るグループから選択される。コネクタは、クランプ要素および／または支持手段にねじ結合されてもよい。
【００７１】
[0071]一実施形態において、ベースは、ピンチクランプアセンブリを経腸栄養ポンプまたは輸液ポンプに一体に取り付けることができるようにカセットとして形成される。ベース、クランプ要素、およびコネクタは熱可塑性物質などの再利用可能なプラスチック材料から形成されてもよく、また、ばねは金属から形成されてもよい。管はシリコンから形成されてもよい。
【００７２】
[0072]一実施形態において、ベースは、ばねを受け入れるための円筒形状の保持要素を含む。
【００７３】
[0073]一実施形態において、クランプ要素は、管閉塞部を伴う第１の脚部と、ばねと係合するための手段とコネクタと係合するための保持部とを有する第２の脚部と、ベース上の適切な座部と係合するように構成されているスイベルピンとを含む。保持部は、コネクタの先端を受け入れるように構成されているキャップとして構成されてもよい。
【００７４】
[0074]一実施形態では、第１および／または第２のクランプ面が、平らでなく、波形であり、またはフィンが付いている。
【００７５】
[0075]一実施形態では、ベースが第１および第２の内壁を含み、これらの内壁間にクランプ要素が配置される。
【００７６】
[0076]一実施形態において、フロー防止弁手段は、締め付け器を有する筐体と、筐体に取り付けられて締め付け器を貫通して配置される管と、管の内側に配置されるボールとを含む。締め付け器は、締め付け器に隣接する位置でボールが管を通って移動するのを防止するように構成されて配置されてもよい。管は、入口ポートに取り付けられる第１の端部と、出口ポートに取り付けられる第２の端部とを含んでもよい。入口ポートは、ボールが入口ポートに入らないように寸法付けられる。
【００７７】
[0077]一実施形態において、フロー防止弁手段は、ロック部材とばねとを伴うフロー制限器を有する筐体と、筐体に取り付けられてフロー制限器に隣接して配置される管とを含む。ロック部材は、ポンプ装置内に挿入されるときに回転するように構成されて配置されてもよい。
【００７８】
[0078]一実施形態において、筐体は、フロー制限器とは反対の管の側に管に隣接して配置されるストッパを更に含む。フロー制限器およびストッパは、フロー制限器が休止位置にあるときに管を閉塞してもよい。フロー制限器およびストッパは、フロー制限器が作動位置にあるときに流体が管を通じて流れることができるようにする。
【００７９】
[0079]一実施形態では、管の少なくとも一部が柔軟である。
【００８０】
[0080]一実施形態において、カセットは筐体の上面に突起を含む。突起は、略円筒形状であってもよく、また、筐体の長手方向の中間に配置されてもよい。突起は、筐体の上面の外側部分に配置されてもよい。突起は、カセットをポンプ装置内の所定位置にロックするためにポンプ装置のラッチ機構と協働するように構成されて配置される。
【００８１】
[0081]一実施形態では、カセットが筐体の少なくとも１つの縁部に切り欠きを含む。縁部はカセットの筐体の凹部領域に隣接する。切り欠きは、半円、「Ｖ」形状、楕円、正方形、長方形、または、これらの組み合わせから成るグループから選択される形状を有してもよい。一実施形態では、切り欠きが略「Ｖ」形状を成す。「Ｖ」形状は、縁部の切断部および傾斜部によって画定される。切り欠きは、カセットがポンプ装置内に挿入されるときに可撓管を部分的に受けるように構成されて配置されてもよい。
【００８２】
[0082]一実施形態では、カセットがカセットの筐体の側壁に少なくとも１つのタブ部材を含む。カセットは、カセットの少なくとも２つの側に少なくとも１つのタブ部材を含んでもよい。タブ部材は、ポンプ装置の内壁の棚部と連携し、カセットをポンプ装置内への挿入中に案内するように構成されて配置されてもよい。タブ部材は、半円、正方形、長方形、楕円、三角形、翼形状、または、これらの組み合わせから成るグループから選択される形状を有する。一実施形態では、タブ部材が略翼形状を成す。タブ部材は、カセットと一体に形成されてもよく、または、カセットの側面に取り付けられてもよい。
【００８３】
[0083]一実施形態では、カセットが少なくとも１つの方向表示を含む。方向表示はカセットの筐体の表面上に配置される。方向表示は、文字、書き込み表示、ロゴ、記号、数字、または、これらの組み合わせから成るグループから選択される表示である。一実施形態では、カセットが少なくとも２つの方向表示を含む。方向表示はカセットの筐体の壁に付着されるステッカであってもよい。方向表示は、エッチング、レーザ加工、成形、形成、あるいは、それらの組み合わせから成るグループから選択される技術を使用してカセットの筐体の壁に適用されてもよい。方向表示は、カセットがポンプ装置内に挿入されるときのカセットの適切な方向を示す。
【００８４】
[0084]一実施形態では、患者内へ流体を圧送するための輸液ポンプの安全な使用を高める方法が提供される。方法は、輸液ポンプと共に使用するように構成されるカセットを設けることを含み、カセットは、可撓管と、筐体と、空気ラインセンサ装置、該空気ラインセンサ装置のための誤検出構成要素、閉塞センサ装置、該閉塞センサ装置のための誤検出構成要素、ラッチセンサ装置、該ラッチセンサ装置のための誤検出構成要素、フロー防止弁手段、筐体の上面に配置される突起、筐体の縁部の少なくとも１つの切り欠き、筐体の外部に配置される少なくとも１つのタブ部材、筐体の表面上の方向表示、または、これらの組み合わせから成るグループから選択される少なくとも２つの構成要素とを含む。
【００８５】
[0085]一実施形態において、カセットの筐体は、ポンプ装置の一部を受けるように構成されて配置される凹部領域を含む。また、筐体は、可撓管を保持するための第１および第２の端部を含んでもよい。
【００８６】
[0086]一実施形態では、カセットが空気ラインセンサ装置を含む。空気ラインセンサ装置は、可撓管の一部を受けるように構成されて配置されてもよい検出チャンバを含んでもよい。検出チャンバは赤外光が透過して通過できるようにするための窓を含むことができる。検出チャンバが複数の窓を有してもよい。一実施形態では、検出チャンバは、可撓管を保持するように構成されて配置される成形されたプラスチックチャンバから形成される。一実施形態において、検出チャンバは透明なポリ塩化ビニル材料から形成される。また、検出チャンバは、赤外線透過面を含む部分を少なくとも有してもよく、または、赤外線遮断材料を含む部分を少なくとも有してもよい。検出チャンバは、カセットに取り付けられてもよく、２つの端部を有してもよく、各端部は可撓管に取り付けられるように構成される。
【００８７】
[0087]一実施形態において、カセットは、空気ラインセンサ装置のための誤検出構成要素を含む。空気ラインセンサ装置のための誤検出構成要素は、白紙、金属面、赤外線反射プラスチック、赤外線反射ガラス、赤外線反射塗料、赤外線反射テープ、または、これらの組み合わせから成るグループから選択される材料から形成されてもよい。空気ラインセンサ装置のための誤検出構成要素は、カセットがポンプ装置内に挿入されるときに、可撓管と、ポンプの内部に面するカセットの側との間に配置されてもよい。一実施形態では、空気ラインセンサ装置のための誤検出構成要素が赤外線反射プラスチックの断片である。
【００８８】
[0088]一実施形態では、カセットが閉塞センサ装置を含む。閉塞センサ装置は、不透明材料、赤外線反射材料、または、これらの組み合わせから成るグループから選択される材料から形成される管と、管の一部に隣接して配置されるバイアスバンプとを含んでもよい。管が不透明な壁を有してもよい。あるいは、管の少なくとも一部が赤外線反射面を含んでもよい。
【００８９】
[0089]一実施形態において、管は、その内部の流体圧に応じて拡張または収縮するように構成され、また、窓を画定する管筐体内に収容されてもよい。管筐体をカセットと一体に形成することができる。管筐体は、不透明なポリ塩化ビニルから形成されてもよく、または、赤外線透過面を含む管筐体の部分を少なくとも有してもよい。一実施形態では、管筐体の少なくとも一部が赤外線吸収材料を含む。
【００９０】
[0090]一実施形態では、管がバイアスバンプを越えて拡張するのを防止するためにバイアスバンプが略硬質である。
【００９１】
[0091]一実施形態では、管が経腸栄養管セットの一部である。
【００９２】
[0092]一実施形態において、カセットは、閉塞センサ装置のための誤検出構成要素を含む。閉塞センサ装置のための誤検出構成要素は、白紙、金属面、赤外線反射プラスチック、赤外線反射ガラス、赤外線反射塗料、赤外線反射テープ、または、これらの組み合わせから成るグループから選択される材料を含む。閉塞センサ装置のための誤検出構成要素は、カセットがポンプ装置内に挿入されるときに、管と、ポンプの内部に面するカセットの側との間に配置される。一実施形態では、閉塞センサ装置のための誤検出構成要素が赤外線反射プラスチックの断片である。
【００９３】
[0093]一実施形態では、カセットがラッチセンサ装置を含む。ラッチセンサ装置は、カセットがポンプ装置内に挿入されるときにポンプ装置の赤外線センサと連携するように構成されて配置される赤外線反射材料から成る部分を少なくとも有するカセットの筐体を含んでもよい。
【００９４】
[0094]一実施形態では、カセットがラッチセンサ装置のための誤検出構成要素を含む。ラッチセンサ装置のための誤検出構成要素は、白紙、金属面、赤外線反射プラスチック、赤外線反射ガラス、赤外線反射塗料、赤外線反射テープ、または、これらの組み合わせから成るグループから選択される材料を含む。ラッチセンサ装置のための誤検出構成要素は、カセットがポンプ装置内に挿入されるときに、カセットの筐体の赤外線反射材料とポンプの内部との間に配置される。一実施形態では、ラッチセンサ装置のための誤検出構成要素が赤外線反射プラスチックの断片である。
【００９５】
[0095]一実施形態では、カセットがフロー防止弁手段を含む。
【００９６】
[0096]一実施形態において、フロー防止弁手段は、流体非送出位置で可撓管に対して付勢され可撓管を通じた流れを防止するフロー防止弁機構と、力付与部材の付勢に打ち勝つべくフロー防止弁機構と作用的に関連付けられ筐体がポンプと係合されるときに可撓管を通じた流体の流れを可能にする部材とを含む。筐体は輸液ポンプと係合するように構成されて寸法付けられてもよく、その場合、係合中または係合後に、部材は、可撓管を通じた流体の流れを可能にする流体送出位置をとり、一方、カセットが輸液ポンプから取り外される前または取り外されるときに、部材は、可撓管を通じた流体の流れを防止する流体非送出位置をとる。
【００９７】
[0097]一実施形態において、フロー防止弁機構は、管、カセット、または筐体と関連付けられ、あるいは、カセットもしくは筐体にまたはその近傍に配置されるとともに、可動部材と力付与部材とを含む。部材は、流体非送出位置と流体送出位置との間で移動できるタブ部材であってもよく、その場合、筐体とポンプとの係合前には、タブ部材および可動部材が流体非送出位置にあり、一方、係合中または係合後には、タブ部材が力付与部材の付勢に打ち勝って可動部材を流体送出位置へ移動させる。
【００９８】
[0098]一実施形態において、タブ部材は、カセットが輸液ポンプと係合する際に可動部材を流体送出位置へ移動させ、それにより、管を通じた流体の流れを可能にし、また、カセットがポンプから取り外されると、タブ部材が解放され、それにより、可動部材が流体非送出位置へ戻って管を通じた流体の流れが防止される。このように、流体非送出位置と流体送出位置との間のタブ部材の移動は力付与部材の付勢を変える。
【００９９】
[0099]一実施形態において、タブ部材は、カセットが輸液ポンプと係合した後に可動部材を流体送出位置へ移動させ、それにより、管を通じた流体の流れを可能にし、また、カセットがポンプから取り外される前に、タブ部材が解放され、それにより、可動部材が流体非送出位置へ戻って管を通じた流体の流れが防止される。このように、流体非送出位置と流体送出位置との間のタブ部材の移動は力付与部材の付勢を変える。
【０１００】
[00100]一実施形態において、筐体は、略長方形形状を有しており、輸液ポンプの開口内に嵌合するように構成されて寸法付けられ、また、管の長尺部は、当初は、カセットの端部間で直線状に且つ筐体の剛性湾曲壁の前方で保持され、それにより、管の長尺部は、ポンプのポンピング機構と係合されると、湾曲壁とポンピング機構との間にこれらと接触した状態で正確に配置される。
【０１０１】
[00101]一実施形態において、力付与部材は圧縮ばねを含み、また、フロー防止弁機構の可動部材は、力付与部材と接触する相対的に大きい断面と、管と接触して管に対する力付与部材の力を集中させる相対的に狭い断面とを有する締付ヘッドを含む。
【０１０２】
[00102]一実施形態において、筐体は、輸液ポンプとの係合中にカセットを位置合わせするための位置決め溝を含み、また、筐体は、管を通じた流体の流れを監視しまたは検出できるように管に隣接する少なくとも１つの窓を含む。
【０１０３】
[00103]一実施形態では、筐体が成形プラスチックから形成され、管がエラストマー材料またはシリコン材から形成され、また、管が筐体の入口管支持部と出口管支持部との間で保持される。各管支持部は雄接合部と雌接合部とを含み、入口支持部では、雄接合部が管の内側に嵌合するように構成されて寸法付けられるとともに、雌接合部が流体供給源へ延びる管を受けるように構成されて寸法付けられ、また、出口支持部では、雄接合部が管の内側に嵌合するように構成されて寸法付けられるとともに、雌接合部が患者へ延びる管の長尺部を受けるように構成されて寸法付けられる。
【０１０４】
[00104]一実施形態において、フロー防止弁手段がベースを含み、該ベースは、可撓管をベースと作用的に係合する状態に保持するための保持手段と、第１のクランプ面と、コネクタを支持するための支持手段とを含み、また、フロー防止弁手段は、可撓管と係合可能な第２のクランプ面を有するクランプ要素であって、可撓管を通じた流体の流れを可能にする開位置と可撓管がクランプ要素によって塞がれる閉位置との間で移動できるクランプ要素と、可撓管を患者のポートと接続するコネクタであって、ピンチクランプアセンブリから取り外すことができるコネクタと、ばねとを含む。コネクタは、クランプ要素を開位置に保持するべくクランプ要素と係合するように構成されていてもよく、また、クランプ要素は、コネクタがピンチクランプアセンブリから取り外されると直ぐにばねの力によって開位置から閉位置へ押し進められ、また、クランプ要素は、ピンチクランプアセンブリが経腸栄養ポンプまたは輸液ポンプに取り付けられてコネクタが取り外されるときに閉位置から開位置へ移動されるように構成されている。クランプ要素がベースに蝶着されてもよい。
【０１０５】
[00105]一実施形態において、コネクタは、経腸スパイク、IVスパイク、経腸栄養アダプタ、IVルアーロックアダプタ、他の経腸またはIV構成要素、または、これらの組み合わせから成るグループから選択される。コネクタは、クランプ要素および／または支持手段にねじ結合されてもよい。
【０１０６】
[00106]一実施形態において、ベースは、ピンチクランプアセンブリを経腸栄養ポンプまたは輸液ポンプに一体に取り付けることができるようにカセットとして形成される。ベース、クランプ要素、およびコネクタは熱可塑性物質などの再利用可能なプラスチック材料から形成されてもよく、また、ばねは金属から形成されてもよい。管はシリコンから形成されてもよい。
【０１０７】
[00107]一実施形態において、ベースは、ばねを受け入れるための円筒形状の保持要素を含む。
【０１０８】
[00108]一実施形態において、クランプ要素は、管閉塞部を伴う第１の脚部と、ばねと係合するための手段とコネクタと係合するための保持部とを有する第２の脚部と、ベース上の適切な座部と係合するように構成されているスイベルピンとを含む。保持部は、コネクタの先端を受け入れるように構成されているキャップとして構成されてもよい。
【０１０９】
[00109]一実施形態では、第１および／または第２のクランプ面が、平らでなく、波形であり、またはフィンが付いている。
【０１１０】
[00110]一実施形態では、ベースが第１および第２の内壁を含み、これらの内壁間にクランプ要素が配置される。
【０１１１】
[00111]一実施形態において、フロー防止弁手段は、締め付け器を有する筐体と、筐体に取り付けられて締め付け器を貫通して配置される管と、管の内側に配置されるボールとを含む。締め付け器は、締め付け器に隣接する位置でボールが管を通って移動するのを防止するように構成されて配置されてもよい。管は、入口ポートに取り付けられる第１の端部と、出口ポートに取り付けられる第２の端部とを含んでもよい。入口ポートは、ボールが入口ポートに入らないように寸法付けられる。
【０１１２】
[00112]一実施形態において、フロー防止弁手段は、ロック部材とばねとを伴うフロー制限器を有する筐体と、筐体に取り付けられてフロー制限器に隣接して配置される管とを含む。ロック部材は、ポンプ装置内に挿入されるときに回転するように構成されて配置されてもよい。
【０１１３】
[00113]一実施形態において、筐体は、フロー制限器とは反対の管の側に管に隣接して配置されるストッパを更に含む。フロー制限器およびストッパは、フロー制限器が休止位置にあるときに管を閉塞してもよい。フロー制限器およびストッパは、フロー制限器が作動位置にあるときに流体が管を通じて流れることができるようにする。
【０１１４】
[00114]一実施形態では、管の少なくとも一部が柔軟である。
【０１１５】
[00115]一実施形態において、カセットは筐体の上面に突起を含む。突起は、略円筒形状であってもよく、また、筐体の長手方向の中間に配置されてもよい。突起は、筐体の上面の外側部分に配置されてもよい。突起は、カセットをポンプ装置内の所定位置にロックするためにポンプ装置のラッチ機構と協働するように構成されて配置される。
【０１１６】
[00116]一実施形態では、カセットが筐体の少なくとも１つの縁部に切り欠きを含む。縁部はカセットの筐体の凹部領域に隣接する。切り欠きは、半円、「Ｖ」形状、楕円、正方形、長方形、または、これらの組み合わせから成るグループから選択される形状を有してもよい。一実施形態では、切り欠きが略「Ｖ」形状を成す。「Ｖ」形状は、縁部の切断部および傾斜部によって画定される。切り欠きは、カセットがポンプ装置内に挿入されるときに可撓管を部分的に受けるように構成されて配置されてもよい。
【０１１７】
[00117]一実施形態では、カセットがカセットの筐体の側壁に少なくとも１つのタブ部材を含む。カセットは、カセットの少なくとも２つの側に少なくとも１つのタブ部材を含んでもよい。タブ部材は、ポンプ装置の内壁の棚部と連携し、カセットをポンプ装置内への挿入中に案内するように構成されて配置されてもよい。タブ部材は、半円、正方形、長方形、楕円、三角形、翼形状、または、これらの組み合わせから成るグループから選択される形状を有する。一実施形態では、タブ部材が略翼形状を成す。タブ部材は、カセットと一体に形成されてもよく、または、カセットの側面に取り付けられてもよい。
【０１１８】
[00118]一実施形態では、カセットが少なくとも１つの方向表示を含む。方向表示はカセットの筐体の表面上に配置される。方向表示は、文字、書き込み表示、ロゴ、記号、数字、または、これらの組み合わせから成るグループから選択される表示である。一実施形態では、カセットが少なくとも２つの方向表示を含む。方向表示はカセットの筐体の壁に付着されるステッカであってもよい。方向表示は、エッチング、レーザ加工、成形、形成、または、それらの組み合わせから成るグループから選択される技術を使用してカセットの筐体の壁に適用されてもよい。方向表示は、カセットがポンプ装置内に挿入されるときのカセットの適切な方向を示す。
【０１１９】
[00119]更なる他の実施形態では、カセットが設けられ、該カセットは、可撓管と、筐体と、フリーフロー防止弁機構とを含む。フリーフロー防止弁機構は、作動部を有するキャップと、管遮断部を有する弁アームとを含む。
【０１２０】
[00120]一実施形態において、キャップは、略円筒状、長方形、球形、または、これらの組み合わせから成るグループから選択される形状を有する。キャップは、カセットの外側の先端部に配置されてもよく、または、カセットの内側の底部に配置されてもよい。
【０１２１】
[00121]一実施形態において、キャップの作動部は、キャップの長手方向に対して略垂直な方向でキャップから延びる。キャップの作動部は、略円筒状、長方形、三角形、球形、または、これらの組み合わせから成るグループから選択される形状を有してもよい。キャップの作動部は、キャップから離れる作動部の端部に切り欠き部を有してもよい。作動部の切り欠き部は、弁アームの少なくとも一部と係合するように構成される。キャップの作動部はカセットの穴に挿入するように構成されてもよい。
【０１２２】
[00122]一実施形態において、カセットは、カセットの作動部が穴に挿入されるときにキャップと当接するように構成されるストッパを更に含む。ストッパは、略円形、三角形、長方形、または、これらの組み合わせから成るグループから選択される形状を有する。ストッパは、カセットの長手方向に対して略垂直な方向でカセットから延びる。
【０１２３】
[00123]一実施形態において、キャップは略中空であり、可撓管の一部を受けるように構成される。
【０１２４】
[00124]一実施形態では、弁アームが管保持部を含む。管保持部は弁アームの前端から延びてもよい。管保持部は、弁アームの長手方向に対して略垂直な方向で延びてもよい。
【０１２５】
[00125]一実施形態において、弁アームは、カセットの接続要素と係合するように構成されて配置されるコネクタ部を含む。コネクタ部は、略「Ｃ」形状、円形、長方形、半球形、または、これらの組み合わせから成るグループから選択される形状を有する。弁アームのコネクタ部は、カセットの接続要素を中心に回転するように構成されてもよい。
【０１２６】
[00126]一実施形態において、カセットの接続要素は、カセットの穴に存在して該穴の２つの対向する側面を接続するバーを含んでもよい。バーは、略円筒状、長方形、または、これらの組み合わせから成るグループから選択される形状を有してもよい。
【０１２７】
[00127]一実施形態において、弁アームは、弁アームの上面に突起を含む。突起は、カセットがポンプ装置内に挿入されるときにポンプ装置のタブ部材と相互に作用するように構成されてもよい。タブ部材は、弁アームの遮断位置の付勢に打ち勝ち且つ弁アームをフリーフロー位置へ移動させるべく弁アームの突起と協働する。
【０１２８】
[00128]更に他の実施形態では、カセットが設けられ、該カセットは、可撓管と、筐体と、フリーフロー防止弁機構とを含む。フリーフロー防止弁機構は、作動部を有するキャップと、フック部を有するルアーと、管遮断部を有する弁アームとを含む。
【０１２９】
[00129]一実施形態において、キャップは、略円筒状、長方形、球形、または、これらの組み合わせから成るグループから選択される形状を有する。キャップは、カセットの外側の先端部に配置されてもよい。また、キャップは、カセットの内側の底部に配置されてもよい。
【０１３０】
[00130]一実施形態において、キャップの作動部は、キャップの長手方向に対して略垂直な方向でキャップから延びる。キャップの作動部は、略円筒状、長方形、三角形、球形、または、これらの組み合わせから成るグループから選択される形状を有する。
【０１３１】
[00131]一実施形態において、キャップの作動部は、キャップから離れる作動部の端部に切り欠き部を含む。作動部の切り欠き部は、弁アームの少なくとも一部と係合するように構成される。
【０１３２】
[00132]一実施形態において、キャップの作動部はカセットの先端の第１の穴に挿入されるように構成されてもよい。
【０１３３】
[00133]一実施形態において、キャップは略中空であり、ルアーの端部を受けるように構成される。ルアーは、治療と共に使用するための患者ラインの対応するねじ部と係合するように構成されるねじ部を含む。また、ルアーは、ルアーを把持して回転させるためのフィン部も含む。ルアーのフック部は、カセットの先端の第２の穴に挿入するように構成される。一般に、ルアーは、治療のためのカセットの使用の前にキャップの中空部に挿入されるように構成される。
【０１３４】
[00134]一実施形態では、弁アームが管保持部を含む。管保持部は弁アームの前端から延びてもよい。管保持部は、弁アームの長手方向に対して略垂直な方向で延びてもよい。
【０１３５】
[00135]一実施形態において、弁アームは、カセットの接続要素と係合するように構成されて配置されるコネクタ部を含む。コネクタ部は、略「Ｃ」形状、円形、長方形、半球形、または、これらの組み合わせから成るグループから選択される形状を有する。弁アームのコネクタ部は、カセットの接続要素を中心に回転するように構成されてもよい。
【０１３６】
[00136]一実施形態において、カセットの接続要素は、カセットの穴に存在して該穴の２つの対向する側面を接続するバーを含んでもよい。バーは、略円筒状、長方形、または、これらの組み合わせから成るグループから選択される形状を有してもよい。
【０１３７】
[00137]一実施形態において、弁アームは、弁アームの上面に突起を含む。突起は、カセットがポンプ装置内に挿入されるときにポンプ装置のタブ部材と相互に作用するように構成されてもよい。タブ部材は、弁アームの遮断位置の付勢に打ち勝ち且つ弁アームをフリーフロー位置へ移動させるべく弁アームの突起と協働する。
【０１３８】
[00138]他の実施形態では、カセットが設けられ、該カセットは、可撓管と、筐体と、フリーフロー防止弁機構とを含む。フリーフロー防止弁機構は、作動部を有するルアーと、キャップと、管遮断部を有する弁アームとを含む。
【０１３９】
[00139]一実施形態において、キャップは、略円筒状、長方形、球形、または、これらの組み合わせから成るグループから選択される形状を有する。キャップは、カセットの外側の先端部に配置されてもよい。また、キャップは、カセットの内側の底部に配置されてもよい。
【０１４０】
[00140]一実施形態において、キャップは略中空であり、ルアーの端部を受けるように構成される。ルアーは、治療と共に使用するための患者ラインと係合するように構成されるテーパ形状を有してもよい。ルアーの作動部は、ルアーの長手方向に対して略平行な方向でルアーから延びる。ルアーの作動部は、略円筒状、長方形、三角形、球形、または、これらの組み合わせから成るグループから選択される形状を有する。ルアーの作動部は、カセットの少なくとも１つのブラケットに挿入するように構成される。ルアーは、治療のためのカセットの使用の前にキャップの中空部に挿入されるように構成される。
【０１４１】
[00141]一実施形態では、弁アームが管保持部を含む。管保持部は弁アームの前端から延びてもよい。管保持部は、弁アームの長手方向に対して略垂直な方向で延びてもよい。
【０１４２】
[00142]一実施形態において、弁アームは、カセットの接続要素と係合するように構成されて配置されるコネクタ部を含む。コネクタ部は、略「Ｃ」形状、円形、長方形、半球形、または、これらの組み合わせから成るグループから選択される形状を有する。コネクタ部は、弁アームの両側に２つの同軸の球状部を含んでもよい。
【０１４３】
[00143]一実施形態において、カセットの接続要素は、カセットの穴に存在して該穴の２つの対向する側面を接続するバーを含んでもよい。バーは、略円筒状、長方形、または、これらの組み合わせから成るグループから選択される形状を有してもよい。
【０１４４】
[00144]一実施形態において、カセットの接続要素は、カセットの穴の両側に配置される第１および第２のペグを含む。
【０１４５】
[00145]一実施形態において、弁アームのコネクタ部は、カセットの接続要素を中心に回転するように構成される。
【０１４６】
[00146]一実施形態において、弁アームは、弁アームの上面に突起を含む。突起は、カセットがポンプ装置内に挿入されるときにポンプ装置のタブ部材と相互に作用するように構成される。タブ部材は、弁アームの遮断位置の付勢に打ち勝ち且つ弁アームをフリーフロー位置へ移動させるべく弁アームの突起と協働する。
【０１４７】
[00147]更なる他の実施形態では、流体を患者へ供給する方法が提供される。該方法は、キャップの作動部をカセットから取り外すステップと、可撓管の端部をキャップから外すステップと、可撓管の端部を患者ラインに接続するステップと、カセットを使用して流体を患者内へ圧送するステップとを含む。カセットは、可撓管と、筐体と、管遮断部を有する弁アームとを含む。
【０１４８】
[00148]一実施形態において、方法は、キャップの作動部がカセットから取り外されるときに弁アームが付勢された管遮断位置へ戻ることができるようにするステップを含む。
【０１４９】
[00149]一実施形態において、キャップの作動部は、弁アームの一部と係合するように構成されて配置される。
【０１５０】
[00150]一実施形態において、キャップは、略円筒状、長方形、球形、または、これらの組み合わせから成るグループから選択される形状を有する。キャップは、カセットの外側の先端部に配置されてもよい。また、キャップは、カセットの内側の底部に配置されてもよい。キャップの作動部は、キャップの長手方向と略垂直な方向でキャップから延びる。キャップの作動部は、略円筒状、長方形、三角形、球形、または、これらの組み合わせから成るグループから選択される形状を有する。
【０１５１】
[00151]一実施形態において、キャップの作動部は、キャップから離れる作動部の端部に切り欠き部を含む。作動部の切り欠き部は、弁アームの少なくとも一部と係合するように構成される。
【０１５２】
[00152]一実施形態において、キャップの作動部はカセットの穴に挿入するように構成されてもよい。
【０１５３】
[00153]一実施形態において、カセットは、カセットの作動部が穴に挿入されるときにキャップと当接するように構成されるストッパを更に含む。ストッパは、略円形、三角形、長方形、または、これらの組み合わせから成るグループから選択される形状を有する。ストッパは、カセットの長手方向に対して略垂直な方向でカセットから延びる。
【０１５４】
[00154]一実施形態において、キャップは略中空であり、患者管ラインの端部を受けるように構成される。
【０１５５】
[00155]一実施形態では、弁アームが管保持部を含む。管保持部は弁アームの前端から延びてもよい。管保持部は、弁アームの長手方向に対して略垂直な方向で延びてもよい。
【０１５６】
[00156]一実施形態において、弁アームは、カセットの接続要素と係合するように構成されて配置されるコネクタ部を含む。コネクタ部は、略「Ｃ」形状、円形、長方形、半球形、または、これらの組み合わせから成るグループから選択される形状を有する。
【０１５７】
[00157]一実施形態において、カセットの接続要素は、カセットの穴に存在して該穴の２つの対向する側面を接続するバーを含む。バーは、略円筒状、長方形、または、これらの組み合わせから成るグループから選択される形状を含む。
【０１５８】
[00158]一実施形態において、弁アームのコネクタ部は、カセットの接続要素を中心に回転するように構成される。
【０１５９】
[00159]一実施形態において、弁アームは、弁アームの上面に突起を含む。突起は、カセットがポンプ装置内に挿入されるときにポンプ装置のタブ部材と相互に作用するように構成される。タブ部材は、弁アームの遮断位置の付勢に打ち勝ち且つ弁アームをフリーフロー位置へ移動させるべく弁アームの突起と協働する。
【０１６０】
[00160]更なる他の実施形態では、流体を患者へ圧送するための輸液ポンプの安全な使用を高める方法が提供される。該方法は、輸液ポンプと共に使用するように構成されるカセットを準備するステップを含み、カセットは、可撓管と、筐体と、管遮断部を有する弁アームと、弁アームの一部と係合するように構成されて配置される作動部を有するキャップとを含む。
【０１６１】
[00161]一実施形態において、キャップは、略円筒状、長方形、球形、または、これらの組み合わせから成るグループから選択される形状を有する。
【０１６２】
[00162]一実施形態において、キャップは、カセットの外側の先端部に配置されてもよい。また、キャップは、カセットの内側の底部に配置されてもよい。
【０１６３】
[00163]一実施形態において、キャップの作動部は、キャップの長手方向に対して略垂直な方向でキャップから延びる。キャップの作動部は、略円筒状、長方形、三角形、球形、または、これらの組み合わせから成るグループから選択される形状を有する。
【０１６４】
[00164]一実施形態において、キャップの作動部は、キャップから離れる作動部の端部に切り欠き部を含む。作動部の切り欠き部は、弁アームの少なくとも一部と係合するように構成される。
【０１６５】
[00165]一実施形態において、キャップの作動部はカセットの穴に挿入されるように構成される。
【０１６６】
[00166]一実施形態において、カセットは、カセットの作動部が穴に挿入されるときにキャップと当接するように構成されるストッパを更に含む。ストッパは、略円形、三角形、長方形、または、これらの組み合わせから成るグループから選択される形状を有する。ストッパは、カセットの長手方向に対して略垂直な方向でカセットから延びる。
【０１６７】
[00167]一実施形態において、キャップは略中空であり、患者管ラインの端部を受けるように構成される。
【０１６８】
[00168]一実施形態では、弁アームが管保持部を含む。管保持部は弁アームの前端から延びてもよい。管保持部は、弁アームの長手方向に対して略垂直な方向で延びてもよい。
【０１６９】
[00169]一実施形態において、弁アームは、カセットの接続要素と係合するように構成されて配置されるコネクタ部を含む。コネクタ部は、略「Ｃ」形状、円形、長方形、半球形、または、これらの組み合わせから成るグループから選択される形状を有する。
【０１７０】
[00170]一実施形態において、カセットの接続要素は、カセットの穴に存在して該穴の２つの対向する側面を接続するバーを含む。バーは、略円筒状、長方形、または、これらの組み合わせから成るグループから選択される形状を有する。
【０１７１】
[00171]請求項４０８−４１１のいずれか一項に記載の方法では、弁アームのコネクタ部がカセットの接続要素を中心に回転するように構成される。
【０１７２】
[00172]一実施形態において、弁アームは、弁アームの上面に突起を含む。突起は、カセットがポンプ装置内に挿入されるときにポンプ装置のタブ部材と相互に作用するように構成される。タブ部材は、弁アームの遮断位置の付勢に打ち勝ち且つ弁アームをフリーフロー位置へ移動させるべく弁アームの突起と協働する。
【０１７３】
[00173]更なる他の実施形態では、流体を患者へ供給する方法が提供される。該方法は、キャップの作動部およびルアーのフック部をカセットから取り外すステップと、ルアーをキャップから外すステップと、ルアーを患者ラインに接続するステップと、カセットを使用して流体を患者内へ圧送するステップとを含む。カセットは、可撓管と、筐体と、管遮断部を有する弁アームとを含む。
【０１７４】
[00174]一実施形態において、キャップは、略円筒状、長方形、球形、または、これらの組み合わせから成るグループから選択される形状を有する。キャップは、カセットの外側の先端部に配置されてもよい。また、キャップは、カセットの内側の底部に配置されてもよい。
【０１７５】
[00175]一実施形態において、キャップの作動部は、キャップの長手方向に対して略垂直な方向でキャップから延びる。キャップの作動部は、略円筒状、長方形、三角形、球形、および、これらの組み合わせから成るグループから選択される形状を有する。
【０１７６】
[00176]一実施形態において、キャップの作動部は、キャップから離れる作動部の端部に切り欠き部を含む。作動部の切り欠き部は、弁アームの少なくとも一部と係合するように構成される。
【０１７７】
[00177]一実施形態において、キャップの作動部はカセットの先端の第１の穴に挿入するように構成される。
【０１７８】
[00178]一実施形態において、キャップは略中空であり、ルアーの端部を受けるように構成される。ルアーは、治療と共に使用するための患者ラインの対応するねじ部と係合するように構成されるねじ部を含む。ルアーは、ルアーを把持して回転させるためのフィン部を含む。フック部は、カセットの先端の第２の穴に挿入されるように構成される。
【０１７９】
[00179]一実施形態において、ルアーは、治療のためのカセットの使用の前にキャップの中空部に挿入されるように構成される。
【０１８０】
[00180]一実施形態では、弁アームが管保持部を含む。管保持部は弁アームの前端から延びてもよい。管保持部は、弁アームの長手方向に対して略垂直な方向で延びてもよい。
【０１８１】
[00181]一実施形態において、弁アームは、カセットの接続要素と係合するように構成されて配置されるコネクタ部を含む。コネクタ部は、略「Ｃ」形状、円形、長方形、半球形、または、これらの組み合わせから成るグループから選択される形状を有する。弁アームのコネクタ部は、カセットの接続要素を中心に回転するように構成される。
【０１８２】
[00182]一実施形態において、カセットの接続要素は、カセットの穴に存在して該穴の２つの対向する側面を接続するバーを含む。バーは、略円筒状、長方形、または、これらの組み合わせから成るグループから選択される形状を有する。
【０１８３】
[00183]一実施形態において、弁アームは、弁アームの上面に突起を含む。突起は、カセットがポンプ装置内に挿入されるときにポンプ装置のタブ部材と相互に作用するように構成される。タブ部材は、弁アームの遮断位置の付勢に打ち勝ち且つ弁アームをフリーフロー位置へ移動させるべく弁アームの突起と協働する。
【０１８４】
[00184]他の実施形態では、流体を患者へ圧送するための輸液ポンプの安全な使用を高める方法が提供される。該方法は、輸液ポンプと共に使用するように構成されるカセットを準備するステップを含み、カセットは、可撓管と、筐体と、管遮断部を有する弁アームと、弁アームの一部と係合するように構成されて配置される作動部を有するキャップと、フック部を有するルアーとを含む。
【０１８５】
[00185]一実施形態において、キャップは、略円筒状、長方形、球形、または、これらの組み合わせから成るグループから選択される形状を有する。キャップは、カセットの外側の先端部に配置されてもよい。また、キャップは、カセットの内側の底部に配置されてもよい。
【０１８６】
[00186]一実施形態において、キャップの作動部は、キャップの長手方向に対して略垂直な方向でキャップから延びる。キャップの作動部は、略円筒状、長方形、三角形、球形、または、これらの組み合わせから成るグループから選択される形状を有する。
【０１８７】
[00187]一実施形態において、キャップの作動部は、キャップから離れる作動部の端部に切り欠き部を含む。作動部の切り欠き部は、弁アームの少なくとも一部と係合するように構成される。
【０１８８】
[00188]一実施形態において、キャップの作動部は、カセットの先端の第１の穴に挿入するように構成される。
【０１８９】
[00189]一実施形態において、キャップは略中空であり、ルアーの端部を受けるように構成される。ルアーは、治療と共に使用するための患者ラインの対応するねじ部と係合するように構成されるねじ部を含む。ルアーは、ルアーを把持して回転させるためのフィン部も含む。フック部は、カセットの先端の第２の穴に挿入するように構成される。
【０１９０】
[00190]一実施形態において、ルアーは、治療のためのカセットの使用の前にキャップの中空部に挿入されるように構成される。
【０１９１】
[00191]一実施形態では、弁アームが管保持部を含む。管保持部は弁アームの前端から延びてもよい。管保持部は、弁アームの長手方向に対して略垂直な方向で延びてもよい。
【０１９２】
[00192]一実施形態において、弁アームは、カセットの接続要素と係合するように構成されて配置されるコネクタ部を含む。コネクタ部は、略「Ｃ」形状、円形、長方形、半球形、または、これらの組み合わせから成るグループから選択される形状を有する。
【０１９３】
[00193]一実施形態において、カセットの接続要素は、カセットの穴に存在して該穴の２つの対向する側面を接続するバーを含む。バーは、略円筒状、長方形、または、これらの組み合わせから成るグループから選択される形状を有する。
【０１９４】
[00194]一実施形態において、弁アームのコネクタ部は、カセットの接続要素を中心に回転するように構成される。
【０１９５】
[00195]一実施形態において、弁アームは、弁アームの上面に突起を含む。突起は、カセットがポンプ装置内に挿入されるときにポンプ装置のタブ部材と相互に作用するように構成される。タブ部材は、弁アームの遮断位置の付勢に打ち勝ち且つ弁アームをフリーフロー位置へ移動させるべく弁アームの突起と協働する。
【０１９６】
[00196]更なる他の実施形態では、流体を患者へ供給する方法が提供される。該方法は、ルアーの作動部をカセットから取り外すステップと、ルアーをキャップから外すステップと、ルアーを患者ラインに接続するステップと、カセットを使用して流体を患者内へ圧送するステップとを含む。カセットは、可撓管と、筐体と、管遮断部を有する弁アームとを含む。
【０１９７】
[00197]一実施形態において、キャップは、略円筒状、長方形、球形、または、これらの組み合わせから成るグループから選択される形状を有する。キャップは、カセットの外側の先端部に配置されてもよい。また、キャップは、カセットの内側の底部に配置されてもよい。
【０１９８】
[00198]一実施形態において、キャップは略中空であり、ルアーの端部を受けるように構成される。
【０１９９】
[00199]一実施形態において、ルアーは、治療と共に使用するための患者ラインと係合するように構成されるテーパ形状を有する。
【０２００】
[00200]一実施形態において、ルアーの作動部は、ルアーの長手方向に対して略平行な方向でルアーから延びる。ルアーの作動部は、略円筒状、長方形、三角形、球形、または、これらの組み合わせから成るグループから選択される形状を有する。ルアーの作動部は、カセットに配置される少なくとも１つのブラケットに挿入されるように構成される。
【０２０１】
[00201]一実施形態において、ルアーは、治療のためのカセットの使用の前にキャップの中空部に挿入されるように構成される。
【０２０２】
[00202]一実施形態では、弁アームが管保持部を含む。管保持部は弁アームの前端から延びる。管保持部は、弁アームの長手方向に対して略垂直な方向で延びる。
【０２０３】
[00203]一実施形態において、弁アームは、カセットの接続要素と係合するように構成されて配置されるコネクタ部を含む。コネクタ部は、略「Ｃ」形状、円形、長方形、半球形、または、これらの組み合わせから成るグループから選択される形状を有する。
【０２０４】
[00204]一実施形態において、コネクタ部は、弁アームの両側に２つの同軸の球状部を含む。
【０２０５】
[00205]一実施形態において、カセットの接続要素は、カセットの穴に存在して該穴の２つの対向する側面を接続するバーを含む。バーは、略円筒状、長方形、または、これらの組み合わせから成るグループから選択される形状を含む。
【０２０６】
[00206]一実施形態において、カセットの接続要素は、カセットの穴の両側に配置される第１および第２のペグを含む。
【０２０７】
[00207]一実施形態において、弁アームのコネクタ部は、カセットの接続要素を中心に回転するように構成される。
【０２０８】
[00208]一実施形態において、弁アームは、弁アームの上面に突起を含む。突起は、カセットがポンプ装置内に挿入されるときにポンプ装置のタブ部材と相互に作用するように構成される。タブ部材は、弁アームの遮断位置の付勢に打ち勝ち且つ弁アームをフリーフロー位置へ移動させるべく弁アームの突起と協働する。
【０２０９】
[00209]更なる他の実施形態では、流体を患者へ圧送するための輸液ポンプの安全な使用を高める方法が提供される。該方法は、輸液ポンプと共に使用するように構成されるカセットを準備するステップを含み、カセットは、可撓管と、筐体と、管遮断部を有する弁アームと、キャップと、弁アームの一部と係合するように構成されて配置される作動部を有するルアーとを含む。
【０２１０】
[00210]一実施形態において、キャップは、略円筒状、長方形、球形、または、これらの組み合わせから成るグループから選択される形状を有する。キャップは、カセットの外側の先端に配置されてもよい。また、キャップは、カセットの内側の底部に配置されてもよい。
【０２１１】
[00211]一実施形態において、キャップは略中空であり、ルアーの端部を受けるように構成される。ルアーは、治療と共に使用するための患者ラインと係合するように構成されるテーパ形状を有する。ルアーの作動部は、ルアーの長手方向に対して略平行な方向でルアーから延びる。
【０２１２】
[00212]一実施形態において、ルアーの作動部は、略円筒状、長方形、三角形、球形、または、これらの組み合わせから成るグループから選択される形状を有する。ルアーの作動部は、カセットに配置された少なくとも１つのブラケットに挿入するように構成される。
【０２１３】
[00213]一実施形態において、ルアーは、治療のためのカセットの使用の前にキャップの中空部に挿入されるように構成される。
【０２１４】
[00214]一実施形態では、弁アームが管保持部を含む。管保持部は弁アームの前端から延びる。管保持部は、弁アームの長手方向に対して略垂直な方向で延びる。
【０２１５】
[00215]一実施形態において、弁アームは、カセットの接続要素と係合するように構成されて配置されるコネクタ部を含む。コネクタ部は、略「Ｃ」形状、円形、長方形、半球形、または、これらの組み合わせから成るグループから選択される形状を含む。
【０２１６】
[00216]一実施形態において、コネクタ部は、弁アームの両側に２つの同軸の球状部を含む。
【０２１７】
[00217]一実施形態において、カセットの接続要素は、カセットの穴に存在して該穴の２つの対向する側面を接続するバーを含んでもよい。バーは、略円筒状、長方形、または、これらの組み合わせから成るグループから選択される形状を有する。
【０２１８】
[00218]一実施形態において、カセットの接続要素は、カセットの穴の両側に配置される第１および第２のペグを含む。
【０２１９】
[00219]一実施形態において、弁アームのコネクタ部は、カセットの接続要素を中心に回転するように構成される。
【０２２０】
[00220]一実施形態において、弁アームは、弁アームの上面に突起を含む。突起は、カセットがポンプ装置内に挿入されるときにポンプ装置のタブ部材と相互に作用するように構成される。タブ部材は、弁アームの遮断位置の付勢に打ち勝ち且つ弁アームをフリーフロー位置へ移動させるべく弁アームの突起と協働する。
【０２２１】
[00221]改良されたカセットを提供することが本開示の利点である。
【０２２２】
[00222]また、改良された流体送出システムを提供することが本開示の利点である。
【０２２３】
[00223]改良されたカセットを使用する方法を提供することが本開示の更なる他の利点である。
【０２２４】
[00224]管ライン内のエアーを検出できるカセットを提供することが本開示の更なる他の利点である。
【０２２５】
[00225]管ライン内の閉塞を検出できるカセットを提供することが本開示の他の利点である。
【０２２６】
[00226]管ラインのねじれまたは圧着を防止するカセットを提供することが本開示の利点である。
【０２２７】
[00227]改良されたフロー制御装置を提供することが本開示の更なる他の利点である。
【０２２８】
[00228]流体送出システムのための改良されたロック機構を提供することが本開示の更なる他の利点である。
【０２２９】
[00229]カセットを流体送出システムに挿入するための改良された案内システムを提供することが本開示の他の利点である。
【０２３０】
[00230]更なる特徴および利点は、本明細書中に記載されており、以下の詳細な説明および図面から明らかである。
【図面の簡単な説明】
【０２３１】
【図１】本開示の一実施形態に係るカセットの第１の面と、第１および第２の外壁との斜視図である。
【図２】本開示の一実施形態に係る流体流れを観察するための窓を示すカセットの第２の面の図である。
【図３】本開示の一実施形態に係る輸液ポンプに挿入されないときのデフォルトの付勢されている非送出位置にあるフロー防止弁機構に取り付けられるタブ部材を示す本開示の一実施形態のカセットの第１の面の図である。
【図４】本開示の一実施形態に係る非送出位置にあるときのフロー防止弁機構の詳細を示す拡大内部斜視図である。
【図５】本開示の一実施形態に係る輸液ポンプに挿入されるときの付勢されていない送出位置にあるフロー防止弁機構に取り付けられるタブ部材を示すカセットの第１の面の図である。
【図６】本開示の一実施形態に係る送出位置にあるフロー防止弁機構の詳細を示す拡大内部斜視図である。
【図７】本開示の一実施形態に係るカセットの内部アセンブリの斜視図である。
【図８】本開示の一実施形態に係る開放領域を形成するために切り欠かれる第１および第２の面の一部を伴わない筐体の他の実施形態を示すカセットの斜視図である。
【図９】本開示の一実施形態に係るポンプ内へのカセットの挿入のためのカセット管およびタブ部材とポンプ機構および係合機構との係合段階を示す図である。
【図１０】本開示の一実施形態に係るポンプ内へのカセットの挿入のためのカセット管およびタブ部材とポンピング機構および係合機構との係合段階を示す図である。
【図１１】本開示の一実施形態に係るポンプ内へのカセットの挿入のためのカセット管およびタブ部材とポンピング機構および係合機構との係合段階を示す図である。
【図１２】本開示の一実施形態に係るポンプ内へのカセットの挿入のためのカセット管およびタブ部材とポンピング機構および係合機構との係合段階を示す図である。
【図１３】本開示の一実施形態に係るカセットの斜視図を示している。
【図１４】本開示の一実施形態に係るカセットの正面図を示している。
【図１５】本開示の一実施形態に係るカセットの平面図を示している。
【図１６】本開示の一実施形態に係るカセットの側面図を示している。
【図１７】本開示の一実施形態に係るピンチクランプアセンブリのクランプ要素の斜視図を示している。
【図１８】本開示の一実施形態に係るピンチクランプアセンブリのクランプ要素の斜視図を示している。
【図１９】本開示の一実施形態に係るピンチクランプアセンブリのクランプ要素の正面図を示している。
【図２０】本開示の一実施形態に係るピンチクランプアセンブリのクランプ要素の左側面図を示している。
【図２１】本開示の一実施形態に係るピンチクランプアセンブリのクランプ要素の平面図を示している。
【図２２】本開示の一実施形態に係るピンチクランプアセンブリのクランプ要素の右側面図を示している。
【図２３】本開示の一実施形態に係るピンチクランプアセンブリのクランプ要素の斜視図を示している。
【図２４】本開示の一実施形態に係るピンチクランプアセンブリのクランプ要素の斜視図を示している。
【図２５】本開示の一実施形態に係るピンチクランプアセンブリのクランプ要素の正面図を示している。
【図２６】本開示の一実施形態に係るピンチクランプアセンブリのクランプ要素の左側面図を示している。
【図２７】本開示の一実施形態に係るピンチクランプアセンブリのクランプ要素の平面図を示している。
【図２８】本開示の一実施形態に係るピンチクランプアセンブリのクランプ要素の右側面図を示している。
【図２９】本開示の一実施形態に係るピンチクランプアセンブリの分解斜視図を示している。
【図３０】本開示の一実施形態に係るばねを有するピンチクランプアセンブリを示している。
【図３１】本開示の一実施形態に係るピンチクランプアセンブリの分解斜視図を示している。
【図３２】本開示の一実施形態に係るピンチクランプアセンブリの分解斜視図を示している。
【図３３】本開示の一実施形態に係る送出状態のピンチクランプアセンブリの斜視図を示している。
【図３４】本開示の一実施形態に係るピンチクランプアセンブリを示している。
【図３５】本開示の一実施形態に係るピンチクランプアセンブリを示している。
【図３６】本開示の一実施形態に係るクランプ要素が除去されたピンチクランプアセンブリの斜視図である。
【図３７】本開示の一実施形態に係るクランプ要素が除去されたピンチクランプアセンブリの斜視図である。
【図３８】本開示の一実施形態に係るフリーフロー防止機構を有するカセットおよびポンプ装置を示している。
【図３９】本開示の一実施形態に係るフリーフロー防止機構を有するカセットを示している。
【図４０】図３９に示されるフリーフロー防止機構のXL−XL断面図を示している。
【図４１】図３９に示されるフリーフロー防止機構の部分側面図を示している。
【図４２】図４０に示されるフリーフロー防止機構のXLII−XLII断面図を示している。
【図４３】本開示の一実施形態に係るフリーフロー防止機構を有するカセットを示している。
【図４４】本開示の一実施形態に係るフロー制限機構を有するカセットおよびポンプ装置を示している。
【図４５】本開示の一実施形態に係るカセットがポンプ装置内に挿入された状態の図４４のカセットおよびポンプ装置を示している。
【図４６】本開示の一実施形態に係るフロー制限機構を有するカセットを示している。
【図４７】本開示の一実施形態に係るフロー制限機構を有するカセットの分解図を示している。
【図４８】本開示の一実施形態に係るセンサシステムを有するカセットおよびポンプ装置を示している。
【図４９】本開示の一実施形態に係るカセットがポンプ装置内に挿入された状態の図４８のカセットおよびポンプ装置を示している。
【図５０】本開示の一実施形態に係る検出チャンバを示している。
【図５１】本開示の一実施形態に係る図５０の検出チャンバを使用する赤外線反射センサを示している。
【図５２】本開示の一実施形態に係る空気ラインセンサのための誤検出構成要素を有するカセットおよびポンプ装置を示している。
【図５３】本開示の一実施形態に係る閉塞センサシステムを有するカセットおよびポンプ装置を示している。
【図５４】本開示の一実施形態に係るカセットがポンプ装置内に挿入された状態の図５３のカセットおよびポンプ装置を示している。
【図５５】本開示の一実施形態に係るチューブ内の閉塞の検出を示している。
【図５６】本開示の一実施形態に係るチューブ内の閉塞の検出を示している。
【図５７】本開示の一実施形態に係るチューブ内の閉塞の検出を示している。
【図５８】本開示の一実施形態に係るチューブ内の閉塞の検出を示している。
【図５９】本開示の一実施形態に係るチューブ内の閉塞の検出を示している。
【図６０】本開示の一実施形態に係るチューブ内の閉塞の検出を示している。
【図６１】本開示の一実施形態に係る閉塞センサのための誤検出構成要素を有するカセットおよびポンプ装置を示している。
【図６２】本開示の一実施形態に係る閉塞センサ装置および空気ラインセンサ装置の両方を有するカセットおよびポンプ装置を示している。
【図６３】本開示の一実施形態に係る閉塞センサおよび空気ラインセンサによって測定される粘性がない残渣が少ない送出物に関する送出物からエアーへの移行を表わすグラフを示している。
【図６４】本開示の一実施形態に係る閉塞センサおよび空気ラインセンサによって測定される粘性がある残渣が多い送出物に関する送出物からエアーへの移行を表わすグラフを示している。
【図６５】本開示の一実施形態に係る閉塞センサおよび空気ラインセンサによって測定される粘性がない水様性送出物に関する送出物からエアーへの移行を表わすグラフを示している。
【図６６】本開示の一実施形態に係る閉塞センサおよび空気ラインセンサによって測定される多くの量のペプチド系タンパク質を含む送出物／水混合物に関する送出物からエアーへの移行を表わすグラフを示している。
【図６７】本開示の一実施形態に係る切り欠きを伴う筐体を有するカセットを示している。
【図６８】本開示の一実施形態に係る切り欠きを伴う筐体を有するカセットを示している。
【図６９】本開示の一実施形態に係るラッチ機構を含むカセットおよびポンプ装置を示している。
【図７０】本開示の一実施形態に係るラッチ機構を含むカセットおよびポンプ装置を示している。
【図７１】本開示の一実施形態に係るラッチ機構を含むカセットおよびポンプ装置を示している。
【図７２】本開示の一実施形態に係るラッチ機構を含むカセットおよびポンプ装置を示している。
【図７３】本開示の一実施形態に係るラッチ機構を含むポンプ装置を示している。
【図７４】本開示の一実施形態に係るカセットおよびポンプ装置を示している。
【図７５】本開示の一実施形態に係るカセットおよびポンプ装置を示している。
【図７６】本開示の一実施形態に係るポンプ装置を示している。
【図７７】本開示の一実施形態に係るカセットを示している。
【図７８】本開示の一実施形態に係るフリーフロー防止機構を有するカセットの底面斜視図を示している。
【図７９】本開示の一実施形態に係るフリーフロー防止機構を有するカセットと共に使用するためのキャップを示している。
【図８０】本開示の一実施形態に係るフリーフロー防止機構を有するカセットの斜視図を示している。
【図８１ａ】本開示の一実施形態に係るフリーフロー防止機構を有するカセットと共に使用するためのキャップを示している。
【図８１ｂ】本開示の一実施形態に係るフリーフロー防止機構を有するカセットと共に使用するためのルアーフックを示している。
【図８２】本開示の一実施形態に係るフリーフロー防止機構を有するカセットと共に使用するためのルアーフックおよびキャップを示している。
【図８３】本開示の一実施形態に係るカセットを示している。
【図８４】本開示の一実施形態に係るフリーフロー防止機構を有するカセットの分解斜視図を示している。
【図８５】本開示の一実施形態に係るフリーフロー防止機構を有するカセットの斜視図を示している。
【図８６】本開示の一実施形態に係るフリーフロー防止機構を有するカセットのクランプ要素を示している。
【図８７】本開示の一実施形態に係るフリーフロー防止機構を有するカセットの斜視図を示している。
【図８８】本開示の一実施形態に係るフリーフロー防止機構を有するカセットの斜視図を示している。
【図８９】本開示の一実施形態に係るフリーフロー防止機構を有するカセットの斜視図を示している。
【図９０】本開示の一実施形態に係るフリーフロー防止機構を有するカセットのクランプ要素を示している。
【発明を実施するための形態】
【０２３２】
[00303]本開示は、患者への流体送出用の輸液ポンプと該輸液ポンプに関連付けることができるカセットとを含む流体送出システムに関する。
【０２３３】
[00304]一実施形態において、カセットは、可撓管を保持するための第１および第２の端部を有する筐体を含み、管を通じて流体を方向付けることができる。管は、該管を通じて流体を移動させる輸液ポンプのポンピング機構と係合するように構成される。筐体は剛性湾曲壁を有する部分を有し、輸液ポンプと関連付けられると管の長尺部が湾曲壁に隣接してポンピング機構と係合し、管を通じて流体を移動させる。カセットは、ポンプと係合されないときに管を通じたフリーフローを防止するためにフロー防止弁機構を含んでもよい。
【０２３４】
[00305]一実施形態では、カセットが非反射材料から形成される。一実施形態では、カセットに暗い顔料が加えられる。一実施形態では、周辺光がカセットに沿って伝わるのを防止するために、カセットに暗い顔料が加えられる。一実施形態では、カセットにカーボンブラック顔料が加えられる。一実施形態では、周辺光がカセットに沿って伝わるのを防止するために、カセットにカーボンブラック顔料が加えられる。
【０２３５】
[00306]カセットがフロー防止弁機構を含む一実施形態では、患者の安全を確保するために、フロー防止弁とポンピング機構との間の相互作用が重要である。例えば、カセットがポンピング機構と係合されないときには、フロー防止弁機構は、流体が管を通じて流れることができないようにする。あるいは、カセットがポンプ装置内に完全に挿入されると、ポンピング機構は、流体が管を通じて流れるのを防止するべく管を変形させる。一般に、患者への流体送出の前および後にフロー防止形態が常に維持されることが重要である。
【０２３６】
[00307]ポンプ装置内へのカセットの挿入中およびポンプ装置からのカセットの取り外し中、フロー防止弁機構は、管を通じた流れが妨げられるようにするべく構成されなければならない。例えば、カセットがポンプ装置内に挿入されているときには、フロー防止弁機構が解放する前にポンピング機構が管と係合して管を通じた流れを遮断することが重要である。したがって、ポンプ装置内への挿入前に、フロー防止弁機構が閉じられて、管を通じた流体の流れが遮断される。カセットがポンプ装置内に完全に挿入されると、フロー防止弁機構およびポンピング機構の両方が同時に管を通じた流れを遮断してもよい。カセットがポンプ装置内に完全に挿入されると、フロー防止弁機構が離脱して、ポンピング機構が管を通じたフリーフローを遮断してもよい。
【０２３７】
[00308]同様に、ポンプ装置からのカセットの取り外し中には、ポンピング機構が管から離脱する前にフロー防止弁機構が管と係合して管を通じた流れを遮断することが重要である。例えば、カセットがポンプ装置から取り外されているときには、ポンピング機構が解放する前にフロー防止弁機構が管と係合して管を通じた流れを遮断することが重要である。したがって、ポンプ装置からの取り外し前に、フロー防止弁機構が開放して、管を通じた流体の流れを可能にする。カセットが取り外されると、フロー防止弁機構が作動されてもよく、それにより、フロー防止弁機構およびポンピング機構の両方が同時に管を通じた流れを遮断してもよい。カセットがポンプ装置から取り外されて、ポンピング機構が管と接触しなくなると、フロー防止弁機構は依然として管を通じた流れを防止するように作動される。これらの一般的な原理は、フロー防止弁機構の使用を含む本開示に開示される実施形態のそれぞれに適用されてもよい。
【０２３８】
[00309]カセットは、リザーバから患者への流体のフリーフローを制御する専用の輸液ポンプと関連付けることができ、また、カセット／ポンプ流体送出システムは、そのような流体の制御された送出を行なう。カセットは、更なる独立した機構の相互作用を伴うことなく輸液ポンプとの関連によって作用するとともに、ポンプからの取り外し前または取り外し時に直ちに流体の流れを制限する。輸液ポンプは、患者への流体の制御された流れを可能にするべくカセット機構と係合する。
【０２３９】
[00310]一実施形態において、本開示は、IVバッグなどの流体リザーバと患者への静脈ラインとの間に接続されるカセットに関する。実施形態は、略長方形形状を成し且つ輸液ポンプの開口内に嵌合するように構成されて寸法付けられる幅を伴う筐体を有し、この場合、筐体は４つの外壁と２つの面とを有する。
【０２４０】
[00311]互いに対向して配置される第１および第３の外壁は、流体を方向付けて流通させる管を保持するための第１および第２の端部を画定する。第１および第２の端部を形成する外壁はそれぞれ開口を伴う平坦な壁を有し、開口は、該開口を通過する入口管支持部または出口管支持部のいずれかと嵌合するように構成されて寸法付けられる。他の実施形態では、管支持部が筐体一体をなす部分として形成される。したがって、管支持部は、カセットの筐体への組み立てを必要とする別個の構成要素ではなく、筐体の成形される特徴部である。
【０２４１】
[00312]可撓管は、管支持部の雄接合部上に被嵌されて、カセットの端部間で直線状に保持される。管の位置は、露出されまたは被覆され得る筐体の部分を横断する。
【０２４２】
[00313]第１の外壁と第３の外壁との間に位置し且つこれらの外壁に対して垂直な第２の外壁は、２つの直線壁部分と、２つの直線壁部分間に配置される剛性湾曲壁部分とを有し、それにより、管を通じて流体を移動させるために輸液ポンプと関連付けられるときに、剛性湾曲壁を伴う部分に隣接して、管の長尺部がポンピング機構と係合する。剛性湾曲壁は、輸液ポンプのポンピング機構が自由に回転できるように構成されて寸法付けられており、可撓管が通過できる両側に開口を有する。ポンプと関連付けられると、管の長尺部が湾曲壁とポンピング機構との間でこれらと接触して配置される。湾曲壁は、ポンピング機構の繰り返し作用に耐えるように適切に強固で硬質でなければならない。
【０２４３】
[00314]筐体は、外壁と垂直関係を成す第１の面を有する。第１の面は、筐体の４つの壁の外側寸法に適合するように長方形状に構成して寸法付けることができ、あるいは、第３の外壁の湾曲壁部分と一致するように構成されて寸法付けられる切り欠き部を有する。第１の面は、輸液ポンプの対応する隆起部を受けるように構成されて寸法付けられる位置決め溝と、開口とを有し、該開口を貫通してタブ部材が突出し得る。
【０２４４】
[00315]筐体は、第１の面と反対側に、外壁と垂直関係を成す第２の面を有し、この第２の面は、筐体の４つの壁の外側寸法に適合するように長方形状に構成して寸法付けることができ、または、第３の外壁の湾曲壁部分と一致するように構成されて寸法付けられる切り欠き部を有する。これにより、切り欠き部を有する第１および第２の面は管を露出させる開放領域を形成し、一方、長方形の面は管を覆って保護する。第２の面は、少なくとも１つの開口を有するが、好ましくは筐体の両端に配置される２つの開口を有する。これらの開口は、管の位置と位置合わせされ、流体の観察および任意の気泡または異物の存在の観察を可能にするための窓として作用する。これは、湾曲部分内の管が両方の面によって覆われ、それにより、管のその部分の観察が妨げられる場合に特に重要である。
【０２４５】
[00316]一実施形態において、カセットは筐体と関連付けられるフロー防止弁機構を有し、フロー防止弁機構は可動部材と力付与部材とを含む。可動部材は、締付ヘッドと、筐体の第１の面の開口を貫通して可動部材および力付与部材の方向に対して垂直に延びるタブ部材とを含む。力付与部材は、カセットが輸液ポンプと関連付けられないときに可動部材を管に抗して付勢して流体の流れを防止する。可動部材を付勢するために使用される力付与部材は、圧縮ばね、リーフばね、または弾性部品であってもよい。可動部材は、力付与部材と接触する側に大きい面を有し、管と接触する側に狭い面を有する。狭い面は、力付与部材の力を集中させるように作用して、管に対する可動部材の閉鎖作用を高める。可動部材および締付ヘッドの全体の形態は幾つかの形状を有することができ、最も好ましい形状は「Ｔ形状」または「楔形状」である。また、可動部材は、管を押圧する端部と反対側に、力付与部材を所定位置に保持する座部を有することもできる。
【０２４６】
[00317]タブ部材は、筐体およびフロー防止弁機構と作用的に関連付けられ、流体非送出位置と流体送出位置との間で移動できる。カセットがポンプと関連付けられると、タブが押し戻され、それにより、関連する可動部材が可撓管と接触しないように引き込まれ、そのため、力付与部材に蓄えられる力が増大する。カセットが輸液ポンプから引き離されると、力付与部材に蓄えられた力が解放されて可動部材および関連するタブ部材を付勢された流体非送出位置へ戻す。
【０２４７】
[00318]また、タブ部材は、カセットが輸液ポンプと関連付けられない長い期間にわたって開放した流体送出位置で固定されるように構成されており、それにより、管が永久的に圧縮されまたは変形されるのを防止する。そのような押圧、圧着、または変形は、管を通じた流体の流れに影響を及ぼして、カセットおよび輸液ポンプの両方が適切に作動しているときであっても不正確な量の流れをもたらす可能性がある。タブ部材は、タブ部材と筐体面の縁部との間の開口に嵌め込まれるプラグの使用により開放位置に保持させることができる。その後、プラグを引き出してカセットを作動させるとともにフロー防止弁機構を付勢された流体非送出位置へ戻すことができる。カセットと関連付けられるラッチ、キャッチ、およびフックは、保管のためにタブを開放流体送出位置に保持するべく使用することもでき、その後、カセットが使用されるべきときに取り除くことができる。
【０２４８】
[00319]他の実施形態において、本開示は、流体リザーバと患者との間で管上でスライドされる再使用可能なカセットに関する。実施形態は、略長方形形状を成し且つ輸液ポンプの開口内に嵌合するように構成されて寸法付けられる短尺部を伴う筐体を有し、この場合、筐体は４つの外壁と２つの面とを有する。
【０２４９】
[00320]外壁のうちの２つは、流体を方向付けて流通させる管を保持するための第１および第２の端部を画定する。第１および第２の端部を形成する外壁はそれぞれ開口を伴う平坦な壁を有し、開口は、該開口を通過する入口管支持部または出口管支持部のいずれかと嵌合するように構成されて寸法付けられる。
【０２５０】
[00321]入口管支持部および出口管支持部は開口を有するブシュであり、開口は、可撓管をブシュに押し通すことができるが所定位置にしっかりと保持させたままにするように適切に寸法付けられて構成される。ブシュは、カセットが輸液ポンプと関連付けられないときにカセットが管から滑り落ちるのを防止するとともに、カセットがポンプと関連付けられるときに管が滑るのを防止する。
【０２５１】
[00322]輸液ポンプは、関連するカセットと関連付けられるように構成されて寸法付けられる。ポンプは、カセットを挿入できる開口、または、カセットを収容できる窪みまたは凹部を有する。
【０２５２】
[00323]本開示の他の実施形態は、患者への流体送出用の輸液ポンプと係合するためのカセットに関する。カセットは、流体を方向付けて流通させる可撓管を保持するための第１および第２の端部を有する筐体を含み、管は、管を通じて流体を移動させる輸液ポンプのポンピング機構と係合するように構成され、また、カセットは、管、筐体、またはカセットと関連付けられ且つ筐体もしくはカセットにまたはその近傍に存在するフロー防止弁機構を含む。フロー防止弁機構は、流体非送出位置で管に対して付勢されて管を通じた流れを妨げ、また、筐体がポンプと係合されるときに管を通じた流体の流れを可能にするために力付与部材の付勢に打ち勝つべくカセットおよびフロー防止弁機構と作用的に関連付けられる部材を含む。フロー防止弁機構は、管、カセットもしくは筐体と関連付けられ、あるいは、カセットもしくは筐体にまたはその近傍に配置される。フロー防止弁機構は、好ましくは、可動部材および力付与部材を有してもよく、流体非送出位置にある力付与部材は、可動部材を管に対して付勢して、管を通じた流れを妨げる。また、カセットは、カセットの筐体およびフロー防止弁機構と作用的に関連付けられ且つ流体非送出位置と力付与部材の付勢が除去されて管を通じた流体の流れが許容される流体送出位置との間で移動できるタブ部材も含む。タブ部材は、力付与部材の付勢に打ち勝つためにカセットおよびフロー防止弁機構と作用的に関連付けられる。筐体は、専用の輸液ポンプと係合するように構成されて寸法付けられ、係合中または係合後に、タブ部材がポンプにより流体送出位置へ移動され、それにより、管を通じた流体の流れが許容され、一方、カセットがポンプから取り外される前または取り外されるときに、タブ部材が解放され、それにより、力付与部材が流体非送出位置へ戻り、管を通じた流体の流れが防止される。
【０２５３】
[00324]タブ部材は、カセットが輸液ポンプと係合する際に可動部材を流体送出位置へ移動させることができ、それにより、管を通じた流体の流れを可能にし、また、カセットがポンプから取り外されると、タブ部材が解放され、それにより、可動部材が流体非送出位置へ戻って管を通じた流体の流れが防止される。このように、流体非送出位置と流体送出位置との間のタブ部材の移動は力付与部材の付勢を変える。あるいは、タブ部材は、カセットが輸液ポンプと係合した後に可動部材を流体送出位置へ移動させることができ、それにより、管を通じた流体の流れを可能にし、また、カセットがポンプから取り外される前に、タブ部材が解放される。
【０２５４】
[00325]カセットの筐体は、略長方形形状を有してもよく、輸液ポンプの開口内に嵌合するように構成されて寸法付けられ、また、管の長尺部は、当初は、カセットの端部間で直線状に且つ筐体の剛性湾曲壁の前方で保持され、それにより、管の長尺部は、ポンプのポンピング機構と係合されると、湾曲壁とポンピング機構との間にこれらと接触した状態で正確に配置される。
【０２５５】
[00326]フロー防止弁機構の力付与部材は圧縮ばねを含み、また、フロー防止弁機構の可動部材は、力付与部材と接触する相対的に大きい断面と、管と接触して管に対する力付与部材の力を集中させる相対的に狭い断面とを有する締付ヘッドを含む。また、筐体は、輸液ポンプとの係合中にカセットを位置合わせするための位置決め溝を含んでもよい。
【０２５６】
[00327]カセットの筐体は、一般に、管を通じた流体流れの監視または検出を可能にするために管に隣接する少なくとも１つの窓を含む。一実施形態では、筐体が成形プラスチックから形成され、管がエラストマー材料またはシリコン材から形成され、また、管が筐体の入口管支持部と出口管支持部との間で保持される。各管支持部は雄接合部と雌接合部とを含むことができ、入口支持部では、雄接合部が管の内側に嵌合するように構成されて寸法付けられるとともに、雌接合部が流体供給源へ延びる管を受けるように構成されて寸法付けられ、また、出口支持部では、雄接合部が管の内側に嵌合するように構成されて寸法付けられるとともに、雌接合部が患者へ延びる管の長尺部を受けるように構成されて寸法付けられる。
【０２５７】
[00328]本開示の他の実施形態は、本明細書中に記載されるカセットのうちの１つと輸液ポンプとを含む流体送出システムに関し、ポンプは、カセットを受けるまたはカセットと係合するように構成されて寸法付けられる開口を有するポンプ筐体と、部材と係合することにより部材を流体非送出位置と管を通じた流体流れを可能にするための流体送出位置との間で移動させる作動機構とを含み、また、カセットがポンプと係合され、カセットが係合されることをポンプが検出し、タブ部材が流体送出位置にあるときだけ管を通じて流体を移動させるべくポンピング機構が可撓管と係合する。
【０２５８】
[00329]ポンプは、カセットがポンプおよびポンプ機構と適切に係合されるかどうかを決定するための検出器を有することができる。ポンピング機構は、一般に、管に十分な大きさの張力を付与するのに必要な十分な量だけ可撓管を引き伸ばし、それにより、ポンピング機構とカセットとが係合される度に管を通じた正確な流体流れを可能にする。また、作動機構により、タブ部材は、カセットがポンプと係合する際またはカセットがポンプと係合した後に、流体非送出位置と流体送出位置との間で移動する。したがって、ポンピング機構が固定された位置にあって、カセットをポンピング機構と接触する状態へ移動させることにより可撓管がポンピング機構と係合され、または、カセットが輸液ポンプと関連付けられるときに固定された位置にあって、ポンピング機構が可撓管と接触する状態へ移動することにより可撓管と係合する。一実施形態において、輸液ポンプは、カセットの位置決め溝と係合する少なくとも１つの位置決め構成要素と、管を通じた流体の流れを監視しまたは検出するためにカセットの窓と光学的に位置合わせされた少なくとも１つのセンサとを更に含む。
【０２５９】
[00330]本開示の更なる他の実施形態は、輸液セットの管を通じた流体の流れを妨げる方法であって、患者への流体送出用の輸液ポンプと係合するカセットに管を設けるステップと、可動部材と力付与部材とを有するフロー防止弁機構を管またはカセットに設けるステップとを含み、ポンプと係合されないときには、可動部材および力付与部材が流体非送出位置に保持され、その位置では、力付与部材が可動部材を管に対して付勢して管を通じた流れを防止し、また、カセットがポンプと係合するときまたは係合した後には、力付与部材がポンプによって流体送出位置へ移動され、その位置では、流体が管を通じて流れることができるように可動部材が管に対して付勢されない、方法に関する。
【０２６０】
[00331]また、本開示は、輸液セットの管を通じた流体のフリーフローを防止するための本明細書中に記載されるフロー防止弁機構または流体送出システムのうちの一方の使用に関する。フロー防止弁機構は、管または筐体を有するカセットに設けられあるいはこれらと関連付けられるとともに、輸液セットの管を通じた流体のフリーフローを防止するために使用できる。
【０２６１】
[00332]本開示の他の実施形態は、輸液ポンプと、患者へ流体を正確に繰り返し可能に送出するために輸液ポンプのポンプ機構と係合するように構成される管を伴うカセットとを有する流体送出システムに関する。
【０２６２】
[00333]カセットは、流体を方向付けて流通させる可撓管を保持するための第１および第２の端部を有する筐体を含んでもよく、管は、管を通じて流体を移動させる輸液ポンプのポンピング機構と係合するように構成される。管の長尺部は、当初は、ポンピング機構と係合する前にカセットの第１の端部と第２の端部との間で直線状に保持される。筐体の第１および第２の端部の位置は少なくとも部分的に流路を画定し、該流路内で流体を流すために流路に沿って管に張力が付与され、また、管の長尺部が流路内に正確に繰り返し可能に配置され、この場合、ポンピング機構が可撓管を引き伸ばして管に繰り返し可能に張力を付与することにより管を通じた正確な流体流れが可能になる。流路は、筐体の剛性湾曲壁の前方に有利に且つ少なくとも部分的に形成され、この場合、固定された剛性湾曲壁がポンピング機構と対向する凹形状を成す。ポンピング機構と管とのそれぞれの係合時に、この管の長尺部は、ポンプのポンピング機構と係合されると、湾曲壁とポンピング機構との間に配置されてこれらと接触する。ポンピング機構と管とのそれぞれの係合時に、ポンピング機構は、可撓管を正確に繰り返し可能に引き伸ばしてそれを湾曲壁と接触させることにより管に張力を付与して管を通じた正確な流体流れを可能にする。
【０２６３】
[00334]管が所定の位置へ移動されてもよく、その場合、カセットとポンプとの係合が管をその初期位置と管が湾曲壁に接触する流体送出位置との間で移動させ、または、カセットとポンプとの係合後に管を流体送出位置へ付勢して湾曲壁と接触させるようにポンピング機構が移動する。
【０２６４】
[00335]ポンピング機構またはカセットが可動部品となることができ、一方、他のものが固定位置にとどまる。ポンピング機構が固定位置にある場合には、カセットを移動させることにより可撓管がポンピング機構と係合されて接触され、一方、カセットが固定位置にある場合には、輸液ポンプと係合されると、ポンピング機構は、可撓管と接触するように移動することにより可撓管と係合する。
【０２６５】
[00336]カセットは、当初は管を通じた流れを防止するために流体非送出位置で管に対して付勢されるフロー防止弁機構と、筐体がポンプと係合されるときに管を通じた流体の流れを許容するために力付与部材の付勢に打ち勝つべくカセットおよびフロー防止弁機構と作用的に関連付けられる部材とを含んでもよい。筐体は輸液ポンプと係合するように構成されて寸法付けられ、係合中または係合後、部材は、管を通じた流体の流れを可能にする流体送出位置をとり、一方、カセットがポンプから取り外される前または取り外されるときには、部材は、管を通じた流体の流れを防止する流体非送出位置をとる。
【０２６６】
[00337]フロー防止弁機構は、管、カセット、または筐体と関連付けられてもよく、あるいは、カセットもしくは筐体にまたはその近傍に配置されてもよく、また、可動部材と力付与部材とを有する。この場合、流体非送出位置にある力付与部材は、可動部材を管に対して付勢して、管を通じた流れを防止し、また、可動部材は流体非送出位置と流体送出位置との間で移動でき、流体送出位置では、力付与部材の付勢が除去されて、管を通じた流体の流れが許容される。
【０２６７】
[00338]カセットの筐体は一般に輸液ポンプと係合するように構成されて寸法付けられ、筐体は、略長方形形状を有するとともに輸液ポンプの開口内に嵌合するように構成されて寸法付けられ、あるいは、輸液ポンプの外面に取り付けるまたは隣接させることができるように構成されて寸法付けられる形状およびサイズを有し、また、筐体は、輸液ポンプとの係合中にカセットを位置合わせするための位置決め溝を含む。また、筐体は、管を通じた流体の流れの監視または検出を可能にするために管に隣接する少なくとも１つの窓を含む。筐体は成形プラスチックから形成され、また、管はエラストマー材料またはシリコン材から形成される。
【０２６８】
[00339]管は、筐体の入口管支持部と出口管支持部との間で保持されてもよく、その場合、各管支持部は雄接合部と雌接合部とを含むことができ、入口支持部では、雄接合部が管の内側に嵌合するように構成されて寸法付けられるとともに、雌接合部が流体供給源へ延びる管を受けるように構成されて寸法付けられ、また、出口支持部では、雄接合部が管の内側に嵌合するように構成されて寸法付けられるとともに、雌接合部が患者へ延びる管の長尺部を受けるように構成されて寸法付けられる。
【０２６９】
[00340]本開示の他の実施形態は、前述したカセットと輸液ポンプとを含む流体送出システムに関する。輸液ポンプは、カセットを受けるように構成されて寸法付けられる開口を有する筐体と、可撓管と係合してそれを所定位置へ引き伸ばすポンピング機構とを含み、この場合、管は、正確な量の流体を管を通じて繰り返し可能に流すことができるようにするのに十分な張力を与えるべく湾曲壁に沿って引き伸ばされる。輸液ポンプとカセットとの組み合わせは、本開示の更なる他の実施形態を表わす。
【０２７０】
[00341]輸液ポンプは、対応するカセットと関連付けられるように適切に設計されて構成され、第１の実施形態では適切な寸法を有するカセットを挿入できる開口を有し、第２の実施形態では輸液ポンプの外面にカセットを取り付けて固定するための特徴部を有する。ポンプの開口は、カセットを縁部に沿って滑り込ませることができるスロットであってもよく、あるいは、カセットを嵌め込ませることができるポンプの面の窪みまたは凹部であってもよい。カセットを輸液ポンプの外面に取り付けるための特徴部としては、タブ、クリップ、ラッチ、キャッチ、ファスナ、または、これらの任意の組み合わせが挙げられる。カセットは、輸液ポンプの開口、窪み、または凹部に挿入することにより、あるいは、前述した特徴部を使用して輸液ポンプ外面に取り付けるまたは隣接させることにより輸液ポンプと係合できる。
【０２７１】
[00342]輸液ポンプは一般にポンピング機構を含み、該ポンピング機構は、可撓管と係合するとともに、ポンピング機構が係合されるときに管を通じた正確な流体の流れを可能にするのに十分な大きさの張力を管に付与するために必要な量だけ管を流路に適合するように引き伸ばす。ポンピング機構は、カセットが輸液ポンプと関連付けられる度に可撓管を同じ程度まで引き伸ばす。
【０２７２】
[00343]輸液ポンプは、カセットの位置決め溝と係合する少なくとも１つの位置決め構成要素と、管を通じた流体の流れを監視しまたは検出するためのカセットの窓と光学的に位置合わせされる少なくとも１つのセンサとを有してもよい。
【０２７３】
[00344]本開示の他の実施形態は、輸液セットの管を通じて流体を正確に繰り返し分配する方法であって、患者への流体送出用の輸液ポンプと係合するカセットに管を設けるステップと、流体を方向付けて流通させる可撓管を保持するために第１および第２の端部を有する筐体をカセットに設けるステップとを含み、剛性湾曲壁によって流路が少なくとも部分的に画定され、筐体が管の長尺部を有し、管の長尺部が、輸液ポンプのポンピング機構と関連付けられるときにこれと係合し、それにより、管を通じて流体を移動させるために管が引き伸ばされてポンピング機構と湾曲壁との間に配置される、方法に関する。
【０２７４】
[00345]この方法において、カセットは、輸液ポンプを介して流体を患者へ正確に送出するために使用され、カセットが湾曲壁を含み、それにより、管は、輸液ポンプのポンピング機構との係合時に、流体を患者へ正確に繰り返し可能に送出するためにポンピング機構と湾曲壁との間の流路に沿って少なくとも部分的に引き伸ばされて配置されることを特徴とする。カセットは、輸液ポンプを介して流体を患者へ正確に繰り返し可能に送出するために使用される。
【０２７５】
[00346]本開示の更なる他の実施形態は、輸液セットの管を介して流体を患者へ正確に送出するための本明細書中に開示されるカセット、流体送出システム、および／またはポンプの使用に関する。本明細書中で説明されるように、カセットは、流路を少なくとも部分的に画定する構造、例えば湾曲壁を含み、それにより、管は、輸液ポンプのポンピング機構との係合時に、流体を患者へ正確に繰り返し可能に送出するためにポンピング機構と湾曲壁との間の流路に沿って引き伸ばされて配置される。
【０２７６】
[00347]図１を参照すると、本開示に係るカセット１０の様々な構成要素を見ることができる。カセット１０は、筐体１２と、可撓管１４と、管支持部１６、１８とを含む。可撓管１４は、第２の外壁２６の第１の直線壁部分２２と第２の直線壁部分２４との間の剛性湾曲壁２０によって形成される部分に跨っている。可撓管は、湾曲壁２０の両側の開口２８を通過して、入口管支持部１６および出口管支持部１８と合流する。タブ部材３０が、輸液ポンプと関連付けられる作動機構と係合するためにフロー防止弁機構３４の可動部材３２から第１の面３８の開口３６を貫通して十分に延びている。位置決め溝４０が第１の面３８に配置されており、それにより、カセットの位置決め溝に嵌合するように構成されて寸法付けられる輸液ポンプの隆起した特徴部を受け入れるように構成されている。位置決め溝は、様々な長さ、断面サイズ、および、三角形、正方形、長方形、「Ｔ」、および、円を含むがこれらに限定されない形状を有することができる。
【０２７７】
[00348]図２を参照すると、可撓管１４は入口管支持部１６と出口管支持部１８との間に配置される。可撓管を通じて流れる流体流れは、可撓管１４がポンプ機構によって剛性湾曲壁２０に押し付けられるときに、筐体１２の第２の面４２の開口４４を通じて観察できる。これは、流体が管１４を通じて適切に流れているようにするために気泡検出装置または他の監視装置の使用も可能にする。
【０２７８】
[00349]図３を参照すると、筐体１２の第１の面３８の開口３６を貫通して延びるタブ部材３０がデフォルト流体非送出位置にあり、この位置では、図４に示されるように、力付与部材４６が可動部材３２に押し付き、それにより、締付ヘッド４８が可撓管１４を補強体５０に押し付け、その結果、流体流れが妨げられる。
【０２７９】
[00350]図５を参照すると、筐体１２の第１の面３８の開口３６を貫通して延びるタブ部材３０を作動流体送出位置へ移動させることができ、この位置では、図６に示されるように、可撓管１４から離れる可動部材３２の待避により、力付与部材４６の寸法が減少し、それに伴って蓄えられる力が増大し、それにより、可撓管に対する締付ヘッド４８の力が解放され、その結果、流体が自由に流れることができる。この動作は、カセットがそれを受けるように構成されている対応する輸液ポンプ内に挿入されるときにはまたは挿入されるにつれて自動的に達成され、あるいは、ポンプが作動されるときだけタブを移動させて弁を開くためにポンプ筐体自体の機構によって達成される。ポンプは、動作のために駆動されるときに管を圧縮して管を通じた流体の流れを促す従来のローラまたはフィンガ部材を含む。前述したように、ポンプが作動されるときまでに、フロー防止弁機構が、流体の流れを許容するべく管が塞がれない位置へ移動される。カセットがポンプから引き離されると、または、ポンプの動作が停止されると、フロー防止弁機構が非流体送出位置へ戻って、管を通じた任意の流れが防止され、それにより、任意の意図しないフリーフロー状態が回避される。
【０２８０】
[00351]図７を参照すると、両側に開口２８を有して第２の外壁２６の第１の直線壁部分２２と第２の直線壁部分２４との間に配置される剛性湾曲壁部分２０に関連して、フロー防止弁機構３４、可撓管１４、入口管支持部１６、および、出口管支持部１８の筐体１２内の内部配置をはっきりと見て取ることができる。力付与部材４６は、第４の直線壁部分５２と可動部材３２との間に配置され、それにより、締付ヘッド４８を可撓管１４に対して押し付け、その結果、管は、第２の外壁２６の第２の直線壁部分２４に隣接する補強体５０に押し付けられて閉じられる。
【０２８１】
[00352]図示のように、フロー防止弁機構がカセットの入口側に配置されてもよい。しかしながら、当業者であれば分かるように、フロー防止弁機構を外側に配置することもできる。
【０２８２】
[00353]筐体１２は、輸液ポンプに嵌合するのに適した寸法および幅を有する長方形であってもよいが、筐体は、必要に応じてポンプ内に嵌合するための他の形状を有することもできる。筐体１２は、破壊することなくまたは汚染を引き起こすことなく医療環境で用いるのに適した材料から形成され、使い捨てすることができ、あるいは、その後の再使用のために洗浄することができ、オートクレーブ滅菌することができ、または、消毒することができる。一般に、この目的のためにエンジニアリングプラスチックが使用される。筐体１２は、力付与部材、可動部材、および、管支持部を閉じられた筐体内に容易に且つ確実に配置することができる。筐体１２が２つ以上の成形品から形成されてもよく、それらの成形品は、その後に組み立てられて、他の構成要素を内側にして密閉される。筐体１２は、永久的に密閉されてもよく、あるいは、後に内部構成要素に対して洗浄または交換のためにアクセスできるように、タブ、クリップ、ラッチ、キャッチ、ファスナ、または、それらの任意の組み合わせによって互いに保持されてもよい。
【０２８３】
[00354]第４の外壁５２は、輸液ポンプの外面にカセット１０を挿入する際または輸液ポンプの外面に対してカセットを固定する際に容易に押圧され得る開口がない平坦面であってもよいが、当業者であれば分かるように、第４の外壁が他の輪郭、テクスチャ、開口、または、特徴を有することができる。
【０２８４】
[00355]第２の外壁２６は、輸液ポンプおよびポンピング機構と係合するように構成されて寸法付けられる直線部分および湾曲部分の両方を有する。剛性湾曲壁２０は、輸液ポンプのホイールおよびローラを受け入れるように構成されて寸法付けられ、そのため、ポンプの作動時にはこれらの要素の自由な回転が存在し、また、ローラは、ポンプ作用をもたらすために可撓管１４を適切に圧縮できる。カセットは、輸液ポンプのローラまたはフィンガが可撓管を繰り返し押圧してそれを湾曲壁に押し付けるときに湾曲壁がその形状を保持するのに十分に強力で硬質となるように形成される。開口２８にある湾曲壁の縁部は、カセット１０が輸液ポンプ内に挿入されて輸液ポンプのホイールおよびローラが可撓管を湾曲凹部に対して押し戻すときに可撓管を挟む可能性がある角部を避けるために傾斜していてもよい。
【０２８５】
[00356]剛性湾曲壁部分の両側の開口２８は、カセットが輸液ポンプ内に挿入されるときには可撓管１４が湾曲の両縁部に押し付いて流れを完全に遮断することなく湾曲凹部の輪郭に追従できるように適切にサイズ設定され、構成され、および、寸法付けられるとともに、筐体が輸液ポンプ内に挿入されないときには可撓管が２つの管支持部間に真っ直ぐな状態で固定される際に可撓管と位置合わせされる。
【０２８６】
[00357]カセットおよびポンプの形態および寸法と調和する可撓管の所定の位置および長さは、カセットがポンピング機構によって係合される度に常に同じ大きさの張力を可撓管にもたらす。このとき、ポンピング機構とカセットとの係合が可撓管に適切な張力をもたらし、それにより、ポンプが動作しているときに正確で狂いのない流体流れが可能になる。
【０２８７】
[00358]一実施形態では、第１の外壁５４が開口５６を有し、この開口５６は、該開口を通過する入口管支持部１６を保持するように構成されて寸法付けられ、また、第３の外壁５８が開口６０を有し、この開口６０は、該開口を通過する出口管支持部１８を保持するように構成されて寸法付けられる。
【０２８８】
[00359]他の実施形態において、管支持部は、筐体壁の単一の一体部分を形成するために、第１および第３の外壁の一部として成形される。
【０２８９】
[00360]いずれかの実施形態において、管支持部１６、１８は、それらの間に固定される可撓管の分離した部品を入口側および出口側の異なる管と接続するアダプタの形態を成すことができ、または、可撓管の単一の部品が押し込まれるように適切に寸法付けられる内径を有するブシュであって、可撓管を２つのブシュ間にぴったりと保持して、カセットが輸液ポンプと関連付けられないときにカセットが管から滑り落ちないようにするブシュの形態を成すことができる。
【０２９０】
[00361]管支持部は、流体の流れを観察できるようにするとともに任意の気泡または障害物を検出または監視できるようにする透明な材料から形成することができる。あるいは、後述するように、この目的のために窓が筐体に設けられてもよい。
【０２９１】
[00362]筐体が成形品でない場合、管の異なる部品を接続するために使用されるアダプタは、第１の外壁開口５６または第３の外壁開口６０で筐体内の所定位置に保持されるようにサイズ設定され、構成され、および、寸法付けられる立方体形状の中心部分を有してもよく、この場合、中心部分から筐体内へ延びる１つの円形の雄接合部は、気密シールを形成するように可撓管を押し被せることができる外径を有し、中心部分から延びて筐体から抜け出る１つの円形の雌接合部は、気密シールを形成するように静脈ラインを押し込むことができる内径を有する。雄接合部は可撓管を良好に固定するために返しを有することができる。当業者であれば分かるように、本明細書中に記載される態様および位置で管を保持するために他の構造が使用されてもよい。
【０２９２】
[00363]筐体が成形品でない場合、管の長尺部を保持するために使用されるブシュは、第１の外壁開口５６または第３の外壁開口６０で筐体内の所定位置に保持されるようにサイズ設定され、構成され、および、寸法付けられる立方体形状の中心部分を有することが好ましく、この場合、中心部分から筐体内へ延びる内部応力除去部と、中心部分から延びて筐体から抜け出る外部応力除去部とを伴う。１つ穴は、ブシュを通過する可撓管上に緊密に被嵌するように寸法付けられる直径を有する。ブシュは可撓管１４をぴったりと保持し、そのため、カセットは、管から垂れ下がることができる場合に管から滑り落ちず、また、カセットが輸液ポンプ内に挿入されるときに管を引く輸液ポンプの作用に起因する可撓管での張力の変化を防止する。
【０２９３】
[00364]可撓管１４を任意のエラストマー材料から形成することができる。エラストマー材料は、例えばシリコンなどの透明で柔軟な医療グレード材料であってもよい。
【０２９４】
[00365]フロー防止弁機構３４は、締付ヘッド４８とは反対の面で力付与部材４６と作用的に関連付けられる可動部材３２を有する。力付与部材と接触する可動部材の面は、力付与部材の力を締付ヘッドに伝えるのに十分な接触を力付与部材と可動部材との間で可能にするように適切に寸法付けられる。可動部材の面は、力付与部材に着座できる隆起したまたは陥凹状の特徴部を有することが好ましく、それにより、力付与部材が位置合わせ状態に維持され、２つの構成要素間の接触損失が防止される。
【０２９５】
[00366]可動部材３２は、力付与部材接触端に幅広い寸法を有し、締付ヘッド４８端に幅狭い寸法を有することが好ましく、また、可動部材３２の面から延びるタブ部材３０は、力付与部材４６および締付ヘッド４８の軸線に対して垂直である。締付ヘッドは、「Ｔ」、「Ｕ」、「Ｖ」、または、楔形などの異なる形状を有することができる。そのような形状は、力付与部材の力を更に小さい面積に集中させて、デフォルト非送出位置にあるときに可撓管に対する閉塞作用を高める。管と接触する締付ヘッドの端部の形状は、平坦面、所定範囲の半径を有する湾曲面、または、鋭い角部のいずれかを有することができ、その場合、湾曲面が好ましい実施形態である。そのような湾曲面は、可動部材が非送出位置にあるときに圧接される管の部分に対する摩耗を減少させる。
【０２９６】
[00367]締付ヘッド４８は、可撓管１４の一方側を押圧して該可撓管の反対側を補強体５０に押し付け、それにより、管を閉じて、カセットが輸液ポンプ内に挿入されないときに任意の自由な流体流れを防止する。
【０２９７】
[00368]タブ部材３０は、筐体１２の第１の面３８よりも上側に延びるように十分に長いとともに、輸液ポンプの作動機構と係合し、それにより、カセット１０が輸液ポンプと関連付けられるときに、可動部材３２が引き込まれ、力付与部材４６に蓄えられる力が増大する。可動部材３２は、カセットが輸液ポンプと関連付けられるときに力付与部材の力に抵抗し且つカセットがポンプから引き離されるときに締付ヘッドと可撓管との間の接触に抵抗しつつタブと輸液ポンプの作動機構との繰り返しの係合に耐えるのに十分に強い耐衝撃性材料から形成される。
【０２９８】
[00369]力付与部材４６は第４の外壁５２と可動部材３２との間に配置され、それにより、力が締付ヘッド４８を通じて伝えられ、可撓管１４が圧縮される。力付与部材は、カセットが輸液ポンプと関連付けられるときに蓄えられる力を増大し、また、作動機構とタブ部材３０との間の接触によりフロー防止弁機構３４が引き込まれる。力付与部材は、医療環境で使用するのに適したステンレススチールまたは他の材料から形成される円形の圧縮ばねであってもよいが、リーフばね、レバー、または、弾性要素であってもよい。力付与部材は、タブが解放されるときに可撓管を完全に挟んで閉じるのに十分な強度を有するが、カセットが輸液ポンプと関連付けられるときには圧縮させることができる。力は、「Ｔ」、「Ｕ」、「Ｖ」、または、楔形などの異なる形状を有することができる締付ヘッドを通じて管に印加される。これらの形状は、締付ヘッドと可撓管との間により小さい接触表面をもたらし、それにより、力付与部材によって及ぼされる力を集中させる。
【０２９９】
[00370]図８を参照すると、筐体１２の第１の面３８は、筐体の外壁の寸法と適合するように形状が長方形であるが、湾曲切り欠き部を有することができ、この湾曲切り欠き部は、第２の外壁２６の直線壁部分２２、２４および湾曲壁部分２０と適合するように構成されて寸法付けられ、それにより、第２の面の切り欠き部と共に開放領域を形成し、その結果、管１４を露出させる（図１参照）。第１の面３８は開口３６を有し、この開口は、ピストン３２のタブ部材３０が開口を貫通して第１の面よりも上側に延びることができるように適切に配置される。第１の面３８は、輸液ポンプの隆起した特徴部を受けるように構成されて寸法付けられる２つの位置決め溝４０を有する。溝４０は、カセットを一方向でのみ輸液ポンプ内に挿入できるようにカセット１０を二極化させる。一実施形態では、溝の形状が直線である。
【０３００】
[00371]筐体１２の第２の面４２は、筐体の外壁の寸法と適合するように形状が長方形であってもよい（図８参照）が、湾曲切り欠き部を有してもよく、この湾曲切り欠き部は、第２の外壁２６の直線壁部分２２、２４および湾曲壁部分２０と適合するように構成されて寸法付けられ、それにより、第２の面の切り欠き部と共に開放領域を形成し、その結果、管１４を露出させる（図１参照）。第２の面４２は、湾曲切り欠き部の両側に配置されて入口管支持部１６および出口管支持部１８によって直線状態で支持されるときの可撓管の位置と合わせされる２つの開口４４を有する。これらの開口は、流体流れおよび気泡または障害物の観察を可能にする。
【０３０１】
[00372]面３８、４２または壁５２のいずれかは、力付与部材をその適切な位置に保持するための特徴部を有することができる。
【０３０２】
[00373]図９〜図１２を参照すると、カセットおよび輸液ポンプはカセット／ポンプ流体送出システム６２を含む。図９を参照すると、輸液ポンプ６４は、カセット１０の可撓管１４と係合するポンプ機構６８、カセットのタブ部材３０と係合できる作動機構７０、および、随意的に、カセットを筐体に取り付けるまたは隣接させるための特徴部（図示せず）を収容する筐体６６を含む。
【０３０３】
[00374]ポンプ筐体７２は、カセットを受けてカセットと係合するように構成されて寸法付けられる。係合は、筐体の面のうちの一方にある開口７４、凹部、または窪みであって、カセットを受け入れるように構成されて寸法付けられる開口７４、凹部、または窪みにカセット１０を挿入することによって、あるいは、筐体の外面上の位置にカセットを取り付けまたは隣接させることによって達成することができる。カセットは、タブ、クリップ、ラッチ、キャッチ、ファスナ、または、それらの任意の組み合わせなどの何らかの特徴部によって取り付けまたは隣接させて固定することができる。
【０３０４】
[00375]ポンプ機構６８は、中心ハブ７８の周囲に配置されて自由に回転できる１つ以上のローラ７６またはフィンガを有しており、可撓管と係合しているときにカセットの剛性湾曲壁２０によって画定される領域内に嵌合するように構成されて寸法付けられる。ポンプ機構６８は、ポンプ機構６８のローラ７６またはフィンガとカセットの剛性湾曲壁との間に管を通過させることにより管１４を伸長させて管１４に張力を加える。伸長および張力付与は、最初にカセットの両端間に直線状に保持される管の長手部がポンプ機構によって係合されるときに更に長い経路をとらされるためになされる（図１１参照）。この係合は、剛性湾曲壁とポンプ機構との間の空間に管を適合させる（図１２参照）。管１４の所定長が湾曲壁２０とポンピング機構のローラ７６との間で接触して圧縮され、それにより、ポンプが管を通じて流体を送出できる。ポンピング機構は、それがカセットと係合される度に常に同じ大きさの張力を可撓管にもたらし、また、この張力により、ポンピング機構が作動されるときに正確で狂いのない量の流体が管を通じて流れることができる。位置決め、張力付与、および、流体の流量は、カセットとポンプとが係合される度に再現できる。ポンプ機構の作用は、可撓管を通じた正確で狂いのない量の制御された流体流れを引き起こすとともに、停止時には管を通じた流体の流れを制限する。
【０３０５】
[00376]ポンピング機構は、カセットの存在を検出するセンサまたはトリガの使用により、カセットがポンプと係合されまたはポンプ内に挿入されるときに管と自動的に係合するように移動できる。引き込み位置から可撓管と係合する伸長位置へのポンピング機構の移動は、モータ、ピストン、または、同様の装置機構を使用して達成できる。ポンピング機構は、初期位置と湾曲壁２０とポンピング機構のローラ７６との間で管が圧縮される位置との間の直線経路または湾曲経路を辿ってもよい。ポンピング機構は管の平面内で移動し、それにより、ローラが管と適切な角度で接触して管を適切な量だけ引き伸ばし、その結果、管が湾曲壁とポンピング機構との間に接触状態で正確に配置される。
【０３０６】
[00377]他の実施形態では、ポンピング機構が管の軸線と平行な軸線の周りで回転でき、それにより、ポンピング機構は、カセットの平面に対して垂直な位置から管の平面内の位置へ上方へ揺動する。
【０３０７】
[00378]輸液ポンプ６４は、フロー防止弁機構３４のタブ部材３０と係合してタブ部材３０を流体非送出位置（図３参照）と管を通じた流体流れを可能にするための流体送出位置（図４参照）との間で移動させるための作動機構を有する。
【０３０８】
[00379]作動機構は、カセットがポンプと係合するときにタブ部材３０と接触してタブを流体送出位置へ移動させるとともにカセットが輸液ポンプ内へ挿入された後にタブを流体送出位置に保持する突起または壁８０を含むことができる（図１１〜図１２参照）。
【０３０９】
[00380]突起または壁８０は、ポンプの筐体から延びるとともに、タブ部材の経路内へ延びるように適切に構成されて寸法付けられており、それにより、カセットがポンプ内に挿入されるときにタブが特定の距離を超えてポンプ筐体１２の開口７４内へ移動することが防止される（図１１〜図１２参照）。突起は、タブ部材の経路内に配置されるタブ部材とほぼ同じサイズの隆起した特徴部であってもよい。突起は、タブ部材の動きを妨げることができる任意の形状を有することができる。一実施形態では、タブ部材が楔形状を成し、その場合、平坦面がタブと接触し、楔が接触面から離れて後方に傾斜する。この構成は、摩耗や破壊を伴うことなくカセットの繰り返しの挿入に耐えることができる十分な強度および耐久性を伴う最大接触面をタブ３０と作動機構７０との間に与える。突起は、輸液ポンプ内へのカセットの実際の挿入を妨げないように適切に寸法付けられるべきである。壁はタブ部材の経路を垂直に横切って延びており、タブ部材の経路に対して垂直な壁の長手部は、少なくともタブ部材の幅よりも大きく、また、壁は、輸液ポンプ筐体の開口の全長を横切って延びることができる。
【０３１０】
[00381]他の実施形態において、作動機構は、タブ部材を流体非送出位置と流体送出位置との間で移動させるように構成されて寸法付けられるアームまたは複合部品アセンブリであってもよい。作動機構は、カセットがポンプと係合されまたはポンプ内に挿入されるとき、カセットがポンプと係合されまたはポンプ内に挿入された後、あるいは、ポンピング機構がカセットの可撓管と係合するときまたは係合した後に、タブ部材を移動させることができる。作動機構は、タブ部材を移動させるときにカセットおよびポンピング機構の両方とは独立に移動できる。カセットを輸液ポンプと係合させ、ポンピング機構と係合させ、フロー防止弁機構を送出位置と非送出位置との間で移動させる手順、および、カセットを引き離す逆の手順は、流体送出システム用途の特定の要件を受け入れるために変更することができる。
【０３１１】
[00382]作動機構の動作は、カセットとポンプまたはポンピング機構との係合、ポンピング機構の作動によって引き起こされてもよく、あるいは、別個のトリガ事象によって自動的に引き起こされてもよく、あるいは、何らかの選択された時間にユーザにより手動で引き起こされてもよい。ポンピング機構とカセットとの係合がタブ部材を流体送出位置へ押し進めるように作動機構を促す場合には、フロー防止弁機構３４が流体送出位置へ移動される前にポンピング機構のローラ７６が管１４を挟んで閉じることができるようにタブ部材の移動が十分に遅らされてもよい。これは、可撓管の圧縮を他の位置での圧縮解放前に１つの位置で可能にし、それにより、管を通じた任意の一時的な漏れを防止する。
【０３１２】
[00383]作動機構とタブ部材との係合は、センサ、スイッチ、またはトリガの使用により、カセットとの係合時またはポンプ内へのカセットの挿入時に自動的に開始することができる。作動機構とタブ部材との係合は、ポンプを始動させるあるいはセンサ、スイッチ、またはトリガを独立に作動させるユーザによって手動で開始されてもよい。タブ部材と係合するための作動機構の動作は、モータ、ピストン、または、同様の装置などの駆動機構を使用して達成することができる。駆動機構は、作動機構を直接に動かすことができ、または、ポンピング機構を直接に動かしてポンピング機構との関連付けによって作動機構を動かしてもよい。
【０３１３】
[00384]ポンプからのカセットの除去は、作動機構を自動的に離脱させてタブ部材を解放することができ、それにより、力付与部材が付勢された流体非送出位置に戻り、管を通じた流体の流れが防止される。あるいは、フロー防止弁機構３４を流体送出位置へ移動させる前にポンピング機構のローラ７６による可撓管の圧縮を可能にするためにカセットが輸液ポンプ内に挿入された後に輸液ポンプの作動機構がタブ部材３０と係合する場合には、ローラによる圧縮が解放されてカセットがポンプから除去される前に、作動機構がタブ部材を離脱して解放し、それにより、力付与部材４６が可動部材３２を流体非送出位置へ戻し、管を通じた流体の流れが防止される。これは、管を通じた任意の一時的な漏れを防止する。
【０３１４】
[00385]カセットを輸液ポンプと関連付け、ポンピング機構と係合し、フロー防止弁機構を送出位置と非送出位置との間で移動させる手順、および、カセットを引き離す逆の手順は、流体送出システム用途の特定の要件を受け入れるために変更することができる。
【０３１５】
[00386]輸液ポンプは、カセットの位置決め溝と係合する１つ以上の位置決め構成要素を有することもできる。位置決め構成要素は、カセットが誤った態様または方向でポンプと関連付けられないようにするためにカセット面の位置決め溝と嵌合するように構成されて寸法付けられるピン、隆起トラック、または、他の隆起した特徴部であってもよい。位置決め溝は、様々な長さ、断面サイズ、および、三角形、正方形、長方形、「Ｔ」、および円形を含むがこれらに限定されない形状を有することができる。
【０３１６】
[00387]本開示の更なる他の実施形態によれば、栄養を患者へ送出するように構成されているまたは医療用溶液を患者へ注入するように構成されている経腸栄養ポンプまたは輸液ポンプと管とを係合させるためのピンチクランプアセンブリが設けられる。ピンチクランプアセンブリはベースを含んでもよく、該ベースは、可撓管をベースと作用的に係合する状態に保持するための保持手段と、第１のクランプ面と、コネクタを支持するための支持手段とを含み、また、ピンチクランプアセンブリは、可撓管と係合可能な第２のクランプ面を有するクランプ要素であって、可撓管を通じた流体の流れを可能にする開位置と可撓管がクランプ要素によって塞がれる閉位置との間で移動できるクランプ要素と、可撓管を患者のポートと接続するコネクタであって、ピンチクランプアセンブリから取り外すことができるコネクタと、ばねとを含んでもよく、コネクタは、クランプ要素を開位置に保持するべくクランプ要素と係合するように構成されており、クランプ要素は、コネクタがピンチクランプアセンブリから取り外されると直ぐにばねの力によって開位置から閉位置へ押し進められ、また、クランプ要素は、ピンチクランプアセンブリが経腸栄養ポンプまたは輸液ポンプに取り付けられてコネクタが取り外されるときに閉位置から開位置へ移動されるように構成されている。
【０３１７】
[00388]それにより、ピンチクランプアセンブリがその送出状態にあるときにフリーフロー状態が防止される。これは、患者のポートに接続されるように構成されているコネクタが依然としてピンチクランプアセンブリの一部だからである。コネクタが取り外されると直ぐに、ばねの力に起因してクランプ要素がその閉位置へ自動的に移動し、それにより、シリコン管のポンピング部分を通じた任意の流れが防止される。したがって、それぞれのコネクタの一端がポートに接続されて他端が溶液容器または調合容器に接続されると、フリーフロー状態が再び防止される。この状態では、すなわち、コネクタの取り外し後においては、ピンチクランプアセンブリが経腸栄養ポンプまたは輸液ポンプに挿入されてもよい。ポンプに挿入すると、クランプ要素は、ポンプとクランプ要素との相互作用により開放される。しかしながら、シリコン管のポンピング部分が経腸栄養ポンプまたは輸液ポンプのポンピング機構（ロータユニット）の周囲に非常に緊密に巻き付けられ、それにより、シリコン管を通じた溶液の流れが防止されるため、フリーフロー状態は存在しない。そのため、本開示に係るピンチクランプアセンブリを含む輸液セットのフリーフロー状態が、常に、特に最初の使用の前に避けられる。
【０３１８】
[00389]本開示に係るピンチクランプアセンブリは、５年間などの長時間にわたってその送出状態で保管されてもよい。これは、クランプ要素がその開位置にあり、シリコン管が圧縮されまたは挟圧されておらず、したがって、材料の劣化または固着が防止されるからである。また、フリーフロー防止機構がピンチクランプアセンブリの一体部分であり、それにより、任意の更なる構成要素が避けられる。
【０３１９】
[00390]本開示のピンチクランプアセンブリは不正使用が防止されてもよい。これは、通常のユーザにとって、コネクタが依然としてアセンブリの内側にあるときにクランプ要素を自分の手で閉じることが不可能だからである。コネクタをその先端が残りの部分から分離される状態で切断した場合にのみフリーフロー状態をもたらすことができるが、これは、必然的に、ポートやルアーロック等の他の部品と嵌合しなければならない特別なアダプタが両端に含まれるコネクタの機能を破壊する。
【０３２０】
[00391]クランプ要素がベースに蝶着されてもよい。これは、ロッキングチェアのような動きおよびメカニズムを可能にするとともに、ばねおよびクランプ要素の開／閉相互作用を確保する。スナップ取り付け構成はクランプ要素に対する十分な固定を行なう。
【０３２１】
[00392]一実施形態において、コネクタは、経腸スパイク、IV（静脈内）スパイク、経腸栄養アダプタ、IVルアーロックアダプタ、または、他の経腸またはIV構成要素である。経腸栄養法または点滴の技術分野で知られる全ての想定し得るコネクタを使用できる。
【０３２２】
[00393]コネクタは、クランプ要素および／または支持手段に対してねじ結合されてもよい。これにより、コネクタがクランプ要素に対して良好に固定され、コネクタがアセンブリから不用意に抜け落ちることが防止される。磁気手段やバヨネットジョイントなど、クランプ要素に対するコネクタの他の固定手段も想定し得る。
【０３２３】
[00394]一実施形態において、ベースは、ピンチクランプアセンブリを経腸栄養ポンプまたは輸液ポンプに一体に取り付けることができるようにカセットとして形成される。カセットは、大型でなくコンパクトなフォーマットを含む平坦な構造をもたらす。
【０３２４】
[00395]他の実施形態において、ベース、クランプ要素、およびコネクタは、熱可塑性物質などの再利用可能なプラスチック材料から形成され、ばねは金属から形成され、また、管のポンピング部分はシリコンまたはシリコン置換管から形成される。これは、ばねだけが異なる材料から成る場合のこの使い捨ての器具の簡単な再利用手続きを可能にする。
【０３２５】
[00396]ベースは、ばねを受け入れるための円筒形状の保持要素を含んでもよい。これにより、コア機能部品のうちの１つであるばねがアセンブリ内のその場所に常に保持される。
【０３２６】
[00397]一実施形態において、クランプ要素は、管閉塞部を伴う第１の脚部と、ばねと係合するための手段とコネクタと係合するための保持部とを有する第２の脚部と、ベース上の適切な座部と係合するように構成されているスイベルピンとを有する。管閉塞部は、ベースのクランプ面との最適な相互作用を確保し、ばねと係合するための手段は、ばねがその定められた機能的な場所に常に維持されるようにし、また、保持部は、コネクタとクランプ要素との係合を確保する。
【０３２７】
[00398]他の実施形態において、保持部は、コネクタの先端を受け入れるように構成されているキャップまたはダストカバーとして構成される。これは、コネクタのための案内領域を拡大し、したがって、コネクタとクランプ要素との適切な係合を確保する。また、保持部は、塵埃がコネクタの開口に入り込むことを防止する。また、そのようなキャップおよびコネクタには更に大きいねじ領域が設けられてもよく、それにより、係合機能が高まる。
【０３２８】
[00399]一実施形態では、クランプ面が、平らでなく、波形であり、またはフィンが付いている。シリコン管の特定の要件に応じて、クランプ面の異なる設定が使用されてもよい。
【０３２９】
[00400]ベースは、クランプ要素が配置される第１および第２の内壁を含んでもよい。これは、管の方向に対して垂直なクランプ要素の良好な案内を確保するとともに、不正に使用してクランプ要素を取り出すための想定し得るアクセスポイントを回避する。
【０３３０】
[00401]本開示の他の実施形態によれば、経腸栄養ポンプまたは輸液ポンプが前述したピンチクランプアセンブリを含み、この場合、ポンプは、クランプ要素と係合してクランプ要素を閉位置から開位置へ解放するように構成されている解放手段を有する。
【０３３１】
[00402]一実施形態において、ポンピング部分を通じた流れは、ピストンクランプアセンブリが取り付けられるときにのみ可能にされる。これにより、フリーフロー防止機構は、ピンチクランプアセンブリが輸液ポンプに完全に取り付けられるときにだけ使用不可能になる。
【０３３２】
[00403]図１３は、本開示に係るピンチクランプアセンブリの一実施形態の主要な構成要素の斜視図を描いており、アセンブリのベースを形成するカセット１００を含んでいる。カセット１００は、略長方形に且つ比較的平坦な構造に構成される。カセット１００は、ポリプロピレン、ポリスチレン、ポリエチレン、またはアクリルニトリル・ブタジエン・スチレン（ＡＢＳ）などの熱可塑性材料から射出成形することにより形成されることが想定されるが、他の適した熱可塑性材料が使用されてもよい。カセット１００は、シリコン管（この図では示されない）のポンピング部分を支持するために４つの保持手段１０２を両側に含む。シリコン管を受け入れるための保持手段１０２は、カセット１００の中心へ向かっておよびカセットの長手方向縁部近傍に配置される。
【０３３３】
[00404]ベースまたはカセット１００は、保持手段１０２に隣接して第１のクランプ面１０４を更に含む。第１のクランプ面１０４は、平坦であり、カセット１００の一般面に対して略平行である。その面積は、管の最適なクランプを行なうのに十分大きい。支持手段１０６が、カセット１００の側壁に形成される略円形穴（ｒｅｃｅｓｓ）の形態を成して、また、支持部１０６を受け入れる側壁と略平行な内壁１０８に形成される更なる略円形穴の形態を成して、カセット１００に設けられる。これらの略円形穴は、ほぼ同じ軸線を有するとともに、以下で更に詳しく説明されるコネクタを支持するために設けられる。
【０３３４】
[00405]カセット１００は、後述するようにばねを受け入れるように構成されている円筒形状の保持要素１１０を更に含む。平行な内側壁１１２、１１４が管の方向に対して略垂直に形成される。また、座部１１６がカセット１００の基板上に形成される。本開示にとって不可欠ではない構成要素によって図を過度に複雑にしないように、この時点では管が省かれている。カセット１００の底部はロータユニット凹部１１８を有する。本開示に係るピンチクランプアセンブリを経腸栄養ポンプまたは輸液ポンプに取り付けると、蠕動ロータユニットのピンが、ロータユニット凹部１１８によって解放された空間に嵌まり込む。保持手段１０２の爪状の接触領域は、シリコン管の強固な嵌合を行なうのに十分大きい。
【０３３５】
[00406]図１４、図１５、図１６は、図１３のピンチクランプアセンブリの構成要素の正面図、平面図、および側面図である。この場合、同様の参照符号は同様の要素を示す。
【０３３６】
[00407]図１７、図１８は、本開示のピンチクランプアセンブリの一実施形態に係るクランプ要素１２０の斜視図を示している。クランプ要素１２０は、ピンチクランプアセンブリの中心要素であり、管閉塞部１２４を伴う第１の脚部１２２と、ばね１３０（図示せず）と係合するための手段１２８を有する第２の脚部１２６と、コネクタ１３４と係合するための保持部１３２とによって形成される。第１の脚部１２２および第２の脚部１２６は互いに対して約１０°〜２０°の角度を成して向き合っており、それにより、脚部間にスイベルピン１３６が位置するロッキングチェアのような機構が形成される。スイベルピン１３６は、カセット１００に形成される座部１１６に嵌まり込むように構成されている。また、クランプ要素１２０は内側壁１１２、１１４間で案内されて取り囲まれる。管閉塞部１２４は、カセット１００の第１のクランプ面１０４と相互作用して係合するように構成されている第２のクランプ面１３８を有する。手段１２８は、ばね１３０との完全な嵌合を達成できるように形成される。安定性のため、第１の脚部１２２、第２の脚部１２６、手段１２８、および管閉塞部１２４の間にＴバー状のリンクが設けられる。
【０３３７】
[00408]図１９、図２０、図２１、図２２はそれぞれ、図１７および図１８に示されるクランプ要素の正面図、左側面図、平面図、右側面図であり、同様の参照符号が同様の要素を示す。
【０３３８】
[00409]図１７〜図２２に示される実施形態では、保持部１３２がコネクタ１３４の先端を受け入れるためのリングとしてほぼ形成される。なお、本開示に係るピンチクランプアセンブリの一部としてのクランプ要素１２０の最適な動作を確保するために、第２の脚部１２６と保持部１３２との間の接続が非常に強固でなければならないことに留意すべきである。
【０３３９】
[00410]図２３、図２４は、本開示のピンチクランプアセンブリの一実施形態に係るクランプ要素１２０の斜視図を示している。この実施形態では、クランプ要素１２０の揺動方向に対して略垂直に延びる長尺な円筒キャップまたはダストカバーとして保持部１３２が形成されるため、保持部１３２の形状が異なる。図１７〜図１８の実施形態の保持部１３２のリングをその中心軸線に沿って拡張すると、図２３〜図２４の実施形態の保持部１３２の形状がもたらされる。なお、円筒キャップ以外の形状が可能であることに留意すべきである。また、保持部１３２は、内側に平坦な面を含んでもよく、またはねじを含んでもよい。重要なのは、以下で詳しく説明するように、保持部１３２とコネクタ１３４との相互作用である。
【０３４０】
[00411]図２５、図２６、図２７、図２８はそれぞれ、図２３、図２４に示されるクランプ要素の正面図、左側面図、右側面図であり、同様の参照符号が同様の要素を示す。
【０３４１】
[00412]図２９は、本開示に係る図１７〜図１８のピンチクランプアセンブリの実施形態のその構成要素の組み立て前の状態における分解斜視図を示している。管１４０は、シリコンまたは任意の他の適した材料から形成されるポンピング部分を含む。管１４０の両端には、シリコン管１４０を保持し且つピンチクランプアセンブリのカセット１００の長手方向端部に設けられる保持手段１０２に嵌合するように構成されている２つの管取り付け要素１４２が設けられる。良好な嵌合を行なうため、管取り付け要素１４２は、カセット１００の保持手段１０２に形成される穴と係合するように構成されているフランジを有する。図３１は、本開示に係るピンチクランプアセンブリに嵌合する管１４０を示している。なお、通常は、輸液セット全体のうち管部のポンピング部分だけがシリコンから形成され、一方、管の残りの部分はＰＶＣ（ポリ塩化ビニル）により形成される。また、ＰＶＣ管のような輸液セットの他の構成要素が添付図面に描かれていないことに留意すべきである。
【０３４２】
[00413]本開示に係るピンチクランプアセンブリの他の構成要素は、金属または同様の特性を有する他の適した材料から形成されてもよいばね１３０である。図３０から詳細に分かるように、クランプ要素１２０をカセットまたはベース１００に取り付けることができる前に、ばね１３０が円筒状に形成された保持手段１１０内に挿入されなければならない。その後、図示の実施形態では経腸アダプタであるコネクタ１３４がクランプ要素１２０と共にアセンブリに取り付けられてもよい（図３１参照）。クランプ要素１２０のスイベルピン１３６がばね１３０の力に抗してカセット１００の座部１１６内に挿入されなければならない。それにより、管１４０は、ベース上において、第１および第２のクランプ面１０４、１３８間で圧縮される。図示の実施形態では、管閉塞部１２４のクランプ面および第２の脚部１２６が平坦である。しかしながら、シリコン管の特性に応じてクランプ要素１２０の圧搾機能を促進させるために、クランプ面が平らでなく、波形であり、またはフィン付きであることも想定し得る。
【０３４３】
[00414]管は、ピンチクランプアセンブリの送出状態中に圧縮されてはならない。したがって、クランプ要素１２０は、クランプ面が離れてとどまるように、どうにかして傾けられなければならない。これは、ばね１３０の一端が円筒状に形成された保持要素１１０で圧縮され且つばねの他端が手段１２８で圧縮されるようにクランプ要素１２０を第２の脚部１２６で押し下げることにより達成されてもよい。このとき、第２の脚部１２６の最下位置では、すなわち、手段１２８が円筒状に形成された保持手段１１０と実質的に接触する場合、その間にカセット１００の側壁および内壁１０８の支持部１０６を貫通して挿入されるコネクタ１３４（図３２参照）は、それがクランプ要素１２０の保持部またはキャップ１３２内に挿入されるようにその先端がその軸線に沿って更に移動される。図２３〜図２４の保持部またはキャップ１３２はクランプ要素側が閉じられる円筒体として形成され、それにより、係合時に塵埃がコネクタ１３４内に入ることが防止される。この係合は、クランプ要素１２０の第２の脚部１２６の側を押し下げたまま維持するロック機構としての機能を果たし、このことは、第１および第２のクランプ面１０４、１３８が離間されて管１４０が解放されるように第１の脚部１２２が上方位置に保たれることを意味する。管１４０が開放してクランプ要素１２０がばね１３０の力に抗して押し下げられるこの位置は、開位置と呼ばれる。
【０３４４】
[00415]図３３、図３４、図３５は、異なる側から見た開位置の本開示に係るピンチクランプアセンブリの図２３〜図２４の実施形態を示している。コネクタ１３４は、それが軸方向に引っ張られなければアセンブリから抜け落ちることができないように保持部１３２と強固に係合されることに留意すべきである。図は、コネクタ１３４として、一端にテーパ嵌合を有する経腸アダプタを示している。なお、他のタイプのコネクタが使用されてもよく、また、コネクタ１３４の外方端が例えば溶剤結合によって管に直接に接続される。また、管に接続するためにルアータイプのロックが使用されてもよい。
【０３４５】
[00416]コネクタ１３４と保持部１３２および／またはカセット１００の側壁および内壁１０８の支持部１０６との間の係合は、対向する面にねじを設けることによって高められてもよい。これは、保持部１３２がキャップまたはダストカバーとして形成される図２３〜図２４の実施形態において有益な場合がある。
【０３４６】
[00417]前述したように、コネクタ１３４がピンチクランプアセンブリに取り付けられる開位置は送出状態を表わす。ピンチクランプアセンブリを経腸栄養ポンプまたは輸液ポンプに取り付けるためには、コネクタ１３４をピンチクランプアセンブリから取り外さなければならず、コネクタ１３４を患者のポートに取り付けなければならず、また、コネクタ１３４を伴わないアセンブリをポンプの対応するスロットに挿入しなければならない。
【０３４７】
[00418]コネクタ１３４がピンチクランプアセンブリから取り外されると直ぐに、クランプ要素が閉位置へ移行し、それにより、管１４０を通じた流れが遮断される。コネクタ１３４を取り外すことは、コネクタの先端を保持部１３２（キャップ／ダストカバーまたはリング）とのその係合から引き離すことを意味する。この離脱はばね１３０を解放し、これにより、ばねは、クランプ要素１２０の手段１２８を押圧して第２の脚部１２６を上方へ移動させる。これにより、クランプ面１０４、１３８がそれらの間にシリコン管１４０を挟んだ状態で互いに押し付けられるため、管１４０が即座に閉塞される。このように、クランプ要素１２０は、ばね１３０の状態に応じて管１４０を通じた流れを開閉する傾動スイッチとしての役目を果たす。閉位置は、本開示に係るピンチクランプアセンブリの図２３〜図２４の実施形態の異なる斜視図を示す図３６および図３７において見ることができる。
【０３４８】
[00419]コネクタ１３４がピンチクランプアセンブリに強固に係合してピンチクランプアセンブリの一体部分である間は、アセンブリは送出状態にあって開位置を成すことができる。コネクタ１３４がアセンブリ内に緊密に保持されるため、フリーフロー状態を生み出すことができず、また、コネクタ１３４をピンチクランプアセンブリから取り外すと、直ちにクランプ要素１２０がその閉位置へ至る。したがって、ピンチクランプアセンブリをポンプ内に挿入する前は、シリコン管１４０を通じた流れが常に遮られる。
【０３４９】
[00420]なお、図３６および図３７に示されるピンチクランプアセンブリは、そのままで経腸栄養ポンプまたは輸液ポンプに取り付けられるように構成されている。無論、取り付けを行なうことができる前に、コネクタ１３４を取り外さなければならない。コネクタ１３４が取り外された状態でピンチクランプアセンブリを経腸栄養ポンプまたは輸液ポンプに取り付けると、クランプ要素１２０は依然としてその閉位置にあり、それにより、シリコン管１４０のポンピング部分を通じた液体の流れが遮断される。したがって、フリーフロー状態が回避される。しかしながら、シリコン管１４０のポンピング部分の閉塞状態は、ピンチクランプアセンブリの他の構成要素を伴うカセット１００が経腸栄養ポンプまたは輸液ポンプに挿入されると直ぐに解放されなければならない。図３６および図３７から分かるように、第２の脚部１２６は、その上面がアセンブリの残りの部分の上面から突出する。したがって、ポンプは、ばね１３０の力に抗してクランプ要素１２０の第２の脚部１２６を押し下げ、それにより、クランプ面１０４、１３８を離間させて管１４０を通じた流れを開放する解放手段を含む。当業者は、クランプ要素１２０の第２の脚部１２６を押し下げるためのポンプの様々な構造を考えることができる。
【０３５０】
[00421]一実施形態では、ロック・解放機構について説明してきた。磁気的な解決策または締結手段を伴う解決策など、他のロック・解放機構も可能であることに留意すべきである。しかしながら、全ての代わりの解決策は、コネクタ１３４が取り外されなければ手でまたは医療関係者に容易に利用できる工具を用いてクランプ要素１２０を容易に開放できないように不正使用が防止されるべきである。
【０３５１】
[00422]本開示の主題によれば、患者に対して栄養を送出しまたは医療用溶液を注入するように構成されている経腸栄養ポンプまたは輸液ポンプと管とを係合させるためのピンチクランプアセンブリであって、比較的簡単な構造を有し、常に機能するフリーフロー防止機構を確保するとともに、シリコン管の長期保管を可能にするピンチクランプアセンブリが提供されてきた。
【０３５２】
[00423]他の実施形態において、本開示は、流れ制御装置および流れ制御装置を使用する方法に関する。一般的な実施形態において、本開示は、締め付け器を有する筐体と、筐体に取り付けられて締め付け器を貫通して配置される管と、管の内側に配置されるボールとを含むカセットを提供する。この形態では、ボールと締め付け器との組み合わせがフリーフロー防止機構を形成する。ボールは、カセットが使用されないときに管を通じた流体流れを制限する。カセットは、栄養組成体をそれを必要とする人または患者へ投与する経腸投与装置またはシステムの一部となることができる。
【０３５３】
[00424]フリーフロー防止機構を収容するカセットは、カセットの筐体に組み込まれる特徴部を介してフリーフロー防止機構および栄養管セットをポンプ装置内に組み込むための優れた方法をユーザに与えるとともに、人または患者に対して栄養組成体を首尾よく送出するための他の組み込み機能性を与える。フリーフロー防止機構は、例えば以下の場合において、すなわち、１）栄養管セットに栄養流体が導入される前および後に、２）ポンプ装置内に栄養管セットを取り付ける最中およびポンプ装置から栄養管セットを取り外す最中に、３）栄養管セットがポンプ装置から取り外された後に、経腸栄養管セット内の栄養組成体の漏れ／流れを防止する。
【０３５４】
[00425]本明細書中で使用される用語「栄養組成体」は、完全な栄養組成体、部分的なまたは不完全な栄養組成体、および、病気または病状特有の栄養組成体を含むがこれらに限定されない。完全な栄養組成体（すなわち、全ての不可欠なマクロおよびミクロの栄養素を含む栄養組成体）を患者のための唯一の栄養源として使用できる。患者は、自分達の栄養所要量の１００％をそのような完全栄養組成体から受けることができる。部分的なまたは不完全な栄養組成体は、全ての不可欠なマクロおよびミクロの栄養素を含まず、患者のための唯一の栄養源として使用することができない。部分的なまたは不完全な栄養組成体は栄養補給剤として使用することができる。
【０３５５】
[00426]図３８〜図３９に示される実施形態において、本開示は、押し退け機構２０４を有するポンプ装置２０２を含む流れ制御システム２００を提供する。流れ制御システム２００は、ポンプ装置２０２に取り外し可能に取り付けられるカセット２０６を更に含む。カセット３０の構造は、管を経路付ける／案内する必要なくまたは管を経腸栄養管セットからロータ（例えば、蠕動ポンプの一部）上で引き伸ばす必要なく経腸栄養管セット（図示せず）をポンプ装置２０２に組み付けるのに役立つことができる。
【０３５６】
[00427]ポンプ装置２０２が経腸栄養ポンプであってもよい。ポンプ装置の非限定的な例が参照することにより本願に組み入れられる米国特許第６，６５９，９７６号に記載されている。ポンプ装置２０２は、モニタ／情報スクリーン２０８と、ポンプ装置２０２を動作させるための制御パッド２１０とを含むことができる。
【０３５７】
[00428]カセット２０６は、図３８〜図３９に示される形状などの任意の適した形状を有することができ、ポンプ装置２０２内に配置されるように構成されている。別のカセット形態の非限定的な例は、参照することにより本願に組み入れられる米国特許第Ｄ５０４，５０６号、Ｄ５０５，１９９号、Ｄ４５５，４８９号、Ｄ５０１，９２４号、およびＤ５０７，６４７号に記載されている。カセット２０６は、任意の適した硬質、半硬質、または柔軟な材料から形成することができる。カセット２０６は、それを一方向でのみポンプ装置２０２内に挿入できるように「キー付け／ポカヨケ」することもできる。
【０３５８】
[00429]図３８〜図３９に示されるように、カセット２０６は、カセット２０６がポンプ装置２０２内に配置されるときにポンプ装置２０２の押し退け機構２０４と位置合わせするように構成されて配置される締め付け器２１４を有する筐体２１２を含む。可撓管２１６が筐体２１２に取り付けられるとともに締め付け器２１４を貫通して配置される。可撓管２１６はシリコンなどの任意の適した材料から形成できる。言うまでもなく、可撓管２１６の任意の適した部分を柔軟にすることができ、一方、残りの部分は硬質または半硬質である。
【０３５９】
[00430]ボール２１８が可撓管２１６の内側に配置されまたは位置決めされる。締め付け器２１４は、ボール２１８が締め付け器２１４に隣接する位置で可撓管２１６を通って移動しないように構成されて配置される。例えば、締め付け器２１４は、図４０に見られるようにカセット２０６に組み付けられる可撓管２１６の外径（「ＯＤ」）よりも僅かに小さい穴または通路を画定することができる。言うまでもなく、ボール２１８は、可撓管２１６の通路の内径（「ＩＤ」）形状と適合するように任意の適した形状（例えば、球形、立方体、多角形）を有することができる。
【０３６０】
[00431]可撓管２１６は、入口ポート２２２に取り付けられる第１の端部２２０と、出口ポート２２６に取り付けられる第２の端部２２４とを含むことができる。結果として、流体は、第１の端部２２０から第２の端部２２４へ向かう方向で可撓管２１６を通じて流れることができる。入口ポート２２２は、栄養組成体源に接続される管に取り付けることができる。出口ポート２２６は、栄養組成体を受ける人に接続される管に取り付けることができる。
【０３６１】
[00432]別の実施形態において、入口ポート２２２および出口ポート２２６は、上流閉塞検出センサおよび下流閉塞検出センサ（図示せず）のそれぞれを含むことができる。用語「上流」とは、栄養組成体源（例えば、送出バッグ）と流体流れを与えるために使用されるポンプロータ（例えば、蠕動ポンプ）との間の管の部分のことである。用語「下流」とは、ポンプロータと栄養組成体を受ける人に対する先端コネクタとの間の管の部分のことである。
【０３６２】
[00433]カセット２０２は、センサポートと、組み込まれたセンサ窓とを含むことができる。例えば、ポートおよび窓の形状およびサイズは、上流および下流の閉塞を検出しおよび／または流体の流動経路または管内のエアーを検出するためにポンプ装置のセンサと一意的に協働できる。また、カセット２０６の任意の部分は、カセット２０６がポンプ装置２０２内に不正確に挿入されないように他の特徴部を組み込むことができる。
【０３６３】
[00434]作業中、可撓管２１６が締め付け器２１４内に挿入されると、可撓管２１６のＯＤは、締め付け器２１４の穴のサイズに適合し、それに比例して、可撓管２１６のＩＤを減少させる。ボール２１８は、カセット２０６の可撓管２１６の内側であって、締め付け器２１４の上流側の流体の流路内に直接に配置される（図４０参照）。ボール２１８は、それが締め付け器２１４に隣接する位置の可撓管２１６の減少されたＩＤよりも大きくなるように寸法付けられる。
【０３６４】
[00435]可撓管２１６内の流体が圧力を受けているときに、ボール２１８は締め付け器２１４へ向かって押圧されて締め付け器２１４に押し付けられる（図４０参照）。ボール２１８は締め付け器２１４での可撓管２１６の減少されたＩＤよりも大きいため、ボール２１８が締め付け器２１４の表面に対して可撓管２１６を圧搾する。その結果、ボール２１８と締め付け器２１４との間の管材料が、ガスケットまたはＯリングとして作用して、ボール２１８が締め付け器２１４を通過することを防止する。
【０３６５】
[00436]ボール２１８に作用する流体圧は、形成されたガスケットにボール２１８を押し付け、可撓管２１６を通じた流体の流路を塞ぐ。圧力の増大に伴って、ボール２１８に作用する密閉力が比例的に増大し、それにより、非常に良好な密閉が形成されて流体流れが防止される。
【０３６６】
[00437]可撓管２１６を通じた流体流れを塞がないようにまたは許容するために、図３８および図４０〜図４２に示されるように押し退け機構２０４によってボール２１８が機械的に押し退けられる。図４０〜図４２に見られるように、押し退け機構２２２は、可撓管２１６の外面を押圧して、ボール２１８をその着座／密閉位置から移動させることによりボール２１８を変位させる。ボール２１８が変位され／押し退けられると、可撓管２１６のＩＤの変形に起因して新たに形成された間隙２４８によって流路が開かれて可撓管２１６を通じて流体が流れる。
【０３６７】
[00438]押し退け機構２０４の除去時（例えば、カセット２０６をポンプ装置２０２から除去することにより）、ボール２１８は、締め付け器２１４に再び着座し（可撓管２１８の弾力性と可撓管に作用する流体圧とに起因して）、流路を再び密閉する（図４０参照）。結果として、カセットが挿入されるときにはポンプによりフリーフロー防止機構のロックを解除してフリーフロー防止機構を機能させないようにすることができ、カセットがポンプ２０２から除去されるときにはフリーフロー防止機構が再び作動される。既存の経腸栄養管セットの従来のフリーフロー防止機構とは異なり、カセット２０６は、圧力またはローラクランプによりドアを閉じることにより非作動状態にされない。その代り、カセットは、ポンプ装置２０２の特徴部を介してボール２１８を物理的に押し退けることにより非作動状態にされる。
【０３６８】
[00439]つまり、カセット２０６の内側のフリーフロー防止機構は、圧力によって作動させることができ、また、ボール２１８を機械的に変位させることにより解除することができる。フリーフロー防止機構を作動させるためにシステムにばねが必要とされない。ボール２１８に作用する圧力が流路を密閉し、それにより、可撓管２１６を通じた流れが防止される。このフリーフロー防止機構はポンプ圧送中の任意の静圧損失を防止する。カセット２０６がポンプ装置２０２の内側にあるときには、ポンプ装置２０２内のポンプローラ（例えば、蠕動ポンプ）によって流れを防止し／制御することができる。
【０３６９】
[00440]図４３に示される別の実施形態において、本開示は、締め付け器２３２と締め付け器２３２にまたはその近傍に移動可能に取り付けられる押し退け機構２３４とを有する筐体２３０を含むカセット２２８を提供する。可撓管２３６が筐体２３０に取り付けられて締め付け器２３２を貫通して配置される。ボール２３８が可撓管２３６の内側に配置される。締め付け器２３２は、ボール２３８が締め付け器２３２に隣接する位置で可撓管２３６を通じて移動するのを防止するように構成されて配置される。可撓管２３６は、入口ポート２４２に取り付けられる第１の端部２４０と、出口ポート２４６に取り付けられる第２の端部２４４とを含むことができる。カセット２２８は、任意の適したポンプ装置に対して取り外し可能に取り付けることができる。
【０３７０】
[00441]カセット２２８と適合するポンプ装置は押し退け機構を何ら含む必要がない。この場合、カセット２２８がポンプ装置に挿入されると、ポンプ装置の表面が押し退け部材２３４を可撓管２３６内へ押し下げることができ、それにより、押し退け部材２３４がボール２３８を締め付け器またはその近傍のその位置から押し退けまたは移動させることができる。可撓管２３６の変形の結果として、流体はボール２３８を通り過ぎて流れることができる。カセット２２８がポンプ装置から除去されると、可撓管２３６はその当初の形状に戻ることができ、それにより、ボール２３８を締め付け器２３２またはその近傍に再配置して可撓管２３６内の流れを遮断することができる。
【０３７１】
[00442]更なる他の実施形態において、本開示は、管内の流体流れを制御する方法を提供する。該方法は、１）締め付け器を有する筐体と、２）筐体に取り付けられて締め付け器を貫通して配置される管と、３）管の内側に配置されるボールとを含むカセットを設けることを含む。管を通じた流体流れは、締め付け器に隣接する位置で管内にボールを配置することにより閉塞される。方法は、管内のボールを押し退けることによって管を通じて流体を通過させることを含む。
【０３７２】
[00443]一実施形態では、カセットがポンプ装置内に配置されると、ボールが押し退けられる。例えば、押し退け機構をカセットに取り付けることができ、また、カセットがポンプ装置内に配置されるときにボールを押し退けるように押し退け機構を構成して配置することができる。あるいは、押し退け機構をポンプ装置内に取り付けることができ、また、カセットがポンプ装置内に配置されるときにボールを押し退けるように押し退け機構を構成して配置することができる。
【０３７３】
[00444]更に他の実施形態において、本開示は、流れ制御装置および流れ制御装置を使用する方法に関する。一般的な実施形態において、本開示は、フロー制限器を有する筐体と、筐体に取り付けられてフロー制限器に隣接して配置される管とを含むカセットを提供する。フロー制限器は、筐体に取り付けられるばねおよび／またはペグと組み合わされるロック部材を含んでもよい。この構成において、フロー制限器のロック部材は、管を通じた流体の流れを制限する第１の位置から流体が管を通じて流れることができるようにする第２の位置へ回転するように構成されて配置される。カセットが使用されていないときにロック部材を第１の位置に配置すると、管を通じた流体の流れが制限される。カセットは、栄養組成体をそれを必要とする人または患者へ投与する経腸投与装置またはシステムの一部となることができる。
【０３７４】
[00445]フロー制限機構を含むカセットは、カセットの筐体に組み込まれる特徴部を介してフロー制限機構および栄養管セットをポンプ装置内に組み込むための優れた方法をユーザに与えるとともに、人または患者に対して栄養組成体を首尾よく送出するための他の組み込み機能性を与えてもよい。フロー制限機構は、例えば以下の場合において、すなわち、１）栄養管セットに栄養流体が導入される前および後に、２）ポンプ装置内に栄養管セットを取り付ける最中およびポンプ装置から栄養管セットを取り外す最中に、３）栄養管セットがポンプ装置から取り外された後に、経腸栄養管セット内の栄養組成体の漏れ／流れを防止する。
【０３７５】
[00446]図４４〜図４５に示される実施形態において、本開示は、作動部材３０４を有するポンプ装置３０２を含む流れ制御システム３００を提供する。流れ制御システム３００は、ポンプ装置３０２に取り外し可能に取り付けられるカセット３０６を更に含む。カセット３０６の構造は、管を経路付ける／案内する必要なくまたは管を経腸栄養管セットロータ（例えば、蠕動ポンプの一部）上で引き伸ばす必要なく経腸栄養管セット（図示せず）をポンプ装置３０２に組み付けるのに役立つことができる。
【０３７６】
[00447]ポンプ装置３０２が経腸栄養ポンプであってもよい。ポンプ装置の非限定的な例が参照することにより本願に組み入れられる米国特許第６，６５９，９７６号に記載されている。ポンプ装置３０２は、モニタ／情報スクリーン３０８と、ポンプ装置３０２を動作させるための制御パッド３１０とを含むことができる。
【０３７７】
[00448]カセット３０６は、図４４および図３６〜図４７に示される形状などの任意の適した形状を有することができ、ポンプ装置３０２内に配置されるように構成されている。別のカセット形態の非限定的な例は、参照することにより本願に組み入れられる米国特許第Ｄ５０４，５０６号、Ｄ５０５，１９９号、Ｄ４５５，４８９号、Ｄ５０１，９２４号、および、Ｄ５０７，６４７号に記載されている。カセット３０６は、任意の適した硬質、半硬質、または、柔軟な材料から形成することができる。カセット３０６は、それを一方向でのみポンプ装置３０２内に挿入できるように「キー付け／ポカヨケ」することもできる。
【０３７８】
[00449]図４４〜図４５に示されるように、カセット３０６は、カセット３０６がポンプ装置３０２に挿入されるときにポンプ装置３０２の作動部材３０４と位置合わせするように構成されて配置されるフロー制限器３１４を有する筐体３１２を含む。筐体３１２は、フロー制限器３１４とは反対の可撓管３１８の側に可撓管３１８に隣接して配置されまたは位置決めされるストッパ３１６を更に含む。可撓管３１８は筐体３１２に取り付けられるとともにフロー制限器３１４に隣接して配置される。可撓管３１８はシリコンなどの任意の適した材料から形成できる。言うまでもなく、可撓管３１８の任意の適した部分を柔軟にすることができ、一方、残りの部分は硬質または半硬質である。
【０３７９】
[00450]可撓管３１８は、入口ポート３２２に取り付けられる第１の端部３２０と、出口ポート３２６に取り付けられる第２の端部３２４とを含むことができる。結果として、流体は、第１の端部３２２から第２の端部３２４へ向かう方向で可撓管３１８を通じて流れることができる。入口ポート３２２は、栄養組成体源に接続される管に取り付けることができる。出口ポート３２６は、栄養組成体を受ける人に接続される管に取り付けることができる。
【０３８０】
[00451]図４７に示されるように、一実施形態において、フロー制限器３１４は、ロック部材３２８と、ばね３３０と、筐体３１２に取り付けられるペグ３３２とを含む。ロック部材３２８は閉塞部３３４と作動部３３６とを含む。前述したように、フロー制限器３１４は、ポンプ装置３０２の作動部材３０４と位置合わせするように構成されて配置される。具体的には、フロー制限器３１４の作動部４６は、フロー制限器３１４を回転させるために作動部材３０４によって接触されるように構成されて配置される。作動部材３０４は、形状が略長方形として示されているが、フロー制限器３１４と接触してこれを回転させるのに十分な任意の形状またはサイズを有してもよい。例えば、作動部材３０４は、正方形、長方形、三角形、楕円形、放物線等の形状を有してもよい。同様に、フロー制限器３１４の作動部３３６が、作動部材３０４によって接触されて回転されるのに十分な任意の形状またはサイズを有してもよいことも言うまでもない。例えば、作動部３３６は、正方形、長方形、三角形、楕円形、放物線等の形状を有してもよい。また、当業者であれば分かるように、フロー制限器３１４の閉塞部３３４は、可撓管３１８をストッパ３１６に押し付けることによって可撓管３１８を閉塞するのに十分な任意の形状またはサイズを有してもよい。例えば、作動部３３６は、正方形、長方形、三角形、楕円形、放物線等の形状を有してもよい。
【０３８１】
[00452]作業中、カセット３０６がポンプ装置３０２内に挿入されると、作動部材３０４がロック部材３２８の作動部３３６と接触する。ポンプ装置３０２内に挿入し続けられると、作動部材３０４がフロー制限器３１４を作動させる。一実施形態において、作動部材３０４は、ポンプ装置３０２から離れる方向でロック部材３２８の作動部３３６を押圧してロック部材３２８を反時計回りに回転させることによりフロー制限器３１４を作動させる。ロック部材３２８およびばね３３０は、ペグ３３２と共有される共通の回転軸線を中心に回転する。当業者であれば分かるように、ロック部材３２８が反時計回りに回転する必要はない。むしろ、他の実施形態では、ロック部材３２８が時計回りに回転してもよい。
【０３８２】
[00453]フロー制限器３１４が回転によって作動される実施形態では、フロー制限器３１４は、図４４および図４６に示される第１の位置または休止位置から、カセット３０６がポンプ装置３０２内に挿入されるときの第２の位置または作動位置（図示せず）へ回転する。第１の位置または休止位置では、フロー制限器３１４がストッパ３１６に隣接して配置される。「ストッパ３１６に隣接して配置される」とは、流体が可撓管３１８を通じて流れないようにフロー制限器３１４の少なくとも一部がストッパ３１６に十分近接して配置されると理解される。したがって、フロー制限器３１４が第１の位置または休止位置にあり且つばね３３０が対応する付勢位置にあるときには、ロック部材３２８の閉塞部３３４が可撓管３１８をストッパ３１６に押し付けて可撓管３１８を閉塞するとともに可撓管を通じた流体の流れを防止することができる。カセット３０６は、ポンプ装置３０２内へのカセット３０６の挿入前およびカセット３０６がポンプ装置３０２から取り外された後は、第１の位置または休止位置にあってもよい。
【０３８３】
[00454]前述したように、カセット３０６がポンプ装置３０２内に挿入されるにつれて、作動部材３０４がロック部材３２８の作動部３３６と接触する。ポンプ装置３０２内に挿入し続けると、作動部材３０４がロック部材３２８の作動部３３６に作用し続けてロック部材３２８を第２の作動位置（図示せず）へ回転させ、それにより、張力をばね３３０に印加して、フロー制限器３１４がストッパ３１６から離間して配置されるようにロック部材３２８の閉塞部３３４をストッパ３１６から離間させる。「ストッパ３１６から離間して配置される」とは、流体が可撓管３１８を通じて流れることができるようにフロー制限器３１４がストッパ３１６から十分遠くに離れて配置されると理解される。したがって、フロー制限器３１４が作動位置にあるときには、ロック部材３２８の閉塞部３３４が可撓管３１８をストッパ３１６に押し付けて閉塞せず、そのため、流体が可撓管を通じて流れることができる。
【０３８４】
[00455]カセット３０６がポンプ装置３０２内に十分に挿入されると、作動部材３０４は、カセット３０６がポンプ装置３０２内に存在している時間の間にわたって流体が可撓管３１８を通じて流れることができるようにロック部材３２８の作動部３３６と接触したままである。カセット３０６がポンプ装置３０２から取り外されると、作動部材３０４はロック部材３２８の作動部３３６との接触を失い、それにより、ばね３３０に作用する張力が解放できる。ばね３３０の張力が解放すると、ばね３３０およびロック部材３２８は第１の位置または休止位置へ戻ることができる。一実施形態において、ロック部材３２８およびばね３３０は、ロック部材３２８の作動部３３６がストッパ３１６と接触するまで解放されて時計回りに回転し、作動部３３６がストッパ３１６と接触すると、ロック部材３３０の更なる時計回りの回転が防止される。このように、カセット３０６がポンプ装置３０２から取り外されると、フロー制限器３１４が第１の解放位置へ移動し、それにより、可撓管３１８が閉塞される。
【０３８５】
[00456]結果として、フロー制限器３１４は、カセット３０６がポンプ装置３０２に挿入されるときにポンプ装置３０２によってロックが解除されて機能しなくなり、また、カセットがポンプ装置３０２から取り外されるときに機能が再開される。既存の経腸栄養管セットの従来のフリーフロー防止装置とは異なり、カセット３０６は、圧力またはローラクランプによりドアを閉じることにより解除されない。その代り、カセットは、ポンプ装置３０２の特徴部を介してフロー制限器３１４を物理的に回転させることにより解除される。
【０３８６】
[00457]つまり、カセット３０６のフロー制限機構は、ばね３３０の付勢によって作動させることができ、また、ロック部材３２８を回転させてばね３３０に張力を加えることにより解除することができる。ばね３３０の付勢と協働するロック部材３２８が流路を密閉し、それにより、可撓管３１８を通じた流れを防止する。このフロー制限機構はポンプ圧送中の任意の静圧損失を防止する。カセット３０６がポンプ装置３０２の内側にあるときには、ポンプ装置３０２内のポンプローラ（例えば、蠕動ポンプ）によって流れを防止し／制御することができる。
【０３８７】
[00458]前述したように、経腸栄養システムの一部として経腸栄養管セットと共に経腸栄養ポンプを使用して医用流体を投与することは、当該医療技術分野において良く知られている。経腸栄養管セットは、一般に、ポンプ装置に組み込むことができる中心に配置された短い管部分に接続される幾つかの長い管部分を含む。経腸栄養管セットに対する１つの共通の懸念は、多量のエアーが経腸栄養溶液にもたらされることが望ましくないということである。経腸システムにおいて、過度のエアーは、患者の消化器系を刺激して、他の病状を悪化させる場合がある。
【０３８８】
[00459]経腸栄養管セット内のどのようなエアーも、経腸栄養ポンプの容積計算を不正確にする可能性もある。未知の量のエアーが管セットを通過すると、経腸栄養システムは、患者へ送出された溶液の実際の量を正確に決定することができない。結果として、所定の期間にわたって、経腸栄養システムを通過する過度の量のエアーは、システムが指示する送出されるべき経腸栄養溶液の量と患者に送出された実際の量との間にかなりの違いをもたらす可能性がある。
【０３８９】
[00460]更に他の実施形態において、本開示は、気泡センサシステムおよび気泡センサシステムを使用する方法に関する。気泡センサシステムは、赤外線技術を利用し、ポンプ装置に組み込むことができる。ポンプ装置は、栄養組成体をそれを必要とする人または患者へ投与する経腸投与装置またはシステムの一部となることができる。
【０３９０】
[00461]病気または病状特有の栄養組成体は、栄養素を伝達する組成体であり、完全なまたは部分的な栄養組成体となることができる。病気または病状特有の栄養組成体は、所定の状況で支援するように構成されている組成体、例えば、術後の感染を減らすためにＮｅｓｔｌｅ  Ｎｕｔｒｉｔｉｏｎにより販売されるＩｍｐａｃｔ（登録商標）、糖尿病または高血糖を伴う人のためにＮｅｓｔｌｅ  Ｎｕｔｒｉｔｉｏｎにより販売されるＤｉａｂｅｔｉｓｏｕｒｃｅ  ＡＣ（登録商標）、および、呼吸器系統の病気を伴う患者または人工呼吸器のサポートを必要とする患者のためにＮｅｓｔｌｅ  Ｎｕｔｒｉｔｉｏｎにより販売されるＮｏｖａｓｏｕｒｃｅ（登録商標）ｐｕｌｍｏｎａｒｙである。
【０３９１】
[00462]図４８〜図４９に示されるように、一実施形態において、本開示は、ポンプ装置４０４に取り外し可能に取り付けられるカセット４０２を含む気泡センサシステム４００を提供する。ポンプ装置４０４は、ポンプ装置４０４の内側部分内に気泡センサシステムの一部として配置される赤外線反射発光ダイオード４０８と赤外線フォトトランジスタ受光体４１０とを有する赤外線センサシステム４０６を含むことができる。赤外線発光体４０８が発光ダイオードであってもよい。
【０３９２】
[00463]カセット４０２は、気泡センサシステムの一部として検出チャンバ４１２を更に含む。検出チャンバ４１２の詳細が図５０に示されている。赤外線反射発光ダイオード４０８および赤外線フォトトランジスタ受光体４１０は、図４８に示されるように検出チャンバ４１２の長手方向に対して垂直に並んで横たわるように配置することができる。
【０３９３】
[00464]ポンプ装置４０４が経腸栄養ポンプであってもよい。ポンプ装置の非限定的な例が参照することにより本願に組み入れられる米国特許第６，６５９，９７６号に記載されている。ポンプ装置４０４は、モニタ／情報スクリーン４１４と、ポンプ装置４０４を動作させるための制御パッド４１６とを含むことができる。モニタ／情報スクリーン４１４および制御パッド４１６は、本開示の実施形態では、気泡センサシステムと併せて使用することもできる。ポンプ装置４０４は、電源ボタン４１８と、カセット４０２をポンプ装置４０４から解放するための解放機構４２０とを更に含むことができる。
【０３９４】
[00465]カセット４０２は、図４８に示される形状などの任意の適した形状を有する筐体または支持構造体を含むことができる。カセット４０２は、図４９に示されるようにポンプ装置４０４内に部分的にまたは完全に挿入されるように形成することができる。カセット４０２の構造は、管を経路付ける／案内する必要なくまたは管を経腸栄養管セットからポンプ装置４０４内に収容されるロータ（例えば、蠕動ポンプの一部）上で引き伸ばす必要なく経腸栄養管セットをポンプ装置４０４に組み付けるのに役立つことができる。別のカセット形態の非限定的な例は、参照することにより本願に組み入れられる米国特許第Ｄ５０４，５０６号、Ｄ５０５，１９９号、Ｄ４５５，４８９号、Ｄ５０１，９２４号、およびＤ５０７，６４７号に記載されている。カセット４０２は、任意の適した硬質、半硬質、または柔軟な材料から形成することができる。カセット４０２は、それを一方向でのみポンプ装置４０４内に挿入できるように形成することもできる。
【０３９５】
[00466]図４８に見られるように、カセット４０２は、第１の端部４２４が検出チャンバ４１２に取り付けられる管４２２を含む。管４２２は、柔軟であってもよく、硬質または半硬質部分を有することができる。管４２２は、栄養管であってもよく、ポンプ（例えば、蠕動ポンプ）のロータと共にポンプ装置４０４に組み込まれるように構成して配置することができる。
【０３９６】
[00467]検出チャンバ４１２は、カセット４０２から離れるように延びる管４２６に取り付けることができる。管４２２は、カセット４０２から離れるように延びる管４３０に取り付けられる第２の端部４２８を更に含むことができる。結果として、流体は、第１の端部４２４から第２の端部４２８へ向かう方向で管４２２を通じて流れることができる。管４２６を栄養組成体源に接続することができる。管４３０を栄養組成体を受ける人に接続することができる。
【０３９７】
[00468]図５０〜図５１に示されるように、検出チャンバ４１２は、管４２６に取り外し可能に取り付けできるように構成される第１の端部４３２と、管４２２の第１の端部４２４に取り外し可能に取り付けできるように構成される第２の端部４３４とを含む長尺体を有することができる。言うまでもなく、検出チャンバ４１２を管４２２および／または管４２６と（例えば、一体品として）一体に取り付けることもできる。
【０３９８】
[00469]検出チャンバ４１２は、赤外線反射センサ４０６からの赤外光またはエネルギが通過できるように窓４３６を更に含むことができる。窓４３６は、赤外線反射センサ４０６からの赤外光が通過できるようにする任意の適した光学的に透明な材料から形成することができる。赤外線発光体４０８および赤外線フォトトランジスタ受光体４１０は、ポンプ装置４０４内でのそれらの位置（図４８参照）から、カセット４０２が検出チャンバ４０４内に挿入されるときに窓４３６またはその近傍に配置される。一実施形態において、赤外線反射発光ダイオード４０８および赤外線フォトトランジスタ受光体４１０は、図５１に示されるように検出チャンバ４１２の上部に沿ってスタックされた位置状態を成すことができる。
【０３９９】
[00470]検出チャンバ４１２は、それぞれの端部で管を保持するように構成されて配置される成形プラスチックチャンバから形成することができる。例えば、検出チャンバ４１２を透明なポリ二塩化ビニル材料から形成することができる。窓４３６に加えて、検出チャンバ４１２の任意の部分は、赤外線透過面または赤外光の透過を防止するための固体表面を含むことができる。
【０４００】
[00471]一実施形態では、赤外光を赤外線フォトトランジスタ受光体４１０によって検出されるように反射するために、赤外線反射面４２６を窓４３６の背後に配置することができる。赤外線反射面４２６は、白紙または金属面などの任意の適した反射面であってもよい。赤外線反射面４２６を検出チャンバ４１２の一部として組み込むことができる。あるいは、赤外線反射面４２６は、窓４３６の背後の位置にカセット４０２の一部として組み込むことができ、または、カセット４０２がポンプ装置４０４に挿入されるときの窓４３６の背後の位置でポンプ装置４０４の内部に組み込むことができる。
【０４０１】
[00472]別の実施形態において、検出チャンバ４１２は、赤外光を元の赤外線反射センサへ反射させるのに関与する第２の窓４３８を含む。図５１では窓４３８が窓４３６と平行に示されているが、赤外光の反射を最適化するために窓４３８を任意の適した角度に変えることができる。
【０４０２】
[00473]動作中、栄養組成体が人へ投与されるように検出チャンバ４１２および管４２２を通過する。赤外線発光体４０８が赤外光を放射し、該赤外光は窓４３６を通過するとともに栄養組成体を通過し、そこで赤外光が赤外線反射面４２６で反射する。反射された赤外光の強度は赤外線フォトトランジスタ受光体４１０を使用して監視できる。赤外線信号の強度に変化がある場合、これは、気泡などの不具合が栄養組成体中に現れることを示唆する可能性がある。反射される赤外光またはエネルギの強度は、栄養組成体の内容物に応じて変わる可能性があり、また、内容物を考慮して適切に較正することができる。
【０４０３】
[00474]他の実施形態において、検出チャンバ４１２は、赤外光が反射信号と干渉する角度でチャンバに入らないように赤外線遮断材料（図示せず）を含むことができる。赤外線遮断材料は、赤外光の透過を防止するブラックテープまたは固体表面などの任意の適した材料であってもよい。赤外線遮断材料を検出チャンバ４１２の一部として任意の適した位置に組み込むことができる。
【０４０４】
[00475]赤外線センサシステム４０６は、赤外線放射・検出装置を有する任意の適した赤外線センサシステムであってもよい。赤外線センサシステム４０６の非限定的な例としては、Ｆａｉｒｃｈｉｌｄ  ＳｅｍｉｃｏｎｄｕｃｔｏｒによりＱＲＤシリーズ下で開発された赤外線センサが挙げられる。赤外線発光体４０８および赤外線フォトトランジスタ受光体４１０を（例えば、ポンプ装置内の）支持部４４０上に支持しまたは配置することができる。支持部４４０が使用される場合、支持部は、赤外光を通過できるようにするのに適した光学的に透明な材料（例えば、ポリカーボネート）から形成されなければならない。
【０４０５】
[00476]赤外線発光体４０８および赤外線フォトトランジスタ受光体４１０は、赤外線発光体４０８によって送られて検出チャンバ４１２で反射される所望量の赤外光が赤外線フォトトランジスタ受光体４１０によって検出されるように検出チャンバ４１２の窓４３６に対しておよび互いに対して適切な態様で配置することができる。赤外線発光体４０８および赤外線フォトトランジスタ受光体４１０は、赤外光放射および検出を最適化するために窓４３６と接触した状態または窓４３６から適切な距離（「Ｄ」）だけ離間された状態で検出チャンバ４１２に隣接して配置することができる。赤外線発光体４０８および赤外線フォトトランジスタ受光体４１０は、互いに接触した状態でまたは離間された状態で並んで配置することができる。
【０４０６】
[00477]別の実施形態において、本開示は、赤外線発光体および赤外線フォトトランジスタ受光体を含む赤外線反射センサを組み込むカセットを提供する。この場合、ポンプ装置は赤外線反射センサを収容しない。しかしながら、カセット上の赤外線反射センサをポンプ装置と相互作用するように構成して配置することができ、それにより、赤外線反射センサの検出結果をポンプ装置のモニタ上に表示することができる。
【０４０７】
[00478]更なる他の実施形態において、本開示は、経腸栄養システムのための管内の気泡を検出する方法を提供する。該方法は、１）栄養管に取り付けるように構成されて配置される検出チャンバと、２）赤外線発光ダイオードを含む赤外線反射センサと、３）赤外線フォトトランジスタ受光体とを含み、赤外線反射センサおよび赤外線フォトトランジスタ受光体が検出チャンバまたはその近傍に配置される気泡検出システムを設けることを含む。検出チャンバおよび栄養管は、ポンプ装置に取り付けられ得るカセットの一部として組み込むことができる。
【０４０８】
[00479]方法は、検出チャンバを栄養管に取り付け、赤外光を検出チャンバへ伝えて反射される赤外光を赤外線フォトトランジスタ受光体を使用して検出することにより検出チャンバ内の気泡を検出することを更に含む。気泡が検出チャンバ内で検出される場合には、例えば経腸栄養サイクル中にポンプ装置を停止させることができる。
【０４０９】
[00480]別の実施形態では、図５２に示されるように、本開示は、誤検出値を赤外線センサシステム４０６へ伝達する構成要素４４２を有するカセット４０２を提供する。すなわち、カセット４０２は、赤外線センサシステム４０６が放射された赤外線信号の強度の変化を何ら検出しないように一貫性ポジティブ検出値（ｃｏｎｓｉｓｔｅｎｔ  ｐｏｓｉｔｉｖｅ  ｒｅａｄｉｎｇ）を伝達する構成要素４４２を含んでもよい。
【０４１０】
[00481]例えば、カセット４０２は、窓４３６または４３８を有する検出チャンバ４１２を伴うことなくおよび／または赤外線反射面４２６が赤外線システム４０６として検出チャンバ４１２の反対側に配置されることなく使用するように製造されてもよい。そのような実施形態において、カセット４０２は、第１および第２の端部４２４、４２８を有する管４２２を伴うカセット４０２として単に製造されてもよい。そのような実施形態において、赤外線センサシステム４０６は、放射された赤外線信号の強度を適切に検出することができない。その代り、赤外線センサシステム４０６は、放射された赤外線信号の強度を検出できなかったことをエラーとして読み取ってもよく、ポンプ装置４０６が患者へ治療をもたらすことを禁止してもよい。
【０４１１】
[00482]そのような状況を避けるため、カセット４０２は、誤検出値を赤外線センサシステム４０６へ伝達するための構成要素４４２を伴って製造されてもよい。そのような構成要素は、放射された赤外線信号を十分な量で一貫して元の赤外線センサシステム４０６へ反射する当該技術分野において知られる任意の構成要素を含んでもよく、それにより、赤外線センサシステム４０６は赤外線信号の強度の変化を検出しない。構成要素は、例えば、前述したような白紙または金属面、または赤外線反射プラスチック、ガラス、塗料、テープなどの赤外線反射面を含んでもよい。図５２では構成要素４４２が赤外線反射プラスチックの断片として示されているが、当業者であれば分かるように、前述した赤外線反射材料のいずれかまたは当該技術分野において知られる任意の同様の材料が使用されてもよい。
【０４１２】
[00483]例えば検出チャンバ４１２などの赤外線センサ構成要素を伴わずにカセット４０２が製造される実施形態では、誤検出構成要素４４２が管４２２と赤外線センサシステム４０６との中間のカセット４０２上に配置されてもよい。例えば、一実施形態において、構成要素４４２は、図５２に示されるように、カセット４０２と一体に形成されて管４２２と赤外線センサシステム４０６との中間に配置されるプラスチックの赤外線反射断片である。そのような形態により、赤外線センサシステム４０６は、赤外線反射発光ダイオード４０８を使用して赤外線信号を放射することができ、該赤外線信号は、誤検出構成要素４４２によって反射されてもよく、赤外線フォトトランジスタ受光体４１０を使用して赤外線センサシステム４０６により受けられる。そのような形態によれば、赤外線センサシステム４０６は、管４２２内のエアーまたは他の不純物の存在にもかかわらずポジティブな連続する赤外線信号を連続的に受ける。
【０４１３】
[00484]前述したように、経腸栄養システムの一部として経腸栄養管セットと併せて経腸栄養ポンプを使用して医用流体を投与することは、当該医療技術分野において良く知られている。経腸栄養管セットは、一般に、ポンプ装置に組み込むことができる中心に配置された短い管部分に接続される幾つかの長い管部分を含む。経腸栄養管セットに対する１つの共通の懸念は、それが患者の知識を伴わずに経時的に遮断されまたは閉塞される場合があるということである。栄養管セットが閉塞される場合には、経腸栄養システムが正常に機能しなくなる場合があり、また、患者が必要な栄養を受けず、そのため、患者にとって不都合な健康問題をもたらす可能性がある。
【０４１４】
[00485]一実施形態において、本開示は、閉塞センサシステムおよび閉塞センサシステムを使用する方法に関する。閉塞センサシステムは、赤外線技術を利用するとともに、ポンプ装置に組み込むことができる。ポンプ装置は、栄養組成体をそれを必要とする人または患者へ投与する経腸投与装置またはシステムの一部となることができる。
【０４１５】
[00486]図５３〜図５４に示されるように、一実施形態において、本開示は、ポンプ装置５０４に取り外し可能に取り付けできるカセット５０２を含む閉塞センサシステム５００を提供する。ポンプ装置５０４は１つ以上の赤外線センサ５０６、５０８を含むことができる。赤外線センサ５０６、５０８はそれぞれ赤外線反射発光体５１０、５１２を更に含む。赤外線センサ５０６、５０８はそれぞれ、ポンプ装置５０４の内側部分内に閉塞センサシステム５００の一部として配置される赤外線フォトトランジスタ受光体またはフォトダイオード５１４、５１６を更に含む。赤外線発光体５１０、５１２が発光ダイオードであってもよい。
【０４１６】
[00487]赤外線センサ５０６、５０８は、赤外線放射装置および検出装置を有する任意の適した赤外線センサであってもよい。赤外線センサ５０６、５０８の非限定的な例としては、Ｆａｉｒｃｈｉｌｄ  ＳｅｍｉｃｏｎｄｕｃｔｏｒによりＱＲＤシリーズ下で開発された赤外線センサが挙げられる。赤外線発光体５１０、５１２および赤外線フォトトランジスタ受光体またはフォトダイオード５１４、５１６を（例えば、ポンプ装置５０４内の）任意の適した支持部上に支持しまたは配置することができる。
【０４１７】
[00488]カセット５０２は、閉塞センサシステムの一部として管５１８を更に含む。カセット５０２がポンプ装置５０４内に挿入されると、図５３に示されるように、赤外線反射発光体５１０、５１２および赤外線フォトトランジスタ受光体またはフォトダイオード５１４、５１６を管５１８の異なる部分５２０、５２２のそれぞれに管５１８の長手方向に沿って並んで横たわるように配置することができる。
【０４１８】
[00489]流体は、第１の部分５２０から第２の部分５２２へ向かう方向で管５１８を通じて流れることができる。管５１８は、栄養組成体源を収容するバッグに接続されるように部分５２０から延びることができるとともに、栄養組成体を受ける人に接続されるように部分５２２から延びることができる。
【０４１９】
[00490]赤外線センサ５０６、５０８は、ポンプ装置５０４内のポンプ（図示せず）の両側に配置することができる。例えば、ポンプは、ポンプ装置５０４の中心に配置することができるとともに、カセット５０２に配置される管５１８の部分５２０と相互作用する。したがって、赤外線センサ５０６は、ポンプの上流側に配置される管５１８の部分５２０（例えば、容器またはバッグから栄養組成体を受ける）と相互に作用する。赤外線センサ５０８は、ポンプの下流側に配置される管５１８の部分５２２（例えば、栄養組成体を患者へ送る）と相互に作用する。
【０４２０】
[00491]ポンプ装置５０４が経腸栄養ポンプであってもよい。ポンプ装置５０４内に収容されるポンプは蠕動ポンプであってもよい。ポンプ装置の非限定的な例が参照することにより本願に組み入れられる米国特許第６，６５９，９７６号に記載されている。ポンプ装置５０４は、モニタ／情報スクリーン５２６と、ポンプ装置５０４を動作させるための制御パッド５２４とを含むことができる。本開示の実施形態では、モニタ／情報スクリーン５２６および制御パッド５２４を閉塞センサシステムと併せて使用することもできる。ポンプ装置５０４は、電源ボタン５２８と、カセット５０２をポンプ装置５０４から解放するための解放機構５３０とを更に含むことができる。
【０４２１】
[00492]カセット５０２は、図５３に示される形状などの任意の適した形状を有する筐体または支持構造体を含むことができる。カセット５０２は、図５４に示されるようにポンプ装置５０４内に部分的にまたは完全に挿入されるように形成することができる。カセット５０２の構造は、管を経路付ける／案内する必要なくまたは管を経腸栄養管セットからポンプ装置５０４内に収容されるロータ（例えば、蠕動ポンプの一部）上で引き伸ばす必要なく経腸栄養管セットをポンプ装置５０４に組み付けるのに役立つことができる。別のカセット形態の非限定的な例は、参照することにより本願に組み入れられる米国特許第Ｄ５０４，５０６号、Ｄ５０５，１９９号、Ｄ４５５，４８９号、Ｄ５０１，９２４号、およびＤ５０７，６４７号に記載されている。カセット５０２は、任意の適した硬質、半硬質、または柔軟な材料から形成することができる。カセット５０２は、それを一方向でのみポンプ装置５０４内に挿入できるように形成することもできる。
【０４２２】
[00493]管５１８は、柔軟であってもよく、硬質または半硬質部分を有することができる。管５１８は、栄養管であってもよく、また、ポンプ（例えば、蠕動ポンプ）のロータと共にポンプ装置５０４内に組み込まれるように構成して配置することができる。
【０４２３】
[00494]図５５〜図５７に示される動作中、部分５３２の近傍に配置されるポンプ装置５０４内のポンプ（図示せず）は、栄養組成体をバッグからカセット５０２を通じて管５１８により患者へ圧送する。バッグとポンプとの間またはポンプと患者との間に閉塞がない場合には、部分５２０、５２２における管５１８の側壁は静止したままである（例えば、拡張または収縮しない）。部分５２０、５２２のそれぞれの両側で管５１８を覆うカセット５０２の部分５３２、５３６は、管５１８をカセット５０２内の所定位置に保持する管保持機構として作用する。
【０４２４】
[00495]ポンプの上流側（例えば、バッグとポンプとの間）で管５１８に閉塞が生じる場合には、ポンプは、栄養組成体を管５１８に通過させようとし続ける。しかしながら、栄養組成体が通過していないため、管５１８の部分５２０の側壁５３８、５４０が図５６に示されるように収縮し（例えば、内側に移動し）始める。同時に、赤外線発光体５１０が赤外光を赤外線発光体５１０と対向する管５１８の側壁５４０へ向けて放射する。側壁５４０は不透明でありあるいは赤外線反射材料を含むため、側壁５４０は赤外線フォトトランジスタ受光体またはフォトダイオード５１４によって検出されるように赤外光を反射させる。
【０４２５】
[00496]反射される赤外光の強度または量は、側壁５４０が赤外線センサ５０６から離れる距離に比例する。結果として、側壁５４０が赤外線センサ５０６から離れていることにより反射光の強度が変化する場合、これは側壁５４０が収縮したことを示し、それにより、ポンプの上流側で閉塞が生じたことを意味する。側壁５４０の様々な収縮段階で検出される赤外線放射光の強度は、例えばポンプ装置５０４のコンピュータプロセッサを使用して（例えば、閉塞の強さに関連付けられる）収縮量を決定できるように測定して較正することができる。言うまでもなく、方向の変化は、センサの最適な焦点（光検出器電流においては最大）に対する管の位置に依存する。初期間隔が最大点よりも小さい場合には、管が収縮するにつれて、受けられる反射エネルギが増大する。管が最大点を通過し始めるときに逆のことが起こると、その場合には、管が収縮するにつれて、反射エネルギが減少する。いずれの形態も有用となり得るが、選択は、センサをより大きなシステムの一部として統合する際に課される機械的な制約によって決まり得る。
【０４２６】
[00497]管５１８の閉塞がポンプの下流側（例えば、ポンプと患者との間）で生じる場合、ポンプは、栄養組成体を管５１８に通過させようとし続ける。しかしながら、蓄積する栄養組成体の通過によって管５１８内の圧力が増大しているため、管５１８の部分５２２の側壁５３８、５４０が拡張しまたは膨張し始める（例えば、外側に移動する）。同時に、赤外線発光体５１２が赤外線発光体５１２と対向する管５１８の側壁５４０へ向けて赤外光を放射する。
【０４２７】
[00498]反射される赤外光の強度または量は、側壁５４０が赤外線センサ５０８から離れる距離に比例する。結果として、側壁５４０が赤外線センサ５０８に近接していることにより反射光の強度が変化する場合、これは側壁５４０が拡張したことを示し、それにより、ポンプの下流側で閉塞が生じたことを意味する。側壁５４０の様々な段階で検出される赤外線放射光の強度は、例えばポンプ装置５０４のコンピュータプロセッサを使用して（例えば、閉塞の強さに関連付けられる）拡張量を決定できるように測定して較正することができる。
【０４２８】
[00499]図５３および図５５〜図５７に示されるように、カセット５０２は、管５１８の部分５２０、５２２に隣接するバイアスバンプを含むことができる。バイアスバンプ５４２は、バイアスバンプ５４２と同じ側に配置される管５１８の側壁５３８がバイアスバンプ５４２を越えて拡張するのを防止するために使用できる。結果として、バイアスバンプと反対側の管５１８の側壁５４０は、バイアスバンプ５４２を伴わない場合に想定し得るよりも大きく赤外線センサ５０６、５０８へ向けて拡張し得る。これは閉塞検出の感度を高める。
【０４２９】
[00500]図５８〜図６０に示される他の実施形態において、管５４４は、管５４４を保持するカセットの部分５４８と一体化される管筐体５４６を用いて位置決めされる。管筐体５４６は窓５５０を更に画定する。管筐体５４６は、例えば、管５４４を保持するように構成されて配置される成形プラスチックチャンバから形成することができる。例えば、管筐体５４６は不透明なポリ二塩化ビニル材料から形成することができる。管筐体５４６の任意の部分は、赤外線透過面、または、赤外光が窓５５０のみを通過するように赤外光の透過を防止するまたは赤外光を吸収するための固体表面を含むことができる。
【０４３０】
[00501]図５８〜図６０に示される動作中、ポンプ（図示せず）は、栄養組成体をバッグから管５４４を通じて患者へ圧送する。バッグとポンプとの間またはポンプと患者との間に閉塞がない場合には、管５４４の側壁は静止したままである（例えば、拡張または収縮しない）。管５４４を覆うカセットの部分５４８、５５２は、管５４４をカセット内の所定位置に保持する管保持機構として作用する。
【０４３１】
[00502]ポンプの上流側（例えば、バッグとポンプとの間）で管５４４に閉塞が生じる場合には、ポンプは、栄養組成体を管５４４に通過させようとし続ける。しかしながら、栄養組成体が通過していないため、ポンプの上流側に配置される管５４４の側壁５５４、５５６が図５９に示されるように収縮し（例えば、内側に移動し）始める。同時に、赤外線発光体５５８が筐体５４６の窓５５０を通じて赤外光を管５４４の側壁５５６へ向けて放射する。側壁５５６は不透明でありまたは赤外線反射材料を含むため、側壁５５６は赤外線センサシステム５６８の赤外線フォトトランジスタ受光体またはフォトダイオード５６０によって検出されるように赤外光を反射させる。反射される赤外光の強度または量は、側壁５５６が赤外線センサ５６８から離れる距離に比例し、また、強度の変化は、ポンプの上流側で閉塞が生じたことを表わす。
【０４３２】
[00503]管５４４の閉塞がポンプの下流側（例えば、ポンプと患者との間）で生じる場合、ポンプは、栄養組成体を管５４４に通過させようとし続ける。しかしながら、蓄積する栄養組成体の通過によって管５４４内の圧力が増大しているため、図６０に示されるようにポンプの下流側の管５４４の側壁５５４、５５６が拡張しまたは膨張し始める（例えば、外側に移動する）。同時に、赤外線センサ５６４の赤外線発光体５６２が管５４４の側壁５５６へ向けて赤外光を放射する。赤外線フォトトランジスタ受光体またはフォトダイオード５６６によって測定される赤外光増大の強度の変化は、側壁５５６が拡張したことを示し、それにより、ポンプの下流側で閉塞が生じたことを表わす。管筐体５４６に起因して、窓５５０に配置される管５４４の部分だけが拡張しまたは窓５５０を通過し、それにより、管５４４のより端的な拡張がもたらされる。
【０４３３】
[00504]赤外線センサ５６８、５６４は、赤外線センサ５６８、５６４によって送られて管５４４で反射される所望量の赤外光が赤外線センサ５６８、５６４によって検出されるように筐体５４６の窓５５０に対しておよび互いに対して適切な態様で配置することができる。赤外線発光体５５８および赤外線フォトトランジスタ受光体またはフォトダイオード５６０、５６６はそれぞれ、互いに接触した状態でまたは離間された状態で並んで配置することができる。
【０４３４】
[00505]別の実施形態において、本開示は、赤外線発光体および赤外線フォトトランジスタ受光体またはフォトダイオードを含む赤外線反射センサを組み込むカセットを提供する。この場合、ポンプ装置は赤外線反射センサを収容しない。しかしながら、カセット上の赤外線反射センサをポンプ装置と相互作用するように構成して配置することができ、それにより、赤外線反射センサの検出結果をポンプ装置のモニタ上に表示することができる。
【０４３５】
[00506]更なる他の実施形態において、本開示は、経腸栄養システムのための管の閉塞を検出する方法を提供する。該方法は、栄養管と、赤外線発光ダイオードおよび赤外線フォトトランジスタ受光体またはフォトダイオードを含む赤外線反射センサとを含む閉塞検出システムを設けることを含む。栄養管は、経腸栄養システムのポンプ装置に取り付けられ得るカセットの一部として組み込むことができる。
【０４３６】
[00507]方法は、赤外光を栄養管へ伝えて反射される赤外光を赤外線フォトトランジスタ受光体またはフォトダイオードを使用して検出することにより栄養管内の閉塞を検出することを更に含む。閉塞が栄養管で検出される場合には、例えば経腸栄養サイクル中にポンプ装置を停止させることができる。
【０４３７】
[00508]別の実施形態では、図６１に示されるように、本開示は、誤検出値を赤外線センサ５０６、５０８へ伝達する構成要素５７０を有するカセット５０２を提供する。すなわち、カセット５０２は、赤外線発光体５１０、５１２から放射されて管５１８の側壁５４０により反射されて赤外線フォトトランジスタ受光体またはフォトダイオード５１４、５１６により検出される反射される赤外線信号の強度の変化を赤外線センサシステム５０６、５０８が何ら検出しないように一貫性ポジティブ検出値を赤外線センサ５０６、５０８へ伝達する構成要素５７０を含んでもよい。
【０４３８】
[00509]例えば、カセット５０２は、バイアスバンプ５４２を伴うことなく且つ不透明な赤外線反射面を有する管５１８の側壁５４０を伴うことなく製造されてもよい。そのような実施形態において、カセット５０２は、第１および第２の部分５２０、５２２を有する管５１８を伴うカセット５０２として単に製造されてもよい。そのような実施形態において、赤外線センサ５０６、５０８は、反射された赤外線信号の強度を適切に検出することができない。その代り、赤外線センサ５０６、５０８は、反射された赤外線信号の強度を検出できなかったことをエラーとして読み取ってもよく、ポンプ装置５０４が患者へ治療をもたらすことを禁止してもよい。
【０４３９】
[00510]そのような状況を避けるため、カセット５０２は、誤検出値を赤外線センサ５０６、５０８へ送出するための構成要素５７０を伴って製造されてもよい。そのような構成要素は、放射された赤外線信号を元の赤外線センサ５０６、５０８へ十分な量で一貫して反射する当該技術分野において知られる任意の構成要素を含んでもよく、それにより、赤外線センサ５０６、５０８は反射される赤外線信号の強度の変化を検出しない。構成要素は、例えば、前述したような白紙または金属面、あるいは、赤外線反射プラスチック、ガラス、塗料、テープなどの赤外線反射面を含んでもよい。
【０４４０】
[00511]例えばバイアスバンプ５４２および不透明な面または赤外線反射面を有する管５１８の側壁５４０などの赤外線センサ構成要素を伴わずにカセット５０２が製造される実施形態では、誤検出構成要素５７０が管５１８と赤外線センサ５０６、５０８との中間のカセット５０２上に配置されてもよい。例えば、一実施形態において、構成要素５７０は、カセット５０２と一体に形成されて管５１８と赤外線センサ５０６、５０８との中間に配置されるプラスチックの赤外線反射断片であってもよい。そのような形態により、赤外線センサ５０６、５０８は、赤外線反射発光体５１０、５１２を使用して赤外線信号を放射することができ、該赤外線信号は、誤検出構成要素５７０を使用して反射されてもよく、赤外線フォトトランジスタ受光体またはフォトダイオード５１４、５１６を使用して赤外線センサ５０６、５０８により受けられる。そのような形態によれば、赤外線センサ５０６、５０８は、管５１８の閉塞の存在にもかかわらずポジティブな連続する赤外線信号を連続的に受ける。
【０４４１】
[00512]前述したように、経腸栄養管内の任意のエアーまたは経腸栄養管の閉塞は、経腸栄養システムを介して栄養組成体を受ける患者にとって医学的な合併症または不都合な健康問題を引き起こす可能性がある。したがって、経腸栄養システムに関する想定し得る問題について患者またはヘルスケア提供者に警告するために使用される空気ラインセンサまたは閉塞センサを含むカセットが設けられてもよい。しかしながら、時として、空気ラインセンサまたは閉塞センサは、エアーおよび／または閉塞を適切に検出するのに十分に感度が良くない場合があり、したがって、想定し得る不都合な健康上の懸念について患者またはヘルスケア提供者に適切に警告しない場合がある。
【０４４２】
[00513]例えば、水のような送出物の場合、赤外線空気ラインセンサシステムは、カセットの管内で起こる送出物−エアー−送出物の移行を決定するロバストな方法を与える。しかしながら、特定の粘性のある送出物の場合には、エアーへの移行後に、材料の多量の残渣が空気ライン検出チャンバ内に残る場合がある。したがって、残存する残渣は、検出チャンバ内のエアーの適時の検出を妨げる（例えば、空気ライン状態）。しかしながら、閉塞センサは、空気ラインセンサとは全く異なる態様で管内の送出物の不存在または存在にも反応するため、閉塞センサが流体−エア検出プロセスを促進させるために使用されてもよい。
【０４４３】
[00514]前述したように、閉塞センサは、例えばシリコン管であってもよいカセット内の管から反射される赤外光を測定することにより機能する。反射される赤外線エネルギは、管とセンサとの間の距離と、管内の送出物のタイプとによって決まる。更なる信号が閉塞センサから観察されてもよい−送出物からエアーへの移行時またはエアーから送出物への移行時の信号シフト。エアー状態からのシフトの方向は送出物のタイプによって決まる。例えば、赤外線反射率が低い水および含水量が高い送出物において、送出物からエアーへの移行は、ｘ軸線上に秒をとりｙ軸線上にボルトをとったグラフにおける立下がりである。一方、エアーよりも粘性があり且つエアーよりも強い赤外線信号を反射する送出物では、逆が当てはまる。すなわち、粘性が高い送出物は、送出物からエアーへの移行においては、ｘ軸線上に秒をとりｙ軸上にボルトをとったグラフにおいて立ち上がりをもたらす。入口（基端側）閉塞センサからの出力信号は、それが空気ラインセンサの位置に最も近いため、有利な観察ポイントを与える。
【０４４４】
[00515]したがって、更なる他の実施形態において、本開示は、管６２０を有するカセット６０２を含む赤外線センサシステム６００を提供し、カセット６０２はポンプ装置６０４に対して取り外し可能に取り付けられる。ポンプ装置６０４は、空気ライン赤外線センサシステム６０６と、閉塞赤外線センサシステム６０８とを含むことができる。空気ライン赤外線センサシステム６０６および閉塞赤外線センサシステム６０８のそれぞれには、赤外線反射発光ダイオード６１０、６１２と、赤外線フォトトランジスタ受光体６１４、６１６とが設けられる。典型的な空気ライン赤外線センサシステム６０６および閉塞赤外線センサシステム６０８の詳細は図４８〜図５２および図５３〜図６１のそれぞれに関して前述した。
【０４４５】
[00516]栄養組成体の内容物に応じて、栄養組成体の粘度および在留物は大きく異なり得る。例えば、図６３〜図６６は、粘度が異なる栄養組成体に関して空気ライン赤外線センサ６０６および閉塞赤外線センサ６０８により測定された典型的な送出物からエアーへの移行を示している。それぞれの図において、閉塞センサデータは、明確にするために２倍だけ拡大されている。空気ライン赤外線センサデータおよび閉塞赤外線センサデータの立ち上がり間の図中の時間差は、テストベッドにおけるセンサ間の大きな物理的距離によって引き起こされる。
【０４４６】
[00517]図６３によって示されるように、空気ライン赤外線センサ６０６は、栄養組成体、すなわち、Ｎｅｓｔｌｅ  Ｎｕｔｒｉｔｉｏｎによって製造される栄養組成体であるＣＯＭＰＬＥＡＴ（登録商標）に関して送出物からエアーへの移行の信頼できる表示を与えることができた。ＣＯＭＰＬＥＡＴ（登録商標）は、例えば、チキン、エンドウ豆、ニンジン、トマト、およびクランベリーのジュースカクテル、並びに、繊維混合物を含む実際の食品によって形成されている。したがって、ＣＯＭＰＬＥＡＴ（登録商標）は、粘性がない低残渣送出物である。
【０４４７】
[00518]一方、図６４のグラフは、同様にＮｅｓｔｌｅ  Ｎｕｔｒｉｔｉｏｎによって製造されるＩＳＯＳＯＵＲＣＥ（登録商標）１．５  ＣＡＬなどの栄養組成体に関して空気ラインセンサ６０６が送出物からエアーへの移行を適切に検出できないことを示している。図６３の粘性がない低残渣送出物とは異なり、ＩＳＯＳＯＵＲＣＥ（登録商標）１．５  ＣＡＬは、粘性が大きく、したがって、より多くの量の残渣を有する。図６４に示されるように、空気ラインセンサ６０６の読取値の後期の変化は、ポンプ装置６０４が作動し続けている間に空気ライン検出チャンバ６１８の壁から徐々に流れ出る残渣に起因しており、また、残留送出物の小さなスラグが、送出物リザーバ（図示せず）から移動して、空気ラインセンサ６０６を通り過ぎ、残渣を徐々に運び去る。空気ラインセンサ６０６とは異なり、閉塞センサ６０８は、送出物からエアーへの移行の明確な表示を与える。
【０４４８】
[00519]図６５は、Ｎｅｓｔｌｅ  Ｎｕｔｒｉｔｉｏｎによって製造されるＲＥＳＯＵＲＣＥ（登録商標）ＢＲＥＥＺＥなどの粘性のない水様性送出物が閉塞センサ６０８の信号に関する先のグラフとは異なる反応を有することを示している。ＲＥＳＯＵＲＣＥ（登録商標）ＢＲＥＥＺＥは、フルーツ味の澄んだ液体の栄養飲料であり、したがって、水様性送出物である。前述したように、水様性送出物は赤外線反射率が低いため、水様性送出物の全てが閉塞センサデータのベースラインに対してプラスのオフセットをもたらし、それにより、流体からエアーへの移行が立下りによって示される。
【０４４９】
[00520]特定の実施形態では、閉塞センサ６０８の存在が流体からエアーへの移行を適切に検出するのに十分となり得る。しかしながら、これが常に当てはまるとは限らない。例えば、図６６は、多くの量のペプチド系タンパク質、オメガ−３脂肪酸、並びに、高レベルの抗酸化物質、ビタミン、およびミネラルを含む送出物／水混合組成体であるＮｅｓｔｌｅ  ＮｕｔｒｉｔｉｏｎのＣＲＵＣＩＡＬ（登録商標）栄養組成体を用いた試験によってもたらされた空気ラインセンサデータおよび閉塞センサデータに関するグラフを示している。図６６に示されるように、送出物／水混合物においては閉塞信号が非常に弱く、このことは、水と混合された際（例えば、強力な吸収体、流体からエアーへの移行の立下り）に強い赤外線反射を引き起こす（例えば、流体からエアーへの移行の立ち上がり）送出物原料が互いに打ち消し合ってエアーと同等な閉塞センサ信号をもたらすことを示す。
【０４５０】
[00521]したがって、空気ライン赤外線センサ６０６および閉塞赤外線センサ６０８の両方を使用することにより、本開示のカセットおよびポンプは、送出物のタイプにかかわらず初期の流体からエアーへの移行を正確に検出できなければならない。
【０４５１】
[00522]前述したように、本開示のカセットは、医用流体の投与のための経腸栄養システムと組み合わせて使用されてもよい。カセットは、一般に、中心に配置された短い管部分に接続される幾つかの長い管部分を有する経腸栄養管セットを含む。カセットが経腸栄養システムのポンプ装置内に挿入されると、ポンプ（例えば、蠕動ポンプ）をカセットの凹部領域へ押し進めることができ、それにより、カセットの管をカセットの凹部領域へ引き伸ばすことができる。輸液カセットが一般に鈍的な縁部を有し、該縁部を横切って管が引き伸ばされるため、管は、該管がカセットの縁部上で引き伸ばされるにつれてねじられる場合がある。そのようなねじれは、それが管を閉塞して流体が管を通過するのを妨げるため望ましくない。
【０４５２】
[00523]一実施形態では、図６７に示されるように、本開示にしたがってカセット７００が提供される。カセット７００は、筐体７０２と、筐体７０２内の凹部領域７０４と、管７０６とを含む。管７０６は、カセット７００の第１および第２の端部７０８、７１０でカセット７００に対して接続される。カセット７００が例えば蠕動ポンプなどのポンプ７１２を有するポンプ装置（図示せず）内に挿入されると、ポンプ７１２が管７０６と接触して管７０６を筐体７０２の凹部領域７０４内へ押し込む。ポンプ７１２が管７０６を引き伸ばして凹部領域７０４へ押し込むと、管７０６は、筐体７０２が凹部領域７０４を形成し始める筐体７０２の縁部７１４、７１６を横切って曲がる。管７０６を縁部７１４、７１６を横切って曲げて凹部領域７０４内へ引き伸ばす必要があるため、管７０６が曲がる場所で管７０６がねじれる危険が高い。
【０４５３】
[00524]一実施形態では、縁部７１４、７１６の位置で管７０６にねじれを形成しないように、管７０６が鋭い９０°の角度で曲がることなく凹部領域７０４内へ伸びることができるようにする切り欠き７１８、７２０が縁部７１４、７１６に形成されてもよい。代わりに、切り欠き７１８、７２０は、管７０６が凹部領域７０４内へ伸びるときにより柔軟な曲げを成すことができるようにする幾分丸みを帯びた形状を管７０６に対して与える。切り欠き７１８、７２０は、半円、「Ｖ」形状、楕円、正方形、長方形等を含む当該技術分野において知られる任意の形状を有してもよい。図６８に示される実施形態では、切り欠き７１８、７２０が略「Ｖ」形状を成す。図６８の筐体７０２の略「Ｖ」形状縁部を形成するために、縁部７１４、７１６は、ポンプ装置（図示せず）内へのカセット７００の挿入方向に開放する略半円形状を有する切り欠き部７２２、７２４を含む。また、切り欠き部７２２、７２４は、切り欠き部７２２、７２４の凹部領域７０４側の中心部に傾斜縁部７２６、７２８を含むように更に形成される。切り欠き部７２２、７２４と傾斜縁部７２６、７２８との組み合わせは、管７０６が凹部領域７０４内へ引き伸ばされる際に柔軟に曲がることができるようにする「Ｖ」形状を形成する。管７０６のより柔軟な曲げは、縁部７１４、７１６での管７０６のねじれの形成を防止するのに役立つ。
【０４５４】
[00525]カセットにおける流れ制限装置に関して前述したように、カセット管からの注入流体の漏れを回避するために輸液ポンプカセットがポンプ装置内に適切に組み込まれることは重要である。同様に、カセットは、ポンプ装置内に適切に挿入されると、装置またはカセットの任意の動きが装置内でのカセットの位置を変えて注入流体の漏れを引き起こさないように装置内に固定されなければならない。
【０４５５】
[00526]一実施形態では、カセット８０２とポンプ装置８０４とを含む流体送出システム８００が提供される。流体送出システム８００は、図６９に示されるように、カセット８０２の突起８０８と協働するポンプ装置８０４のラッチ機構８０６の使用によってポンプ装置８０４内にカセット８０２を固定するように構成されている。突起８０８は、略円筒形状であってもよく、また、図６９に示されるようにカセット８０２の上面の外側部分に配置されてもよい。一実施形態において、突起８０８はペグ、ピン等である。しかしながら、当業者であれば分かるように、突起８０８は、例えば楕円、長方形等を含む当該技術分野において知られる任意の形状を有してもよい。また、当業者であれば分かるように、突起８０８は、カセット８０２をポンプ装置８０４内の所定の位置にロックするためにラッチ機構８０６と突起８０８とが連携できさえすれば、カセット８０２上の任意の場所に配置されてもよい。
【０４５６】
[00527]一実施形態において、ラッチ機構８０６は、上部８１２と、下部８１４と、上下部８１２、８１４を接続する中心部８１６とを有する本体８１０を含む。上部８１２は、上部８１２と一体に形成されるアーム８１６を含む。図示の実施形態ではアーム８１８が本体８１０の上部８１２と一体に形成されるが、当業者であれば分かるように、アーム８１８は、本体８１０と一体に形成される必要がなく、当該技術分野において知られる任意の取り付け手段により上部８１２に取り付けられてもよい。また、当業者であれば分かるように、アーム８１６が本体８１０の下部８１４に配置されてもよい。また、図６９に示されるように、ポンプ装置８０４は、本体８１０の中心部８１６を受けるように構成される円筒形状のスナップ係合部分８２２を有するカップ形状部８２０を含む。
【０４５７】
[00528]作業時、図６９に示されるように、ラッチ機構８０６がスナップ係合部分８２２に嵌め込まれて、アーム８１８が左へ回転される。その後、カセット８０２がポンプ装置８０４内に挿入される。前述したように、ラッチ機構８０６および突起８０８は、カセット８０２をポンプ装置８０４内に固定するように互いに作用する。具体的には、アーム８１８は、カセット８０２を所定位置にロックするための付勢の解放時に回転するように付勢されてもよいばねとして作用する。図７０に示されるように、アーム８１８は、アーム８１８をポンプ装置８０４に対して押圧するように付勢するべくポンプ装置８０４に平らに押し付けられてもよい湾曲部８２４を含む。湾曲部８２４をポンプ装置８０４に対して平らに押し付けると、ラッチ機構８０６が時計回り方向に僅かに回転する。ラッチ機構８０６の回転は、突起８０８を下部８１４の開口８２６と位置合わせさせる。以下で更に説明するように、開口８２６は、ラッチ機構８０６がカセット８０２を所定位置にロックする際に突起８０８が横切る下部８１４の湾曲した切り欠き部８２８に隣接して配置される。カセット８０２がポンプ装置８０４内に挿入され続けるにつれて、突起８０８が開口８２６に入る。
【０４５８】
[00529]湾曲部８２４の付勢を受けて湾曲部８２４が解放されてポンプ装置８０４を押圧すると、ラッチ機構８０６がカップ部８２０内で反時計回りに傾転し、アーム８１８がポンプ装置８０４の左側から右側へ移動する。ラッチ機構８０６が反時計回りに回転すると、突起８０８が切り欠き部８２８を横切る。ラッチ機構８０６が回転して突起８０８が切り欠き部８２８を横切ると、図７１に示されるように、カセット８０２が適切な位置合わせ状態へポンプ装置８０４内に引き込まれる。
【０４５９】
[00530]図７２は、ポンプ装置８０４内に完全に挿入されたカセット８０２と、アーム８１８がポンプ装置８０４の右側に配置されるように完全に回転されたラッチ機構８０６とを示している。ポンプ装置８０４の右側は、アーム８１８の湾曲部８２４を受けるように構成されて配置される湾曲部８３０を含む。ポンプ装置８０４の湾曲部８３０により、ラッチ機構８０６は、下部８１４の略平坦部８３２がポンプ装置８０４から外側に面するように完全に回転できる。
【０４６０】
[00531]前述したタイプのラッチ機構の使用は、ポンプ装置内へのカセットの挿入のためのスナップ作用を与えるためにばねを必要としない簡単な構造を与える。むしろ、ラッチ機構は、そのようなスナップ作用を与えるように構成されるハンドルアームを含む。
【０４６１】
[00532]他の実施形態では、図７３に示されるように、ポンプ装置８０４は、ラッチ機構８０６が開位置から閉位置へ完全に回転できるように複数の湾曲部８３０を含んでもよい。図７３に示される実施形態では、ラッチ機構８０６のアーム８１８が湾曲部８２４を含まない。したがって、当業者であれば分かるように、ラッチ機構８０６は、湾曲部８２４のばね作用によってのみ動作する必要がなく、ラッチ機構８０６のためのスナップ作用を与える内部構成要素を含んでもよい。
【０４６２】
[00533]他の実施形態では、前述した空気ラインセンサ装置および閉塞センサ装置と同様に、図７４が本開示のラッチセンサ装置９００を示している。ラッチセンサ装置９００は、カセット９０２がポンプ装置９０４内に挿入されたかどうかおよび／またはカセット８０２がポンプ装置９０４内に適切に挿入されるかどうかを検出するために使用されてもよい。そのようなラッチ検出装置９００の使用は、カセット９０２がポンプ装置９０４内に完全に且つ正確に挿入されなければカセット９０２を通じた医用流体の圧送を妨げることによりポンプ装置９０４の安全機能としての役目を果たすことができる。
【０４６３】
[00534]例えば、前述した空気ラインセンサ装置および閉塞センサ装置と同様に、ラッチセンサ装置９００は、赤外線発光体９０８と赤外線フォトトランジスタ受光体またはフォトダイオード９１０とをポンプ装置９０４の一部に有する赤外線センサ９０６を含んでもよい。赤外線発光体９０８は、ラッチアーム９１４の赤外線反射面９１２によって反射されてポンプ装置９０４の赤外線フォトトランジスタ９１０によって受けられる赤外線信号を放射できてもよい。赤外線発光体９０８は、ポンプ装置９０４上の任意の位置から突出してもよい。ポンプ装置９０４上の赤外線発光体９０８の位置に応じて、ラッチアーム９１４は、赤外線発光体９０８およびフォトトランジスタ９１０の位置に対応する外側部分に赤外線反射面９１２を有してもよい。そのような形態は、カセット９０２がポンプ装置９０４内に完全におよび／または適切に挿入されてラッチ機構９１４が完全に閉じられるまで赤外線フォトトランジスタ９１０が赤外線信号を受信するのを防止してもよい。
【０４６４】
[00535]例えば、図７４のポンプ装置９０４は、ポンプ装置９０４の湾曲部９１６の近傍に赤外線発光体９０８および受光体９１０を含む赤外線センサ９０６を含んでもよい。ラッチアーム９１４は、その対応する位置に赤外線反射面９１２を有してもよい。そのような実施形態では、アーム９１４が完全に回転されてカセット９０２内でロックされるとともにポンプ装置９０４の湾曲部９１６と同一平面上に位置すると、赤外線発光体９０８によって放射される赤外線信号が赤外線反射面９１２で反射されて赤外線フォトトランジスタ９１０により受けられる。このことは、カセット９０２がポンプ装置９０４内に完全に且つ適切に挿入されることを示す。
【０４６５】
[00536]他の実施形態において、図７４のポンプ装置９０４は、赤外線発光体９２２と受光体９２４とを含む赤外線センサ９２０をポンプ装置９０４の左側の近傍に含んでもよい。カセット９０２は、その対応する位置に赤外線反射面９２６を有してもよい。そのような実施形態では、カセット９０２がポンプ装置９０４内に完全に挿入されると、赤外線発光体９２２によって放射される赤外線信号が赤外線反射面９２６で反射されて赤外線フォトトランジスタ９２４により受けられる。このことは、カセット９０２がポンプ装置９０４内に完全に且つ適切に挿入されることを示す。
【０４６６】
[00537]別の実施形態では、空気ラインセンサ装置および閉塞センサ装置に関して既に説明したように、本開示は、誤検出値をラッチセンサ９０６へ伝達する構成要素９１８を有するカセット９０２も提供する。すなわち、本開示のカセット９０２は、赤外線センサが放射された赤外線信号の強度の変化を何ら検出しないように一貫性ポジティブ検出値をラッチセンサ装置９００の赤外線センサへ伝達する構成要素を含んでもよい。
【０４６７】
[00538]例えば、カセット９０２は、誤検出値をラッチセンサ９０６へ送出伝達するための構成要素９１８と共に使用するように製造されてもよい。そのような構成要素は、放射された赤外線信号を元の赤外線センサシステムへ十分な量で一貫して反射する当該技術分野において知られる任意の構成要素を含んでもよく、それにより、赤外線センサシステムは赤外線信号の強度の変化を検出しない。構成要素は、例えば、前述したような白紙または金属面、あるいは、赤外線反射プラスチック、ガラス、塗料、テープなどの赤外線反射面を含んでもよい。図７４では構成要素９１８が例えばテープまたは塗料などの平坦な材料として示されているが、当業者であれば分かるように、前述した赤外線反射材料または当該技術分野において知られる任意の更なる赤外線反射材料が使用されてもよい。
【０４６８】
[00539]誤検出構成要素９１８は、カセット９０２上、ポンプ装置９０４上、またはラッチセンサ９０６と赤外線反射面９１２との中間のラッチアーム９１４上に配置されてもよい。例えば、一実施形態において、構成要素９１８は、ラッチセンサ９０６と赤外線反射面９１２との中間に配置されるテープの赤外線反射断片である。そのような形態により、ラッチセンサ９０６は、赤外線反射発光ダイオード９０８を使用して赤外線信号を放射することができ、該赤外線信号は、誤検出構成要素９１８によって反射されてもよく、赤外線フォトトランジスタ受光体９１０を使用して赤外線センサシステムにより受けられる。そのような形態によれば、ラッチセンサ装置９０６は、カセット９０２をポンプ装置９０４内に固定するためにラッチ９１４が完全に且つ適切に閉じられるかどうかにかかわらずポジティブな連続する赤外線信号を連続的に受ける。
【０４６９】
[00540]本開示のカセットは、医用流体を患者へ送出するのに役立つための幾つかの異なる利点を与える。例えば、本開示のカセットは、カセットを動作させるポンプ装置のセンサ装置と相互作用する赤外線反射構成要素を含んでもよい。また、カセットは、例えば、ポンプ装置のポンプがカセットの凹部領域内に受けられるときにカセットの管をねじれを伴うことなくカセットの筐体の縁部上で引き伸ばすことができるようにするカセットの筐体の切り欠き部を含んでもよい。したがって、本開示のカセットはカセットの構成要素がポンプ装置の構成要素と相互に作用する必要がある異なる実施形態を提供するため、カセットがポンプ装置内に適切に挿入されることが重要である。
【０４７０】
[00541]一実施形態において、本開示は、カセットをポンプ装置内に適切に位置合わせするように案内するための異なる構成要素を有するカセットに関する。例えば、図７５に示されるように、医用流体送出システム１０００が提供される。医用流体送出システム１０００は、カセット１００２と、カセット１００２を受けるように構成されて配置される開口１００６を有するポンプ装置１００４とを含む。カセット１００２は、開口１００６内に挿入されると、カセット１００２の全ての側面と開口１００６の内部との間に小さい大きさの空間を有さなければならない。しかしながら、カセット１００２は一般に開口１００６内に挿入されるときには固定されなければならない。
【０４７１】
[00542]また、カセット１００２は、カセット１００２の損傷および破壊を回避するために開口１００６内に一方向でのみ挿入されなければならない。一実施形態では、カセット１００２が開口１００６内に適切に挿入されるようにするために、カセット１００２には、ポンプ装置１００４の棚部１０１２と協働するタブ部材１００８、１０１０が設けられる。当業者であれば分かるように、図７５には１つの棚部１０１２だけが示されているが、ポンプ装置１００４は、ポンプ装置１００４の反対側にも反対向きに同一の棚部（図示せず）を有してもよい。例えば、図７６は、ポンプ装置１００４の両側に１つずつ２つの棚部１０１２、１０２８を示している。
【０４７２】
[00543]タブ部材１００８、１０１０は、図７５に示されるようにカセット１００２の第１および第２の側壁１０１４、１０１６から外側に延び且つタブ部材１００８、１０１０が棚部１０１２、１０２８と接触するときにカセット１００２をポンプ装置１００４内へ案内するために使用される突起であってもよい。一実施形態において、タブ部材１００８、１０１０は、図７５に示されるように翼形状の突起であってもよい。本明細書で使用される「翼形状」とは、ほぼ丸みを帯びた長方形形状を意味し、丸みを帯びた長方形形状の一辺に沿って一端部から反対側の端部へ向かって幅が先細っている。典型的な「翼形状の」突起１００８、１０１０が図７５に示されている。しかしながら、当業者であれば分かるように、タブ部材１００８、１０１０は、例えば半円、正方形、長方形、楕円、三角形等を含む当該技術分野において知られる任意の形状を有してもよい。
【０４７３】
[00544]例えば、図７７は、内側に延びるタブ部材１００８、１０１０を有するカセット１００２の他の実施形態を示しており、タブ部材１００８、１０１０は、タブ部材１００８、１０１０が棚部１０１２、１０２８と接触するときにカセット１００２をポンプ装置１００４内へ案内するためにも使用される。この実施形態では、タブ部材１００８、１０１０の形状が略長方形である。タブ部材１００８、１０１０がカセット１００２と一体に形成されてもよい。しかしながら、他の実施形態では、タブ部材１００８、１０１０がカセット１００２に取り付けられてもよい。
【０４７４】
[00545]カセット１００２が任意の数のタブ部材を１００８、１０１０を含んでもよい。一実施形態において、カセット１００２は、それぞれの側壁１０１４、１０１６に１つのタブ部材１００８、１０１０を含む。しかしながら、当業者であれば分かるように、カセット１００２が３つ以上のタブ部材１００８、１０１０を含んでもよい。一実施形態において、カセット１００２は、１、２、３、４、５、６個、または、これらの組み合わせから成るグループから選択される数のタブ部材１００８、１０１０を含む。
【０４７５】
[00546]図７５に示されるように、一実施形態において、タブ部材１００８、１０１０は、カセット１００２の第１および第２の側壁１０１４、１０１６の上部に配置されてもよい。したがって、棚部１０１２も開口１００６の側壁の上部１０１８に配置されなければならない。当業者であれば分かるように、図７５には開口１００６の側壁の一方の上部１０１８だけが示されているが、ポンプ装置１００４の反対側には、反対側の側壁の上部（図示せず）が存在してもよい。また、当業者であれば分かるように、タブ部材１００８、１０１０は、側壁１０１４、１０１６の上部に配置される必要はなく、側壁１０１４、１０１６の任意の部分に配置されてもよい。
【０４７６】
[00547]ポンプ装置１００４は、カセット１００２が不正確に挿入されるのを防止するように構成されている部分１０２０を含んでもよい。例えば、カセット１００２を開口１００６内に上下逆さまに装着しようと試みられる場合には、タブ部材１００８、１０１０が部分１０２０と接触し、それにより、カセット１００２がそのような方向で挿入されることが防止される。当業者であれば分かるように、部分１０２０がタブ部材１００８、１０１０と接触するときにカセット１００２が不正確な方向で開口１００６内に挿入されるのを部分１０２０が防止しさえすれば、部分１０２０が任意の特定の形状を有する必要はない。
【０４７７】
[00548]作業時、カセット１００２がポンプ装置１００４の開口１００６内に挿入される際には、タブ部材１００８、１０１０が棚部１０１２と位置合わせされなければならず、これは、カセット１００２をポンプ装置１００４内に適切に配置するように案内するのに役立つ。したがって、タブ部材１００８、１０１０および棚部１０１２は、カセット１００２がポンプ装置１００４内で適切に中心に配置されるように且つカセット１００２が開口１００６内に挿入されすぎないようにまたは過度に深く挿入されないようにする。
【０４７８】
[00549]他の実施形態では、カセット１００２がポンプ装置１００４内に適切に挿入されるようにするため、カセット１００２にロゴまたは他の方向表示１０２２が設けられてもよい。例えば、カセット１００２は、図７５に示されるようにカセット１００２の第３の側面１０２４にただしく配置されるまたは図７７に示されるようにカセット１００２の上面１０２６に配置される例えばロゴＮｅｓｔｌｅ  Ｎｕｔｒｉｔｉｏｎなどの方向表示１０２２を有してもよい。方向表示１０２２は、カセット１００２をポンプ装置１００４内へ挿入する患者またはヘルスケア提供者によって適切に読み取られるように正しく方向付けられまたは上面にある。そのような方向は、カセット１００２をポンプ装置内へ正しい方向で挿入するように患者またはヘルスケア提供者に促す。一方で患者またはヘルスケア提供者がカセット１００２を上下逆さまの方向でポンプ装置１００４内に挿入しようとする場合、患者は、方向表示１０２２が上下逆さまであることまたは存在しないことに気付き、これにより、カセット１００２が不正確に挿入されていることを患者に警告する。
【０４７９】
[00550]図７５では方向表示１０２２が書かれたロゴとして示されているが、当業者であれば分かるように、方向表示１０２２は、ポンプ装置１００４内へ挿入するためのカセット１００２の適した方向を表示する任意の文字、単語、記号、または数字であってもよい。例えば、方向表示１０２２は、カセット１００２の上端を示すために上方へ向く矢印であってもよい。また、方向表示１０２２は、「これが上端」というフレーズなどの異なる書き込み表示であってもよい。当業者であれば分かるように、方向表示１０２２は図７５に示されるロゴに限定されない。また、当業者であれば分かるように、カセット１００２は、複数の方向表示１０２２を方向表示１００２の任意の組み合わせで含んでもよい。例えば、一実施形態において、カセット１００２は、「これが上端」という書き込み表示を含むとともに、カセット１００２の上側１０２６の方を向く矢印も含む。
【０４８０】
[00551]同様に、方向表示１０２２は、当該技術分野において知られる任意の手段によってカセット１００２に貼り付けられあるいは関連付けられてもよい。例えば、方向表示１０２２は、ステッカ上にあって、カセット１００２の製造中に第１、第２、または第３の壁１０１４、１０１６、１０２４のそれぞれに接着されてもよい。あるいは、方向表示１０２２は、カセット１００２の壁にエッチングされ、レーザ加工され、成形され、または形成されてもよい。しかしながら、方向表示１０２２の物理的な構成は、方向表示１０２２がポンプ装置１００４内へのカセット１００２の適切な挿入方向を患者またはヘルスケア提供者へ伝えることができさえすれば、本開示で与えられる例に限定されない。
【０４８１】
[00552]更なる他の実施形態では、ポンプ装置内へのカセットの挿入前および／または患者への接続前にカセットと関連付けられる管を通じた流体のフリーフローを制限するためにフリーフロー防止弁アセンブリが設けられる。図７８に示されるように、一実施形態において、フリーフロー防止弁機構１１００は、カセット１１０２と、カセット１１０２の開口１１３６内へ取り外し可能に挿入できるように構成されるキャップ１１０４とを含む。カセット１１０２は、管を受け入れるための切り欠き１１０８を有する管側１１０６と、キャップ１１０４と係合するための先端側１１１０とを含む。
【０４８２】
[00553]以下で更に説明するように、カセット１１０２は、キャップ１１０４がカセット１１０２内に取り外し可能に挿入されるときにキャップ１１０４を安定させてキャップ１１０４の移動を防止するためのストッパ１１１２を含む。ストッパ１１１２は、キャップ１１０４がカセット１１０２内に挿入されるときにキャップ１１０４の前後または左右の動きを防止するように構成されて配置される任意の構造または機構であってもよい。一実施形態では、図７８に示されるように、ストッパ１１１２は、突起１１１６を有する略円形形状のディスク１１１４であり、突起１１１６は、ディスク１１１４の外縁でディスク１１１４から略垂直な態様で延びる。この実施形態では、円形形状のディスク１１１４がキャップ１１０４の前後方向の動きを防止し、一方、突起１１１６がキャップ１１０４の左右の動きを防止する。しかしながら、当業者であれば分かるように、キャップ１１０４がカセット１１０２内に挿入されるときにストッパ１１１２がキャップ１１０４の前後または左右の動きを防止しまたは制限しさえすれば、ストッパ１１１２は、例えば長方形、三角形、円形、または、これらの組み合わせを含む当該技術分野において知られる任意のサイズまたは形状を有してもよい。
【０４８３】
[00554]また、カセット１００２は、図８６に示され且つ以下で更に説明する弁アーム１１２２の同様の形状の突起を受けるように構成されている円形の穴１１１８および略長方形の穴１１２０も含む。また、カセット１１０２は、カセット１１０２の凹部１１２６内に位置し且つ凹部１１２６の２つの対向する側面を結合する接続要素１１２４も含む。一実施形態では、接続要素１１２４の形状が略円筒形であり、そのため、弁アーム１１２２の略「Ｃ」形状の接続部１１２８を接続要素にスナップ嵌合させることができ、また、以下で説明するように弁アーム１１２２が遮断位置とフリーフロー位置との間で揺動するときに接続部１１２８が接続要素１１２４の周囲で部分的に回転できる。当業者であれば分かるように、弁アーム１１２２の接続部１１２８は、「Ｃ」形状である必要がなく、例えば、略「Ｃ」形状、円形、長方形、半球形、または、これらの組み合わせであってもよい。
【０４８４】
[00555]図７９に示されるように、キャップ１１０４は、形状が略円筒であるとともに、作動突起１１３０を含んでおり、作動突起１１３０は、図８０に更に詳しく示されるように、キャップ１１０４の作動突起１１３０がカセット１１０２の開口１１３６内に挿入されるときに弁アーム１１２２の後端１１３４と係合するように構成されて配置される。一実施形態において、作動突起１１３０は、弁アーム１１２２の後端１１３４の対応する切り欠き部１１３５と結合する切り欠き部１１３２を有する。したがって、作動突起１１３０が開口１１３６内に挿入されると、切り欠き部１１３２が弁アーム１１２２の切り欠き部１１３４ａと係合して、後端１１３４を下方に押圧し、それにより、弁アーム１１２２がその支点（例えば、「Ｃ」形状接続部１１２８）を中心に回転されるとともに、弁アーム１１２２の管遮断部１１３８が持ち上げられ、その結果、管（図示せず）を通じたフリーフローが可能になる。
【０４８５】
[00556]キャップ１１０４は形状が略円筒形として示されているが、当業者であれば分かるように、キャップ１１０４は、例えば円筒形、長方形、球形、または、これらの組み合わせなどの当該技術分野において知られる任意の形状を有してもよい。同様に、作動突起１１３０は形状が略長方形として示されているが、当業者であれば分かるように、作動突起１１３０は、例えば、略円筒形、長方形、三角形、球形、または、これらの組み合わせである形状を有してもよい。
【０４８６】
[00557]キャップ１１０４は、管の一部、管端、または管ルアーを内部に受けるように構成されて配置される。治療で使用する前の包装中または送出中にカセット１１０２とパッケージ化される管（図示せず）が汚染されないようにすることが重要である。包装中および送出中に管の端部をキャップ１１４０内に包み込むことにより、キャップ１１０４は、治療前に任意の汚染物質が管内に入ることを防止する。治療を施すために、キャップ１１０４が患者または介護者によって取り外されてもよく、また、後述するように管部分が患者ラインに接続されてもよい。
【０４８７】
[00558]図８０に示される実施形態は、管（図示せず）と組み合わせたカセット１１０２の包装および送出にとって有益である。カセット１１０２をフリーフロー位置にある状態で送出すると、弁アーム１１２２の管遮断部１１３８が管に対して応力を印加している期間が長くなることが防止される。応力のこの減少により、患者による使用前の管の破損を低減でき、その結果、治療不全の報告事例を減らすことができる。
【０４８８】
[00559]患者がポンプ装置（図示せず）およびカセット１１０２を使用していつでも治療を開始できる状態にある場合には、患者がキャップ１１０４をカセット１１０２から取り外すだけで、キャップ１１０４の切り欠き部１１３２が弁アーム１１２２の後端１１３４から離脱され、それにより、弁アーム１１２２は、その支点（例えば、「Ｃ」形状接続部１１２８）を中心に回転できるとともに、弁アーム１１２２の管遮断部１１３８を管（図示せず）を通じたフリーフローを妨げるその付勢位置へ戻すことができる。キャップ１１０４がカセット１１０２から取り外されると、キャップ１１０４がその内部に収容される管端（図示せず）から取り外され、治療を受けるための患者ラインに管端を接続することができる。カセット１１０２が使用のためにポンプ装置に挿入されると、ポンプ装置は、弁アーム１１２２の後端１１３４に圧力を印加するための内部タブ部材が、弁アーム１１２２をそのフリーフロー位置へ戻し、管の遮断を解除する。フリーフロー位置では、溶液が管を通じて自由に流れることができ、治療を患者に施すことができる。
【０４８９】
[00560]他の実施形態において、キャップは、本開示のカセットの管を通じたフリーフローを防止するためにルアーと組み合わせて使用されてもよい。例えば、図８１ａは、前述したキャップ１１０４に類似するキャップ１２００を示している。この場合、キャップ１２００は、キャップ１２００から延びる作動突起１２０２、および、前述した弁アーム１１２２に類似する弁アーム（図示せず）の切り欠き部と係合するように構成される切り欠き部１２０４も含む。この実施形態において、キャップ１２００は、図８１ｂに示されるようなルアー１２０６を図８２に示されるように開放端１２０８内に受けるように構成されて配置される。
【０４９０】
[00561]ルアー１２０６は、フック部１２１０と、フィン部１２１２と、ねじ付き端部１２１４と、管端部１２１６とを含む。治療のためにポンプ装置およびカセット１２１８を使用する前に、ルアー１２０６のねじ付き端部１２１４がキャップ１２００内に位置し、そのため、ねじ付き端部１２１４が治療用の患者ラインに接続される前にねじ付き端部１２１４の滅菌状態を維持するのに役立つ。ルアー１２０６の管端１２１６は、当該技術分野において知られる任意の手段によってカセット１２１８と関連付けられる管に接続されてもよい。例えば、カセット１２１８の管は、カセット１２１８の流出側でルアー１２０６の管端１２１６に嵌め込まれてもよい。したがって、患者がポンプ装置により治療を受けるため、ルアー１２０６をキャップ１２００から引き出してねじ付き端部１２１４により患者ラインに接続しなければならない。ルアー１２０６のフィン部１２１２は、ルアー１２０６を患者ラインに取り付けるためにルアー１２０６を把持して回転させるのに役立つ。
【０４９１】
[00562]先の実施形態と同様に、キャップ１２００の作動突起１２０２は、カセットの管を通じた流体のフリーフローを制限するまたは許容するために弁アーム（図示せず）と係合するように構成されて配置されてもよい。この場合、キャップ１２００の作動突起１２０２は、カセット１２１８の先端側の第１の開口１２２０内に挿入され、ここで前述したように作動突起１２０２の切り欠き部１２０４が弁アームの対応する後端切り欠き部と係合する。しかしながら、この実施形態では、ルアー１２１２およびキャップ１２００の移動または外れを防止するための異なるストッパが設けられる。
【０４９２】
[00563]例えば、（図８２に示されるような）キャップ１２００とルアー１２０６との組み合わせ後、ルアー１２０６のフック部１２１０が、図８３に示されるような第１の開口１２２０に隣接するカセット１２１８の第２の開口１２２２内に挿入されてもよい。フック部１２１０は、第１の開口１２２０内へのキャップ１２００の作動突起１２０２の挿入前に第２の開口１２２２内へ所定の角度を成して挿入されなければならない。フック部１２１０の大部分が第２の開口１２２０に挿入されると、作動突起１２０２を第１の開口１２２０内に挿入するための力をキャップ１２００に印加できる。この形態では、フック部１２１０および挿入された作動突起１２０２がキャップ１２００／ルアー１２０６の組み合わせの位置をカセット１２１８の先端に維持し、そのため、キャップ１２００／ルアー１２０６の組み合わせが包装および送出中に外れず、これにより、弁アームの管遮断部は、管を通じた流体のフリーフローを遮断することができる。
【０４９３】
[00564]前述したプロセスと同様に、患者がポンプ装置およびカセット１２１８を使用していつでも治療を開始できる状態にある場合には、患者がキャップ１２００を引き上げるだけで、作動突起１２０２が第１の開口１２２０から外れて、キャップ１２００の切り欠き部１２０４が弁アームの後側の切り欠き端から離脱し、それにより、弁アームがその支点を中心に僅かに回転してその付勢位置に戻ることができ、その結果、管（図示せず）を通じたフリーフローが防止される。その後、患者は、第２の開口１２２２からフック部１２１０を引張り出して、ねじ付き端部１２１４をキャップ１２００から取り外し、ねじ付き端部１２１４を治療用の患者ラインにねじ込んでもよい。使用のためにポンプ装置内に挿入されると、ポンプ装置は、弁アームの後端に圧力を印加するための内部タブ部材が、弁アームをそのフリーフロー位置へ戻し、管の遮断を解除する。
【０４９４】
[00565]図８４〜図８６は、注入療法のためにカセットと共に使用されてもよいフリーフロー防止アセンブリ１３００の更なる他の実施形態を示している。図８４に示されるように、フリーフロー防止機構１３００は、弁アーム１３０４を有するカセット１３０２と、ルアー１３０６と、キャップ１３０８とを含む。この実施形態において、ルアー１３０６およびキャップ１３０８は、カセット１３０２の外側先端に配置されず、むしろ、カセット１３０２の上側内部に配置される。先の実施形態と同様に、ルアー１３０６およびキャップ１３０８はカセット１３０２の長手方向と平行に方向付けられる。しかしながら、この実施形態において、キャップ１３０８は、キャップ１３０８の長手方向に対して略垂直に延びる突起により弁アーム１３０４を作動させない。その代り、ルアー１３０６は、ルアー１３０６の長手方向と略平行に方向付けられる作動突起１３１０を含む。
【０４９５】
[00566]弁アーム１３０４をフリーフロー位置に向けるため、作動突起１３１０がカセット１３０２の２つのブラケット状構造体１３１２のスロットに内に挿入され、それにより、弁アーム１３０４の後端１３１４が押し下げられ、その結果、弁アーム１３０４の前端１３１６が上方に引き上がることができ、これにより、流体がカセット１３０２の管を通じて流れることができる。作動突起１３１０の完全に挿入された位置が図８５に示されている。
【０４９６】
[00567]先に簡単に説明したように、図８６の弁アーム１３０４は、図８７に示されるカセット１３０２の接続要素１３２０と係合する略「Ｃ」形状の接続部１３１８を含む。接続要素１３２０は、カセット１３０２の凹部１３２２内に位置して、凹部１３２２の２つの対向する側面を結合する。一実施形態では、接続要素１３２０の形状が略円筒形であり、そのため、弁アーム１３０４の「Ｃ」形状の接続部１３１８を接続要素１３２０にスナップ嵌合させることができ、また、弁アーム１３０４が流体遮断位置とフリーフロー位置との間で揺動するときに接続部１３１８が接続要素１３２０の周囲で部分的に回転できる。
【０４９７】
[00568]また、図８６は弁アーム１３０４を示しており、該弁アームは、弁アームが流体遮断位置とフリーフロー位置との間で揺動するときに弁アーム１３０４の動きを安定させるために円形穴１３２６と結合する略円筒形状突起１３２４を更に含む。また、弁アーム１３０４は、同様の目的のためにカセット１３０２の長方形穴１３３０と結合する略長方形形状の突起１３２８も含む。
【０４９８】
[00569]図８６に示されるように、弁アーム１３０４は、カセット１３０２の切り欠き１３３４内に配置されるカセット管の位置を維持するように構成されて配置される管保持部１３３２を含んでもよい。保持部１３３２は本開示の全ての実施形態に示されていないが、当業者であれば分かるように、そのような構造は本開示に開示される任意の実施形態で使用されてもよい。また、保持部１３３２が略円筒状の形状として示されているが、当業者であれば分かるように、管保持部１３３２は、そのような形状に限定されず、保持構造として役立つ当該技術分野において知られる任意の形状を有してもよい。
【０４９９】
[00570]また、図８６に示されるように、弁アーム１３０４は、以下で詳しく説明するように、弁アーム１３０４の上側にストッパ１３３６を随意的に含んでもよい。一般的に言えば、弁アーム１３０４を、その付勢されたフリーフロー防止位置から、弁アーム１３０４の遮断部１３３２がカセット管を通じた流体の流れをもはや遮断しないように弁アーム１３０４の前端１３１６が引き上げられるそのフリーフロー位置へ揺動させるために、ストッパ１３３６は、弁アーム１３０４に圧力を及ぼすように構成されているポンプ装置の内部タブ部材（図示せず）と相互に作用するように構成される。
【０５００】
[00571]図８８〜図９０は、カセット１４０２と、弁アーム１４０４と、作動突起１４０８を有するルアー１４０６と、キャップ１４１０とを含むフリーフロー防止アセンブリ１４００の更に他の実施形態を示している。図８４〜図８５と同様に、作動突起１４０８は、ルアー１４０６の長手方向と略平行に向けられるとともに、カセット１４０２の２つのブラケット状構造体１４１２のスロット内に挿入され、それにより、弁アーム１４０４の後端１４１４が押し下げられ、その結果、弁アーム１４０４の前端１４１６が上方に引き上がることができ、これにより、流体がカセット１４０２の管を通じて流れることができる。作動突起１４０８の完全に挿入された位置が図８８に示されている。
【０５０１】
[00572]しかしながら、図８８〜図９０に示される実施形態では、弁アーム１４０４が図８６の弁アーム１３０４とは僅かに異なる。例えば、略円筒形状の突起１４１８および略長方形形状の突起１４２２に加えて、図８８〜図９０の弁アーム１４０４は、該弁アーム１４０４の下側にストッパ１４２６を含むとともに、カセット１４０２の対応する接続要素１４３０と協働する略「Ｏ」形状の接続部１４２８も含む。一実施形態において、弁アーム１３０４は、弁アーム１３０４の幅方向に分離される同軸の２つの「Ｏ」形状接続部１４２８を有する。
【０５０２】
[00573]弁アーム１４０４を、その付勢されたフリーフロー防止位置から、弁アーム１４０４の遮断部１４３２がカセット管を通じた流体の流れをもはや遮断しないように弁アーム１４０４の前端１４１６が引き上げられるそのフリーフロー位置へ揺動させるために、ストッパ１４２６は、弁アーム１４０４に圧力を及ぼすように構成されているポンプ装置の内部タブ部材（図示せず）と相互に作用するように構成される。ポンプ装置のタブ部材がストッパ１４２６に当接すると、カセット１４０２が完全に挿入され、弁アーム１４０４の前部１４１６が完全に引き上げられる。
【０５０３】
[00574]弁アーム１４０４の中央部分に近い弁アーム１４０４の位置にストッパ１４２６を配置することにより、ポンプ装置のタブ部材を、ポンプの外側部分の方へ配置されるのとは対照的に、ポンプ装置の中心へ向かう更に内側に配置することができる。ポンプ装置のタブ部材をポンプ装置の中心の方へ配置すると、タブ部材の不慮の破損および／または不測の破壊が防止される。
【０５０４】
[00575]一実施形態において、弁アーム１４０４は、カセット１４０２の対応する接続要素１４３０と協働する略「Ｏ」形状の接続部１４２８を含む。この実施形態において、接続要素１４３０は、カセット１４０２の凹部１４３４の２つの側面を接続する１つの一体構造を備えていない。代わりに、接続要素１４３０は、カセット１４０２の凹部１４３４の２つの対向する側面に接続されまたは側面と一体に形成される２つの別個の構造体である。この場合、凹部１４３４内の接続要素１４３０間に空間が存在する。
【０５０５】
[00576]「Ｏ」形状接続部１４２８は、弁アーム１４０４を有するカセット１４０２を製造するための製造プロセス中に接続要素１４３０と結合するように構成されて配置される。前述したように、一実施形態では、弁アーム１４０４が２つの「Ｏ」形状接続部１４２８を有してもよい。製造中、「Ｏ」形状接続部１４２８が互いの方へ向けて僅かに押圧され、それにより、各接続部が内側へ９０°を超えて延びる。このとき、「Ｏ」形状接続部１４２８は、接続要素１４３０と位置合わせされるとともに、弁アーム１４０４の長手方向に対して略垂直なそれらの当初の付勢位置へ跳ね戻ることができる。「Ｏ」形状接続部１４２８と接続要素１４３０との結合の後、弁アーム１４０４は、前述した弁アームと同様の態様で動作して、流体流れ遮断位置とフリーフロー位置との間で揺動する。
【０５０６】
[00577]図９０に示されるように、弁アーム１４０４は、随意的に、カセット１４０２の切り欠き内に配置されるカセット管の位置を維持するように構成されて配置される管保持部１４３６を含んでもよい。保持部１４３６は本開示の全ての実施形態に示されていないが、当業者であれば分かるように、そのような構造は本開示に開示される任意の実施形態で使用されてもよい。また、保持部１４３６が略円筒状の形状として示されているが、当業者であれば分かるように、管保持部１４３６は、そのような形状に限定されず、保持構造として役立つ当該技術分野において知られる任意の形状を有してもよい。
【０５０７】
[00578]言うまでもなく、本明細書中に記載される現在好ましい実施形態に対する様々な変更および改良は当業者に明らかである。そのような変更および改良は、本主題の思想および範囲から逸脱することなく且つその意図される利点を損なうことなく行なうことができる。したがって、そのような変更および改良は添付の請求項によって網羅されるものである。
【図１】
0005701294.tif 000002
【図２】
0005701294.tif 000003
【図３】
0005701294.tif 000004
【図４】
0005701294.tif 000005
【図５】
0005701294.tif 000006
【図６】
0005701294.tif 000007
【図７】
0005701294.tif 000008
【図８】
0005701294.tif 000009
【図９】
0005701294.tif 000010
【図１０】
0005701294.tif 000011
【図１１】
0005701294.tif 000012
【図１２】
0005701294.tif 000013
【図１３】
0005701294.tif 000014
【図１４】
0005701294.tif 000015
【図１５】
0005701294.tif 000016
【図１６】
0005701294.tif 000017
【図１７】
0005701294.tif 000018
【図１８】
0005701294.tif 000019
【図１９】
0005701294.tif 000020
【図２０】
0005701294.tif 000021
【図２１】
0005701294.tif 000022
【図２２】
0005701294.tif 000023
【図２３】
0005701294.tif 000024
【図２４】
0005701294.tif 000025
【図２５】
0005701294.tif 000026
【図２６】
0005701294.tif 000027
【図２７】
0005701294.tif 000028
【図２８】
0005701294.tif 000029
【図２９】
0005701294.tif 000030
【図３０】
0005701294.tif 000031
【図３１】
0005701294.tif 000032
【図３２】
0005701294.tif 000033
【図３３】
0005701294.tif 000034
【図３４】
0005701294.tif 000035
【図３５】
0005701294.tif 000036
【図３６】
0005701294.tif 000037
【図３７】
0005701294.tif 000038
【図３８】
0005701294.tif 000039
【図３９】
0005701294.tif 000040
【図４０】
0005701294.tif 000041
【図４１】
0005701294.tif 000042
【図４２】
0005701294.tif 000043
【図４３】
0005701294.tif 000044
【図４４】
0005701294.tif 000045
【図４５】
0005701294.tif 000046
【図４６】
0005701294.tif 000047
【図４７】
0005701294.tif 000048
【図４８】
0005701294.tif 000049
【図４９】
0005701294.tif 000050
【図５０】
0005701294.tif 000051
【図５１】
0005701294.tif 000052
【図５２】
0005701294.tif 000053
【図５３】
0005701294.tif 000054
【図５４】
0005701294.tif 000055
【図５５】
0005701294.tif 000056
【図５６】
0005701294.tif 000057
【図５７】
0005701294.tif 000058
【図５８】
0005701294.tif 000059
【図５９】
0005701294.tif 000060
【図６０】
0005701294.tif 000061
【図６１】
0005701294.tif 000062
【図６２】
0005701294.tif 000063
【図６３】
0005701294.tif 000064
【図６４】
0005701294.tif 000065
【図６５】
0005701294.tif 000066
【図６６】
0005701294.tif 000067
【図６７】
0005701294.tif 000068
【図６８】
0005701294.tif 000069
【図６９】
0005701294.tif 000070
【図７０】
0005701294.tif 000071
【図７１】
0005701294.tif 000072
【図７２】
0005701294.tif 000073
【図７３】
0005701294.tif 000074
【図７４】
0005701294.tif 000075
【図７５】
0005701294.tif 000076
【図７６】
0005701294.tif 000077
【図７７】
0005701294.tif 000078
【図７８】
0005701294.tif 000079
【図７９】
0005701294.tif 000080
【図８０】
0005701294.tif 000081
【図８１ａ】
0005701294.tif 000082
【図８１ｂ】
0005701294.tif 000083
【図８２】
0005701294.tif 000084
【図８３】
0005701294.tif 000085
【図８４】
0005701294.tif 000086
【図８５】
0005701294.tif 000087
【図８６】
0005701294.tif 000088
【図８７】
0005701294.tif 000089
【図８８】
0005701294.tif 000090
【図８９】
0005701294.tif 000091
【図９０】
0005701294.tif 000092